(57)【要約】  ネットワークサービスエリアにおけるモバイルデバイスの位置を決定するための方法、装置、及びコンピュータプログラム製品が説明される。モバイルデバイスの位置を決定するための方法の一例は、モバイルデバイスの位置に関する測位要求を受信することと、測位要求を受信することに応答して、信号特性測定値を受信することと、信号特性測定値に基づいて演繹的モバイルデバイス位置エリアを推定することと、選択されたＡＤモデルを決定することと、選択されたＡＤモデルを用いてモバイルデバイスの位置を決定することと、を含む。
2016526161.tif 000002
【特許請求の範囲】
【請求項１】
ネットワークサービスエリアにおけるモバイルデバイスの位置を決定する方法であって、
前記モバイルデバイスの前記位置に関する第１の測位要求を受信することと、
前記第１の測位要求を受信することに応答して、
第１の信号特性測定値を受信することと、
前記第１の信号特性測定値に基づいて第１の演繹的モバイルデバイス位置エリアを推定することと、
選択された補助データ（ＡＤ）モデルを決定することと、
前記選択されたＡＤモデルを用いて前記モバイルデバイスの前記位置を決定することと、を備える、方法。
【請求項２】
前記モバイルデバイスの前記位置に基づく第１の位置情報を格納することを備える請求項１に記載の方法。
【請求項３】
前記モバイルデバイスの前記位置に基づく第１の位置情報を送信することを備える請求項１に記載の方法。
【請求項４】
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備える請求項１に記載の方法。
【請求項５】
前記信頼度スコアスレショルドは、ヒューリスティックに決定され及び調整可能である請求項４に記載の方法。
【請求項６】
各ＡＤモデルに関する前記第１の偏差を決定するために前記第１の信号特性測定値及び格納された信号特性測定値に基づいて前記計算された信号特性を統計パラメータと比較することであって、前記統計パラメータは、平均又は加重平均を備えること、を備える請求項４に記載の方法。
【請求項７】
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、備える請求項１に記載の方法。
【請求項８】
各ＡＤモデルに関する前記決定された信頼度スコアに基づいてセクタ数が動的に調整される請求項７に記載の方法。
【請求項９】
前記ネットワークサービスエリアは、複数のセクタに分割され、前記複数のセクタの各セクタは、前記ネットワークサービスエリアの１つのセクションであり、前記選択されたＡＤモデルを決定することは、
一組のＡＤモデルのうちの各ＡＤモデルに関する前記推定された第１の演繹的モバイルデバイス位置エリア内の各セクタに関する信号特性を計算することと、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較することと、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定することと、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較することと、
第１のコスト関数を決定することであって、前記第１のコスト関数は、前記推定された第１の演繹的モバイルデバイス位置エリア内の各セクタに関する前記第１の資格を有する一組のＡＤモデル及び前記第１の信号特性測定値に基づくことと、
前記推定された第１の演繹的モバイルデバイス位置エリア内の各セクタに関する前記選択されたＡＤモデルを決定することであって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルであることと、を備える請求項１に記載の方法。
【請求項１０】
第２の測位要求を受信することと、
前記第２の測位要求を受信したことに応答して、
第２の信号特性測定値を受信することと、
前記第２の信号特性測定値に基づいて第２の演繹的モバイルデバイス位置エリアを推定することと、
前記第２の信号特性測定値に基づいて選択されたＡＤモデル信頼度スコアを決定することと、
前記選択されたＡＤモデル信頼度スコアが受け入れ可能な信頼度スコアである又は受け入れ不能な信頼度スコアであると決定することと、を備える請求項１に記載の方法。
【請求項１１】
前記選択されたＡＤモデル信頼度スコアが受け入れ可能な信頼度スコアであることに応答して、
一組のＡＤモデルのうちの各ＡＤモデルに関する信号特性を計算することと、
各ＡＤモデルに関する第２の偏差を決定するために前記第２の信号特性測定値を前記計算された信号特性と比較することと、
各ＡＤモデルに関する第２の信頼度スコアを決定することであって、前記第２の信頼度スコアは、前記第２の偏差に基づくことと、
前記選択されたＡＤモデルを用いて前記モバイルデバイスの前記位置を決定することと、を備える請求項１０に記載の方法。
【請求項１２】
前記選択されたＡＤモデル信頼度スコアが受け入れ不能な信頼度スコアであることに応答して、
一組のＡＤモデルのうちの各ＡＤモデルに関する信号特性を計算することと、
各ＡＤモデルに関する第２の偏差を決定するために前記第２の信号特性測定値を前記計算された信号特性と比較することと、
各ＡＤモデルに関する第２の信頼度スコアを決定することであって、前記第２の信頼度スコアは、前記第２の偏差に基づくことと、
第２の資格を有する一組のＡＤモデルを決定するために各ＡＤモデルの前記第２の信頼度スコアを信頼度スコアスレショルドと比較することと、
第２のコスト関数を決定することであって、前記第２のコスト関数は、前記第２の資格を有する一組のＡＤモデル及び前記第２の信号特性測定値に基づくことと、
更新された選択されたＡＤモデルを決定することであって、前記更新された選択されたＡＤモデルは、前記第２のコスト関数を最小化し及び前記資格を有する一組のＡＤモデルのうちの１つのＡＤモデルであることと、
前記更新された選択されたＡＤモデルを用いて前記モバイルデバイスの前記位置を決定することと、を備える請求項１０に記載の方法。
【請求項１３】
ネットワークサービスエリアにおけるモバイルデバイスの位置を決定する方法であって、
第１の測位要求を送信することと、
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定することによって決定された前記モバイルデバイスの前記位置に基づく第１の位置情報を受信することと、を備える、方法。
【請求項１４】
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備える請求項１３に記載の方法。
【請求項１５】
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備える請求項１３に記載の方法。
【請求項１６】
第２の測位要求を送信することと、
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
前記選択されたＡＤモデルを用いて前記モバイルデバイスの前記位置を決定し、及び
前記選択されたＡＤモデルの前記信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信することと、を備える請求項１３に記載の方法。
【請求項１７】
ネットワークサービスエリアにおけるモバイルデバイスの位置を決定するための装置であって、
前記モバイルデバイスの前記位置に関する第１の測位要求を受信するように構成された１つ以上のプロセッサを備え、前記１つ以上のプロセッサは、
前記第１の測位要求を受信したことに応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定するように構成される、装置。
【請求項１８】
前記モバイルデバイスの前記位置に基づく第１の位置情報を格納するように構成されたメモリを備える請求項１７記載の装置。
【請求項１９】
前記１つ以上のプロセッサは、前記モバイルデバイスの前記位置に基づく第１の位置情報を送信するように構成される請求項１７に記載の装置。
【請求項２０】
前記１つ以上のプロセッサは、
一組のＡＤモデルのうちの各ＡＤモデルに関する信号特性を計算し、
各ＡＤモデルに関する第１の偏差を決定するために前記計算された信号特性を前記第１の信号特性測定値と比較し、
各ＡＤモデルに関する第１の信頼度スコアを決定し、ここにおいて、前記第１の信頼度スコアは、前記第１の偏差に基づき、
第１の資格を有する一組のＡＤモデルを決定するために各ＡＤモデルの前記第１の信頼度スコアを信頼度スコアスレショルドと比較し、
第１のコスト関数を決定し、ここにおいて、前記第１のコスト関数は、前記第１の資格を有する一組のＡＤモデル及び前記第１の信号特性測定値に基づき、及び
前記選択されたＡＤモデルを決定することによってここにおいて、前記選択されたＡＤモデルは、前記第１のコスト関数を最小化し及び前記第１の資格を有する一組のＡＤモデルのうちの１つのモデルである、ことによって前記選択されたＡＤモデルを決定するように構成される請求項１７に記載の装置。
【請求項２１】
前記信頼度スコアスレショルドは、ヒューリスティックに決定され及び調整可能である請求項２０に記載の装置。
【請求項２２】
前記１つ以上のプロセッサは、各ＡＤモデルに関する前記第１の偏差を決定するために前記第１の信号特性測定値及び格納された信号特性測定値に基づいて前記計算された信号特性を統計パラメータと比較するように構成され、前記統計パラメータは、平均又は加重平均を備える請求項２０記載の装置。
【請求項２３】
前記ネットワークサービスエリアは、複数のセクタに分割され、前記複数のセクタのうちの各セクタは、前記ネットワークサービスエリアの１つのセクションであり、前記１つ以上のプロセッサは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備えるステップによって前記選択されたＡＤモデルを決定するように構成される請求項１７に記載の装置。
【請求項２４】
各ＡＤモデルに関する前記決定された信頼度スコアに基づいてセクタ数が動的に調整される請求項２３に記載の装置。
【請求項２５】
前記ネットワークサービスエリアは、複数のセクタに分割され、前記複数のセクタのうちの各セクタは、前記ネットワークサービスエリアの１つのセクションであり、前記１つ以上のプロセッサは、
一組のＡＤモデルのうちの各ＡＤモデルに関する前記推定された第１の演繹的モバイルデバイス位置エリア内の各セクタに関する信号特性を計算することと、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較することと、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定することと、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較することと、
第１のコスト関数を決定することであって、前記第１のコスト関数は、前記推定された第１の演繹的モバイルデバイス位置エリア内の各セクタに関する第１の資格を有する一組のＡＤモデル及び前記第１の信号特性測定値に基づくことと、
前記推定された第１の演繹的モバイルデバイス位置エリア内の各セクタに関する前記選択されたＡＤモデルを決定することであって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルであることと、を備えるステップによって前記選択されたＡＤモデルを決定するように構成される請求項１７に記載の装置。
【請求項２６】
前記１つ以上のプロセッサは、
第２の測位要求を受信するように構成され、及び
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するように構成される請求項１７に記載の装置。
【請求項２７】
前記１つ以上のプロセッサは、
前記選択されたＡＤモデル信頼度スコアが受け入れ可能な信頼度スコアであることに応答して、
前記一組のＡＤモデルのうちの各ＡＤモデルに関する信号特性を計算するように構成され、
各ＡＤモデルに関する第２の偏差を決定するために前記第２の信号特性測定値を前記計算された信号特性と比較するように構成され、
各ＡＤモデルに関する第２の信頼度スコアを決定するように構成され、ここにおいて、前記第２の信頼度スコアは、前記第２の偏差に基づき、
前記選択されたＡＤモデルを用いて前記第２のモバイルデバイスの前記位置を決定するように構成される請求項２６に記載の装置。
【請求項２８】
前記１つ以上のプロセッサは、前記選択されたＡＤモデル信頼度スコアが受け入れ不能な信頼度スコアであることに応答して、
一組のＡＤモデルのうちの各ＡＤモデルに関する信号特性を計算するように構成され、
各ＡＤモデルに関する前記第２の偏差を決定するために前記第２の信号特性測定値を前記計算された信号特性と比較するように構成され、
各ＡＤモデルに関する第２の信頼度スコアを決定するように構成され、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較するように構成され、
第２のコスト関数を決定するように構成され、ここにおいて、前記第２のコスト関数は、前記第２の資格を有する一組のＡＤモデル及び前記第２の信号特性測定値に基づき、
更新された選択されたＡＤモデルを決定するように構成され、ここにおいて、前記更新された選択されたＡＤモデルは、前記第２のコスト関数を最小化し及び前記資格を有する一組のＡＤモデルのうちの１つのＡＤモデルであり、
前記更新された選択されたＡＤモデルを用いて前記第２のモバイルデバイスの前記位置を決定するように構成される請求項２６に記載の装置。
【請求項２９】
ネットワークサービスエリアにおけるモバイルデバイスの位置を決定するための装置であって、
第１の測位要求を送信するように構成され、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記第１の位置を決定することによって決定された前記モバイルデバイスの前記第１の位置に基づく第１の位置情報を受信するように構成されたトランシーバを備える、装置。
【請求項３０】
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備える請求項２９に記載の装置。
【請求項３１】
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、備える請求項２９に記載の装置。
【請求項３２】
前記トランシーバは、
第２の測位要求を送信するように構成され、及び
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは前記第２の偏差に基づき、及び
前記選択されたＡＤモデルを用いて前記モバイルデバイスの前記位置を決定し、及び
前記選択されたＡＤモデル信頼度スコアが受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つであり、及び
前記更新された選択されたＡＤモデルを用いて前記モバイルデバイスの前記位置を決定することによって決定された前記モバイルデバイスの前記位置に基づく第２の位置情報を受信するように構成される請求項２９に記載の装置。
【請求項３３】
ネットワークサービスエリアにおけるモバイルデバイスの位置を決定するための装置であって、
前記モバイルデバイスの前記位置に関する第１の測位要求を受信するための手段と、
前記第１の測位要求を受信したことに応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定するための手段と、を備える、装置。
【請求項３４】
前記モバイルデバイスの前記位置に基づく第１の位置情報を格納するための手段を備える請求項３３に記載の装置。
【請求項３５】
前記モバイルデバイスの前記位置に基づく第１の位置情報を送信するための手段を備える請求項３３に記載の装置。
【請求項３６】
前記選択されたＡＤモデルを決定するための前記手段は、
一組のＡＤモデルのうちの各ＡＤモデルに関する信号特性を計算するための手段と、
各ＡＤモデルに関する第１の偏差を決定するために前記計算された信号特性を前記第１の信号特性測定値と比較するための手段と、
各ＡＤモデルに関する第１の信頼度スコアを決定するための手段であって、前記第１の信頼度スコアは、前記第１の偏差に基づく手段と、
第１の資格を有する一組のＡＤモデルを決定するために各ＡＤモデルの前記第１の信頼度スコアを信頼度スコアスレショルドと比較するための手段と、
第１のコスト関数を決定するための手段であって、前記第１のコスト関数は、前記第１の資格を有する一組のＡＤモデル及び前記第１の信号特性測定値に基づく手段と、
前記選択されたＡＤモデルを決定するための手段であって、前記選択されたＡＤモデルは、前記第１のコスト関数を最小化し及び前記第１の資格を有する一組のＡＤモデルのうちの１つのモデルである手段と、備える請求項３３に記載の装置。
【請求項３７】
前記信頼度スコアスレショルドは、ヒューリスティックに決定され及び調整可能である請求項３６に記載の装置。
【請求項３８】
各ＡＤモデルに関する第１の偏差を決定するために前記第１の信号特性測定値及び格納された信号特性測定値に基づいて前記計算された信号特性を統計パラメータと比較するための手段であって、前記統計パラメータは、平均又は加重平均を備える手段、を備える請求項３６に記載の装置。
【請求項３９】
前記ネットワークサービスエリアは、複数のセクタに分割され、前記複数のセクタのうちの各セクタは、前記ネットワークサービスエリアの１つのセクションであり、前記選択されたＡＤモデルを決定するための前記手段は、
一組のＡＤモデルのうちの各ＡＤモデルに関する各セクタに関する信号特性を計算するための手段と、
各セクタに関する各ＡＤモデルに関する第１の偏差を決定するために前記第１の信号特性測定値を前記計算された信号特性と比較するための手段と、
各セクタに関する各ＡＤモデルに関する前記第１の偏差に基づいて各セクタに関する各ＡＤモデルに関する第１の信頼度スコアを決定するための手段と、
各セクタに関する第１の資格を有する一組のＡＤモデルを決定するために各セクタに関する各ＡＤモデルの前記第１の信頼度スコアを信頼度スコアスレショルドと比較するための手段と、
第１のコスト関数を決定するための手段であって、前記第１のコスト関数は、各セクタに関する前記第１の資格を有する一組のＡＤモデル及び前記第１の信号特性測定値に基づく手段と、
各セクタに関する前記選択されたＡＤモデルを決定するための手段であって、各セクタに関する前記選択されたＡＤモデルは、各セクタにおいて評価された前記第１のコスト関数を最小化し及び前記第１の資格を有する一組のＡＤモデルのうちの１つのＡＤモデルである手段と、備える請求項３３に記載の装置。
【請求項４０】
各ＡＤモデルに関する決定された信頼度スコアに基づいてセクタ数が動的に調整される請求項３９に記載の装置。
【請求項４１】
前記ネットワークサービスエリアは、複数のセクタに分割され、前記複数のセクタのうちの各セクタは、ネットワークサービスエリアの１つのセクションであり、前記選択されたＡＤモデルを決定するための前記手段は、
一組のＡＤモデルのうちの各ＡＤモデルに関する前記推定された第１の演繹的モバイルデバイス位置エリア内の各セクタに関する信号特性を計算するための手段と、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較するための手段と、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定するための手段と、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較するための手段と、
第１のコスト関数を決定するための手段であって、前記第１のコスト関数は、前記推定された第１の演繹的モバイルデバイス位置エリア内の各セクタに関する前記第１の資格を有する一組のＡＤモデル及び前記第１の信号特性測定値に基づく手段と、
前記推定された第１の演繹的モバイルデバイス位置エリア内の各セクタに関する前記選択ＡＤモデルを決定するための手段であって、前記前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルである手段と、を備える請求項３３に記載の装置。
【請求項４２】
第２の測位要求を受信するための手段と、
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するための手段と、を備える請求項３３に記載の装置。
【請求項４３】
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定するための手段を備える請求項４２に記載の装置。
【請求項４４】
前記選択されたＡＤモデルの前記信頼度スコアが前記受け入れ不能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
更新された選択されたＡＤモデルを決定し、ここにおいて、前記更新された選択されたＡＤモデルは、前記第２のコスト関数を最小化し及び前記資格を有する一組のＡＤモデルのうちの１つのＡＤモデルであり、及び、
前記更新された選択されたＡＤモデルを用いて前記モバイルデバイスの前記位置を決定するための手段を備える請求項４２に記載の装置。
【請求項４５】
ネットワークサービスエリアにおけるモバイルデバイスの位置を決定するための装置であって、
第１の測位要求を送信するための手段と、
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定することによって決定された前記モバイルデバイスの前記位置に基づく第１の位置情報を受信するための手段と、備える、装置。
【請求項４６】
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのモデルであることと、を備える請求項４５に記載の装置。
【請求項４７】
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備える請求項４５に記載の装置。
【請求項４８】
第２の測位要求を送信するための手段と、
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデルを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定し、及び
前記選択されたＡＤモデルの前記信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたモードは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信するための手段と、を備える請求項４５に記載の装置。
【請求項４９】
プロセッサによって読み取り可能な非一時的な記憶媒体に常駐するコンピュータプログラム製品であって、
モバイルデバイスの位置に関する第１の測位要求を受信するために、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記モバイルデバイスの前記位置が前記選択されたＡＤモデルを用いて決定された前記モバイルデバイスの前記位置であると決定するために１つ以上のプロセッサによって実行可能なプロセッサによって読み取り可能な命令を備える、コンピュータプログラム製品。
【請求項５０】
前記モバイルデバイスの前記位置に基づく第１の位置情報を格納するために１つ以上のプロセッサによって実行可能なコンピュータによって読み取り可能な命令を備える請求項４９に記載のコンピュータプログラム製品。
【請求項５１】
前記モバイルデバイスの前記位置に基づく第１の位置情報を送信するために１つ以上のプロセッサによって実行可能なプロセッサによって読み取り可能な命令を備える請求項４９に記載のコンピュータプログラム製品。
【請求項５２】
前記選択されたＡＤモデルを決定するために１つ以上のプロセッサによって実行可能なプロセッサによって読み取り可能な命令は、
一組のＡＤモデルのうちの各ＡＤモデルに関する信号特性を計算するための命令と、
各ＡＤモデルに関する第１の偏差を決定するために前記計算された信号特性を前記第１の信号特性測定値と比較するための命令と、
各ＡＤモデルに関する第１の信頼度スコアを決定するための命令であって、前記第１の信頼度スコアは、前記第１の偏差に基づく命令と、
第１の資格を有する一組のＡＤモデルを決定するために各ＡＤモデルの前記第１の信頼度スコアを信頼度スコアスレショルドと比較するための命令と、
第１のコスト関数を決定するための命令であって、前記第１のコスト関数は、前記第１の資格を有する一組のＡＤモデル及び前記第１の信号特性測定値に基づく命令と、
前記選択されたＡＤモデルを決定するための命令であって、前記選択されたＡＤモデルは、前記第１のコスト関数を最小化し及び前記第１の資格を有する一組のＡＤモデルのうちの１つのモデルである命令と、を備える請求項４９に記載のコンピュータプログラム製品。
【請求項５３】
前記信頼度スコアスレショルドは、ヒューリスティックに決定され及び調整可能である請求項５２に記載のコンピュータプログラム製品。
【請求項５４】
各ＡＤモデルに関する第１の偏差を決定するために前記第１の信号特性測定値及び格納された信号特性測定値に基づいて前記計算された信号特性を統計パラメータと比較するために１つ以上のプロセッサによって実行可能なプロセッサによって読み取り可能な命令であって、前記統計パラメータは、平均又は加重平均を備える命令、を備える請求項５２に記載のコンピュータプログラム製品。
【請求項５５】
前記ネットワークサービスエリアは、複数のセクタに分割され、前記複数のセクタのうちの各セクタは、前記ネットワークサービスエリアの１つのセクションであり、前記選択されたＡＤモデルを決定するために１つ以上のプロセッサによって実行可能なプロセッサによって読み取り可能な命令は、
一組のＡＤモデルのうちの各ＡＤモデルに関する各セクタに関する信号特性を計算するための命令と、
各セクタに関する各ＡＤモデルに関する第１の偏差を決定するために前記第１の信号特性測定値を前記計算された信号特性と比較するための命令と、
各セクタに関する各ＡＤモデルに関する前記第１の偏差に基づいて各セクタに関する各ＡＤモデルに関する第１の信頼度スコアを決定するための命令と、
各セクタに関する第１の資格を有する一組のＡＤモデルを決定するために各セクタに関する各ＡＤモデルの前記第１の信頼度スコアを信頼度スコアスレショルドと比較するための命令と、
第１のコスト関数を決定するための命令であって、前記第１のコスト関数は、各セクタに関する前記第１の資格を有する一組のＡＤモデル及び前記第１の信号特性測定値に基づく命令と、
各セクタに関する前記選択されたＡＤモデルを決定するための命令であって、各セクタに関する前記選択されたＡＤモデルは、各セクタにおいて評価された前記第１のコスト関数を最小化し及び前記第１の資格を有する一組のＡＤモデルのうちの１つのＡＤモデルである命令と、を備える請求項４９に記載のコンピュータプログラム製品。
【請求項５６】
各ＡＤモデルに関する前記決定された信頼度スコアに基づいてセクタ数が動的に調整される請求項５５に記載のコンピュータプログラム製品。
【請求項５７】
前記ネットワークサービスエリアは、複数のセクタに分割され、前記複数のセクタの各セクタは、前記ネットワークサービスエリアの１つのセクションであり、前記選択されたＡＤモデルを決定するために１つ以上のプロセッサによって実行可能なプロセッサによって読み取り可能な命令は、
一組のＡＤモデルのうちの各ＡＤモデルに関する前記推定された第１の演繹的モバイルデバイス位置エリア内の各セクタに関する信号特性を計算するための命令と、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較するための命令と、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定するための命令と、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較するための命令と、
第１のコスト関数を決定するための命令であって、前記第１のコスト関数は、前記推定された第１の演繹的モバイルデバイス位置エリア内の各セクタに関する第１の資格を有する一組のＡＤモデル及び前記第１の信号特性測定値に基づく命令と、
前記推定された第１の演繹的モバイルデバイス位置エリア内の各セクタに関する前記選択されたＡＤモデルを決定するための命令であって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルである命令と、を備える請求項４９に記載のコンピュータプログラム製品。
【請求項５８】
第２の測位要求を受信するために、及び
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するために１つ以上のプロセッサによって実行可能なプロセッサによって読み取り可能な命令を備える請求項４９に記載のコンピュータプログラム製品。
【請求項５９】
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定するために１つ以上のプロセッサによって実行可能なプロセッサによって読み取り可能な命令を備える請求項５８に記載のコンピュータプログラム製品。
【請求項６０】
前記選択されたＡＤモデルの前記信頼度スコアが前記受け入れ不能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記資格を有する一組のＡＤモデルのうちの１つのＡＤモデルであり、及び
前記更新された選択されたＡＤモデルを用いて前記モバイルデバイスの前記位置を決定するために１つ以上のプロセッサによって実行可能なプロセッサによって読み取り可能な命令を備える請求項５８に記載のコンピュータプログラム製品。
【請求項６１】
プロセッサによって読み取り可能な非一時的な記憶媒体に常駐するコンピュータプログラム製品であって、
第１の測位要求を送信するために、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び、
前記選択されたＡＤモデルを用いて前記モバイルデバイスの前記位置を決定することによって決定された前記モバイルデバイスの前記位置に基づく第１の位置情報を受信するために１つ以上のプロセッサによって実行可能なプロセッサによって読み取り可能な命令を備える、コンピュータプログラム製品。
【請求項６２】
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備える請求項６１に記載のコンピュータプログラム製品。
【請求項６３】
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備える請求項６１に記載のコンピュータプログラム製品。
【請求項６４】
第２の測位要求を送信するために、及び
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定し、及び
前記選択されたＡＤモデル信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信するために１つ以上のプロセッサによって実行可能なコンピュータによって読み取り可能な命令を備える請求項６１に記載のコンピュータプログラム製品。
【発明の詳細な説明】
【背景技術】
【０００１】
［０００１］モバイルデバイスに関するネットワークに基づく測位能力を提供するためにモバイルデバイスとネットワークアクセスポイント（ＡＰ）又はその他の無線送信機との間で送信される信号の特性を測定して解析することができる。ネットワークに基づく又は地上での測位は、弱い又は一貫しない衛星信号が衛星に基づく測位システムをアクセス不能又は不正確にするネットワークサービスエリア、しばしば屋内エリア、において特に有用であることができる。ＡＰによって測定されて位置決定モジュールによって受信される典型的な信号特性は、往復時間（ＲＴＴ）と、受信信号強度インジケータ（ＲＳＳＩ）と、チャネル周波数応答（ＣＦＲ）と、を含むことができる。位置決定モジュールは、測定された信号特性及び補助データ（ＡＤ）モデルを用いてモバイルデバイスの所在位置を決定することができる。ＡＤモデルは、特定のネットワークサービスエリアの環境上の特徴による信号の吸収及び反射に起因するそのネットワークサービスエリアにおける信号減衰を説明する信号伝播モデルであることができる。環境上の特徴の例は、建物の材料、家具の材料と形状、占有者の数と位置、及び、部屋、廊下、ドア、及び壁の建築上の内部形状であることができる。ネットワークサービスエリアの環境上の特徴は、ＡＤモデルのパラメータを定義することができる。環境上の特徴の多様性及び環境上の特徴の時間的変化は、ＡＤモデルからの計算された信号特性と測定された信号特性との間の偏差を増大させ、従って、モバイルデバイス測位精度を低下させる可能性がある。ＡＤ学習プロセスを用いることで、ネットワークサービスエリアにおけるモバイルデバイスの測位のために使用されるＡＤモデルを動的に更新する及び向上させるために、測定された信号特性からのＡＤモデル化されて計算された信号特性の偏差を繰り返し方式で評価することができる。該動的に更新されたモデルは、環境上の特徴の複雑性及び時間的変動にかかわらず位置決定精度を向上させることができる。
【発明の概要】
【０００２】
［０００２］本開示によるネットワークサービスエリアにおけるモバイルデバイスの位置を決定する方法の一例は、モバイルデバイスの位置に関する第１の測位要求を受信することと、第１の測位要求を受信したことに応答して、第１の信号特性測定値を受信することと、第１の信号特性測定値に基づいて第１の演繹的（ａ  ｐｒｉｏｒｉ）モバイルデバイス位置エリアを推定することと、選択されたＡＤモデルを決定することと、選択されたＡＤモデルを用いてモバイルデバイスの位置を決定することと、を含むことができる。
【０００３】
［０００３］該方法の実装は、次の特徴のうちの１つ以上を含むことができる。その方法は、モバイルデバイスの位置に基づく第１の位置情報を格納することと、モバイルデバイスの位置に基づく第１の位置情報を送信することと、を含むことができる。選択されたＡＤモデルを決定することは、一組のＡＤモデルのうちの各ＡＤモデルに関する信号特性を計算することと、各ＡＤモデルに関する第１の偏差を決定するために計算された信号特性を第１の信号特性測定値と比較することと、第１の偏差に基づいて第１の信頼度スコアを決定することと、第１の資格を有する（ｑｕａｌｉｆｙｉｎｇ）一組のＡＤモデルを決定するために各ＡＤモデルの第１の信頼度スコアを信頼度スコアスレショルドと比較することと、第１の資格を有する一組のＡＤモデル及び第１の信号特性測定値に基づいて第１のコスト関数を決定することと、第１のコスト関数を最小化し及び第１の資格を有する一組のＡＤモデルのうちの１つのモデルである選択されたＡＤモデルを決定することと、を含むことができる。信頼度スコアスレショルドは、ヒューリスティックに決定すること及び調整することができる。方法は、各ＡＤモデルに関する第１の偏差を決定するために第１の信号特性測定値及び格納された信号特性測定値に基づいて計算された信号特性を統計パラメータと比較することを含むことができる。統計パラメータは、平均又は加重平均を含むことができる。ネットワークサービスエリアは、複数のセクタに分割することができ、複数のセクタのうちの各セクタは、ネットワークサービスエリアの１つのセクションである。選択されたＡＤモデルを決定することは、一組のＡＤモデルのうちの各ＡＤモデルに関する各セクタに関する信号特性を計算することと、各セクタに関する各ＡＤモデルに関する第１の偏差を決定するために第１の信号特性測定値を計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むことができる。各ＡＤモデルに関する決定された信頼度スコアに基づいてセクタ数を動的に調整することができる。選択されたＡＤモデルを決定することは、一組のＡＤモデルのうちの各ＡＤモデルに関する推定された第１の演繹的モバイルデバイス位置エリア内の各セクタに関する信号特性を計算することと、推定された第１の演繹的モバイルデバイス位置エリア内の各セクタに関する各ＡＤモデルに関する第１の偏差を決定するために第１の信号特性測定値を推定された第１の演繹的モバイルデバイス位置エリア内の各セクタに関する計算された信号特性と比較することと、推定された第１の演繹的モバイルデバイス位置エリア内の各セクタに関する各ＡＤモデルに関する第１の偏差に基づいて推定された第１の演繹的モバイル位置エリア内の各セクタに関する各ＡＤモデルに関する第１の信頼度スコアを決定することと、推定された第１の演繹的モバイルデバイス位置エリア内の各セクタに関する第１の資格を有する一組のＡＤモデルを決定するために推定された第１の演繹的モバイルデバイス位置エリア内の各セクタに関する各ＡＤモデルの第１の信頼度スコアを信頼度スコアスレショルドと比較することと、推定された第１の演繹的モバイルデバイス位置エリア内の各セクタに関する第１の資格を有する一組のＡＤモデル及び第１の信号特性測定値に基づいて第１のコスト関数を決定することと、推定された第１の演繹的モバイルデバイス位置エリア内の各セクタに関して、推定された第１の演繹的モバイルデバイス位置エリア内の各セクタにおいて評価された第１のコスト関数を最小化し及び資格を有する一組のＡＤモデルのうちの１つのＡＤモデルである推定された第１の演繹的モバイルデバイス位置エリア内の各セクタに関する選択されたＡＤモデルを決定することと、を含むことができる。方法は、第２の測位要求を受信することと、第２の測位要求を受信したことに応答して、第２の信号特性測定値を受信することと、第２の信号特性測定値に基づいて第２の演繹的モバイルデバイス位置エリアを推定することと、第２の信号特性測定値に基づいて選択されたＡＤモデル信頼度スコアを決定することと、選択されたＡＤモデル信頼度スコアが受け入れ可能な信頼度スコアである又は受け入れ不能な信頼度スコアであると決定することと、を含むことができる。選択されたＡＤモデル信頼度スコアが受け入れ可能な信頼度スコアであることに応答して、方法は、一組のＡＤモデルのうちの各ＡＤモデルに関する信号特性を計算することと、各ＡＤモデルに関する第２の偏差を決定するために第２の信号特性測定値を計算された信号特性と比較することと、第２の偏差に基づいて各ＡＤモデルに関する第２の信頼度スコアを決定することと、選択されたＡＤモデルを用いてモバイルデバイスの位置を決定することと、を含むことができる。選択されたＡＤモデル信頼度スコアが受け入れ不能な信頼度スコアであることに応答して、方法は、一組のＡＤモデルのうちの各ＡＤモデルに関する信号特性を計算することと、各ＡＤモデルに関する第２の偏差を決定するために第２の信号特性測定値を計算された信号特性と比較することと、第２の偏差に基づいて各ＡＤモデルに関する第２の信頼度スコアを決定することと、第２の資格を有する一組のＡＤモデルを決定するために各ＡＤモデルの第２の信頼度スコアを信頼度スコアスレショルドと比較することと、第２の資格を有する一組のＡＤモデル及び第２の信号特性測定値に基づいて第２のコスト関数を決定することと、第２のコスト関数を最小化し及び資格を有する一組のＡＤモデルのうちの１つのＡＤモデルである更新された選択されたＡＤモデルを決定することと、更新された選択されたＡＤモデルを用いてモバイルデバイスの位置を決定することと、を含むことができる。
【０００４】
［０００４］本開示によるネットワークサービスエリアにおけるモバイルデバイスの位置を決定するための方法の一例は、第１の測位要求を送信することと、第１の測位要求に応答して、第１の信号特性測定値を受信し、第１の信号特性測定値に基づいて第１の演繹的モバイルデバイス位置エリアを推定し、選択されたＡＤモデルを決定し、及び、選択されたＡＤモデルを用いてモバイルデバイスの位置を決定することによって決定されたモバイルデバイスの位置に基づく第１の位置情報を受信することと、含むことができる。
【０００５】
［０００５］該方法の実装は、次の特徴のうちの１つ以上を含むことができる。選択されたＡＤモデルを決定することは、一組のＡＤモデルのうちの各ＡＤモデルに関する信号特性を計算することと、各ＡＤモデルに関する第１の偏差を決定するために計算された信号特性を第１の信号特性測定値と比較することと、各ＡＤモデルに関して、第１の偏差に基づいて第１の信頼度スコアを決定することと、第１の資格を有する一組のＡＤモデルを決定するために各ＡＤモデルの第１の信頼度スコアを信頼度スコアスレショルドと比較することと、第１の資格を有する一組のＡＤモデル及び第１の信号特性測定値に基づいて第１のコスト関数を決定することと、第１のコスト関数を最小化し及び第１の資格を有する一組のＡＤモデルのうちの１つのＡＤモデルである選択されたＡＤモデルを決定することと、を含むことができる。ネットワークサービスエリアは、複数のセクタに分割することができ、複数のセクタのうちの各セクタは、ネットワークサービスエリアの１つのセクションである。選択されたＡＤモデルを決定することは、一組のＡＤモデルのうちの各ＡＤモデルに関する各セクタに関する信号特性を計算することと、各セクタに関する各ＡＤモデルに関する第１の偏差を決定するために第１の信号特性測定値を各セクタに関する計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むことができる。方法は、第２の測位要求を送信することと、第２の測位要求に応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、選択されたＡＤモデル信頼度スコアが受け入れ可能な信頼度スコアである又は受け入れ不能な信頼度スコアであると決定することによって決定されたモバイルデバイスの位置に基づく第２の位置情報を受信することと、を含むことができる。選択されたＡＤモデル信頼度スコアが受け入れ可能な信頼度スコアであることに応答して、方法は、一組のＡＤモデルのうちの各ＡＤモデルに関する信号特性を計算することと、各ＡＤモデルに関する第２の偏差を決定するために第２の信号特性測定値を計算された信号特性と比較することと、第２の偏差に基づいて各ＡＤモデルに関する第２の信頼度スコアを決定することと、選択されたＡＤモデルを用いてモバイルデバイスの位置を決定することと、を含むことができる。選択されたＡＤモデル信頼度スコアが受け入れ不能な信頼度スコアであることに応答して、方法は、一組のＡＤモデルのうちの各ＡＤモデルに関する信号特性を計算することと、各ＡＤモデルに関する第２の偏差を決定するために第２の信号特性測定値を計算された信号特性と比較することと、第２の偏差に基づいて各ＡＤモデルに関する第２の信頼度スコアを決定することと、第２の資格を有する一組のＡＤモデルを決定するために各ＡＤモデルの第２の信頼度スコアを信頼度スコアスレショルドと比較することと、第２の資格を有する一組のＡＤモデル及び第２の信号特性測定値に基づいて第２のコスト関数を決定することと、第２のコスト関数を最小化し及び一組のＡＤモデルのうちの１つのＡＤモデルである更新された選択されたＡＤモデルを決定することと、更新された選択されたＡＤモデルを用いてモバイルデバイスの位置を決定することと、を含むことができる。
【０００６】
［０００６］本開示によるネットワークサービスエリアにおけるモバイルデバイスの位置を決定するための装置の一例は、モバイルデバイスの位置に関する第１の測位要求を受信するように構成された１つ以上のプロセッサを含むことができる。第１の測位要求を受信したことに応答して、それらの１つ以上のプロセッサは、第１の信号特性測定値を受信し、第１の信号特性測定値に基づいて第１の演繹的モバイルデバイス位置エリアを推定し、選択されたＡＤモデルを決定し、及び、選択されたＡＤモデルを用いてモバイルデバイスの位置を決定するように構成することができる。
【０００７】
［０００７］該装置の実装は、次の特徴のうちの１つ以上を含むことができる。その装置は、モバイルデバイスの位置に基づく第１の位置情報を格納するように構成されたメモリを含むことができる。１つ以上のプロセッサは、モバイルデバイスの位置に基づく第１の位置情報を送信するように構成することができる。１つ以上のプロセッサは、一組のＡＤモデルのうちの各ＡＤモデルに関する信号特性を計算し、各ＡＤモデルに関する第１の偏差を決定するために計算された信号特性を第１の信号特性測定値と比較し、第１の偏差に基づいて各ＡＤモデルに関する第１の信頼度スコアを決定し、第１の資格を有する一組のＡＤモデルを決定するために各ＡＤモデルの第１の信頼度スコアを信頼度スコアスレショルドと比較し、第１の資格を有する一組のＡＤモデル及び第１の信号特性測定値に基づいて第１のコスト関数を決定し、及び、第１のコスト関数を最小化し及び第１の資格を有する一組のＡＤモデルのうちの１つのモデルである選択されたＡＤモデルを決定することによって選択されたＡＤモデルを決定するように構成することができる。信頼度スコアスレショルドは、ヒューリスティックに決定すること及び調整することができる。１つ以上のプロセッサは、各ＡＤモデルに関する第１の偏差を決定するために第１の信号特性測定値及び格納された信号特性測定値に基づいて計算された信号特性を統計パラメータと比較するように構成することができる。統計パラメータは、平均又は加重平均を含むことができる。ネットワークサービスエリアは、複数のセクタに分割することができ、複数のセクタのうちの各セクタは、ネットワークサービスエリアの１つのセクションである。１つ以上のプロセッサは、一組のＡＤモデルのうちの各ＡＤモデルに関する各セクタに関する信号特性を計算することと、各セクタに関する各ＡＤモデルに関する第１の偏差を決定するために第１の信号特性測定値を各セクタに関する計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する各ＡＤモデルの第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むステップによって選択されたＡＤモデルを決定するように構成することができる。各ＡＤモデルに関する決定された信頼度スコアに基づいてセクタ数を動的に調整することができる。１つ以上のプロセッサは、一組のＡＤモデルのうちの各ＡＤモデルに関する推定された第１の演繹的モバイルデバイス位置エリア内の各セクタに関する信号特性を計算することと、推定された第１の演繹的モバイルデバイス位置エリア内の各セクタに関する各ＡＤモデルに関する第１の偏差を決定するために第１の信号特性測定値を推定された第１の演繹的モバイルデバイス位置エリア内の各セクタに関する計算された信号特性と比較することと、推定された第１の演繹的モバイルデバイス位置エリア内の各セクタに関する各ＡＤモデルに関する第１の偏差に基づいて推定された第１の演繹的モバイル位置エリア内の各セクタに関する各ＡＤモデルに関する第１の信頼度スコアを決定することと、推定された第１の演繹的モバイル位置エリア内の各セクタに関する第１の資格を有する一組のＡＤモデルを決定するために推定された第１の演繹的モバイルデバイス位置エリア内の各セクタに関する各ＡＤモデルの第１の信頼度スコアを信頼度スコアスレショルドと比較することと、推定された第１の演繹的モバイルデバイス位置エリア内の各セクタに関する第１の資格を有する一組のＡＤモデル及び第１の信号特性測定値に基づいて第１のコスト関数を決定することと、推定された第１の演繹的モバイルデバイス位置エリア内の各セクタにおいて評価された第１のコスト関数を最小化し及び資格を有する一組のＡＤモデルのうちの１つのＡＤモデルである推定された第１の演繹的モバイルデバイス位置エリア内の各セクタに関する選択されたＡＤモデルを決定することと、を含むステップによって選択されたＡＤモデルを決定するように構成することができる。１つ以上のプロセッサは、第２の測位要求を受信するように、及び、第２の測位要求を受信したことに応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、及び、選択されたＡＤモデル信頼度スコアが受け入れ可能な信頼度スコアである又は受け入れ不能な信頼度スコアであると決定するように構成することができる。選択されたＡＤモデル信頼度スコアが受け入れ可能な信頼度スコアであることに応答して、１つ以上のプロセッサは、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定するように構成することができる。選択されたＡＤモデル信頼度スコアが受け入れ不能な信頼度スコアであることに応答して、１つ以上のプロセッサは、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組のＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び資格を有する一組のＡＤモデルのうちの１つのＡＤモデルである更新された選択されたＡＤモデルを決定し、及び、更新された選択されたＡＤモデルを用いてモバイルデバイスの位置を決定するように構成することができる。
【０００８】
［０００８］本開示によるネットワークサービスエリアにおけるモバイルデバイスの位置を決定するための装置の一例は、第１の測位要求を送信するように構成され、及び、第１の測位要求に応答して、第１の信号特性測定値を受信し、第１の信号特性測定値に基づいて第１の演繹的モバイルデバイス位置エリアを推定し、選択されたＡＤモデルを決定し、及び選択されたＡＤモデルを用いてモバイルデバイスの第１の位置を決定することによって決定されたモバイルデバイスの位置に基づく第１の位置情報を受信するように構成されたトランシーバを含むことができる。
【０００９】
［０００９］該装置の実装は、次の特徴のうちの１つ以上を含むことができる。選択されたＡＤモデルを決定することは、一組のＡＤモデルのうちの各ＡＤモデルに関する信号特性を計算することと、各ＡＤモデルに関する第１の偏差を決定するために計算された信号特性を第１の信号特性測定値と比較することと、第１の偏差に基づいて各ＡＤモデルに関する第１の信頼度スコアを決定することと、第１の資格を有する一組のＡＤモデルを決定するために各ＡＤモデルの第１の信頼度スコアを信頼度スコアスレショルドと比較することと、第１の資格を有する一組のＡＤモデル及び第１の信号特性測定値に基づいて第１のコスト関数を決定することと、第１のコスト関数を最小化し及び第１の資格を有する一組のＡＤモデルのうちの１つのモデルである選択されたＡＤモデルを決定することと、を含むことができる。ネットワークサービスエリアは、複数のセクタに分割することができ、複数のセクタのうちの各セクタは、ネットワークサービスエリアの１つのセクションである。選択されたＡＤモデルを決定することは、一組のＡＤモデルのうちの各ＡＤモデルに関する各セクタに関する信号特性を計算することと、各セクタに関する各ＡＤモデルに関する第１の偏差を決定するために第１の信号特性測定値を各セクタに関する計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むことができる。トランシーバは、第２の測位要求を送信するように、及び、第２の測位要求に応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、及び、選択されたＡＤモデル信頼度スコアが受け入れ可能な信頼度スコアである又は受け入れ不能な信頼度スコアであると決定することによって決定されたモバイルデバイスの位置に基づく第２の位置情報を受信するように構成することができる。選択されたＡＤモデル信頼度スコアが受け入れ可能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定することによって決定することができる。選択されたＡＤモデル信頼度スコアが受け入れ不能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組ＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び資格を有する一組のＡＤモデルのうちの１つのＡＤモデルである更新された選択されたＡＤモデルを決定し、及び、更新された選択されたＡＤモデルを用いてモバイルデバイスの位置を決定することによって決定することができる。
【００１０】
［００１０］本開示によるネットワークサービスエリアにおけるモバイルデバイスの位置を決定するための装置の一例は、モバイルデバイスの位置に関する第１の測位要求を受信するための手段と、第１の測位要求を受信したことに応答して、第１の信号特性測定値を受信し、第１の信号特性測定値に基づいて第１の演繹的モバイルデバイス位置エリアを推定し、ＡＤモデルを決定し、及び、選択されたＡＤモデルを用いてモバイルデバイスの位置を決定するための手段と、を含むことができる。
【００１１】
［００１１］該装置の実装は、次の特徴のうちの１つ以上を含むことができる。その装置は、モバイルデバイスの位置に基づく第１の位置情報を格納するための手段と、モバイルデバイスの位置に基づく第１の位置情報を送信するための手段と、を含むことができる。選択されたＡＤモデルを決定するための手段は、一組のＡＤモデルのうちの各ＡＤモデルに関する信号特性を計算するための手段と、各ＡＤモデルに関する第１の偏差を決定するために計算された信号特性を第１の信号特性測定値と比較するための手段と、各ＡＤモデルに関する第１の偏差を決定するために計算された信号特性を第１の信号特性測定値と比較するための手段と、第１の偏差に基づいて各ＡＤモデルに関する第１の信頼度スコアを決定するための手段と、第１の資格を有する一組のＡＤモデルを決定するために各ＡＤモデルの第１の信頼度スコアを信頼度スコアスレショルドと比較するための手段と、第１の資格を有する一組のＡＤモデル及び第１の信号特性測定値に基づいて第１のコスト関数を決定するための手段と、第１のコスト関数を最小化し及び第１の資格を有する一組のＡＤモデルのうちの１つのモデルである選択されたＡＤモデルを決定するための手段と、を含むことができる。信頼度スコアスレショルドは、ヒューリスティックに決定すること及び調整することができる。装置は、各ＡＤモデルに関する第１の偏差を決定するために第１の信号特性測定値及び格納された信号特性測定値に基づいて計算された信号特性を統計パラメータと比較するための手段を含むことができる。統計パラメータは、平均又は加重平均を含むことができる。ネットワークサービスエリアは、複数のセクタに分割することができ、複数のセクタのうちの各セクタは、ネットワークサービスエリアの１つのセクションである。選択されたＡＤモデルを決定するための手段は、一組のＡＤモデルのうちの各ＡＤモデルに関する各セクタに関する信号特性を計算するための手段と、各セクタに関する各ＡＤモデルに関する第１の偏差を決定するために第１の信号特性測定値を各セクタに関する計算された信号特性と比較するための手段と、各セクタに関する各ＡＤモデルに関する第１の偏差に基づいて各セクタに関する各ＡＤモデルに関する第１の信頼度スコアを決定するための手段と、各セクタに関する第１の資格を有する一組のＡＤモデルを決定するために各セクタに関する各ＡＤモデルの第１の信頼度スコアを信頼度スコアスレショルドと比較するための手段と、各セクタに関する第１の資格を有する一組のＡＤモデル及び第１の信号特性測定値に基づいて第１のコスト関数を決定するための手段と、各セクタにおいて評価された第１のコスト関数を最小化し及び第１の資格を有する一組のＡＤモデルのうちの１つのＡＤモデルである各セクタに関する選択されたＡＤモデルを決定するための手段と、を含むことができる。各ＡＤモデルに関する決定された信頼度スコアに基づいてセクタ数を動的に調整することができる。ネットワークサービスエリアは、複数のセクタに分割することができ、複数のセクタのうちの各セクタは、ネットワークサービスエリアの１つのセクションである。選択されたＡＤモデルを決定するための手段は、一組のＡＤモデルのうちの各ＡＤモデルに関する推定された第１の演繹的モバイルデバイス位置エリア内の各セクタに関する信号特性を計算するための手段と、推定された第１の演繹的モバイルデバイス位置エリア内の各セクタに関する各ＡＤモデルに関する第１の偏差を決定するために第１の信号特性測定値を推定された第１の演繹的モバイルデバイス位置エリア内の各セクタに関する計算された信号特性と比較するための手段と、推定された第１の演繹的モバイルデバイス位置エリア内の各セクタに関する各ＡＤモデルに関する第１の偏差に基づいて推定された第１の演繹的モバイル位置エリア内の各セクタに関する各ＡＤモデルに関する第１の信頼度スコアを決定するための手段と、推定された第１の演繹的モバイルデバイス位置エリア内の各セクタに関する第１の資格を有する一組のＡＤモデルを決定するために推定された第１の演繹的モバイルデバイス位置エリア内の各セクタに関する各ＡＤモデルの第１の信頼度スコアを信頼度スコアスレショルドと比較するための手段と、推定された第１の演繹的モバイルデバイス位置エリア内の各セクタに関する第１の資格を有する一組のＡＤモデル及び第１の信号特性測定値に基づいて第１のコスト関数を決定するための手段と、推定された第１の演繹的モバイルデバイス位置エリア内の各セクタにおいて評価された第１のコスト関数を最小化し及び資格を有する一組のＡＤモデルのうちの１つのＡＤモデルである推定された第１の演繹的モバイルデバイス位置エリア内の各セクタに関する選択されたＡＤモデルを決定するための手段と、を含むことができる。装置は、第２の測位要求を受信するための手段と、第２の測位要求を受信したことに応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、及び、選択されたＡＤモデル信頼度スコアが受け入れ可能な信頼度スコアである又は受け入れ不能な信頼度スコアであると決定するための手段と、を含むことができる。装置は、選択されたＡＤモデル信頼度スコアが受け入れ可能な信頼度スコアであることに応答して、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定するための手段を含むことができる。装置は、選択されたＡＤモデル信頼度スコアが受け入れ不能な信頼度スコアであることに応答して、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組ＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び資格を有する一組のＡＤモデルのうちの１つのＡＤモデルである更新された選択されたＡＤモデルを決定し、及び、更新された選択されたＡＤモデルを用いてモバイルデバイスの位置を決定するための手段を含むことができる。
【００１２】
［００１２］本開示によるネットワークサービスエリアにおけるモバイルデバイスの位置を決定するための装置の一例は、第１の測位要求を送信するための手段と、第１の測位要求に応答して、第１の信号特性測定値を受信し、第１の信号特性測定値に基づいて第１の演繹的モバイルデバイス位置エリアを推定し、選択されたＡＤモデルを決定し、及び、選択されたＡＤモデルを用いてモバイルデバイスの第１の位置を決定することによって決定されたモバイルデバイスの位置に基づく第１の位置情報を受信するための手段と、を含むことができる。
【００１３】
［００１３］該装置の実装は、次の特徴のうちの１つ以上を含むことができる。選択されたＡＤモデルを決定することは、一組のＡＤモデルのうちの各ＡＤモデルに関する信号特性を計算することと、各ＡＤモデルに関する第１の偏差を決定するために計算された信号特性を第１の信号特性測定値と比較することと、第１の偏差に基づいて各ＡＤモデルに関する第１の信頼度スコアを決定することと、第１の資格を有する一組のＡＤモデルを決定するために各ＡＤモデルの第１の信頼度スコアを信頼度スコアスレショルドと比較することと、第１の資格を有する一組のＡＤモデル及び第１の信号特性測定値に基づいて第１のコスト関数を決定することと、第１のコスト関数を最小化し及び第１の資格を有する一組のＡＤモデルのうちの１つのＡＤモデルである選択されたＡＤモデルを決定することと、を含むことができる。ネットワークサービスエリアは、複数のセクタに分割することができ、複数のセクタのうちの各セクタは、ネットワークサービスエリアの１つのセクションである。選択されたＡＤモデルを決定することは、一組のＡＤモデルのうちの各ＡＤモデルに関する各セクタに関する信号特性を計算することと、各セクタに関する各ＡＤモデルに関する第１の偏差を決定するために第１の信号特性測定値を各セクタに関する計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むことができる。装置は、第２の測位要求を送信するための手段と、第２の測位要求に応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、選択されたＡＤモデル信頼度スコアが受け入れ可能な信頼度スコアである又は受け入れ不能な信頼度スコアであると決定することによって決定されたモバイルデバイスの位置に基づく第２の位置情報を受信するための手段と、を含むことができる。選択されたＡＤモデル信頼度スコアが受け入れ可能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定することによって決定することができる。選択されたＡＤモデル信頼度スコアが受け入れ不能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組のＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び資格を有する一組のＡＤモデルのうちの１つのＡＤモデルである更新された選択されたＡＤモデルを決定し、及び、更新された選択されたＡＤモデルを用いてモバイルデバイスの位置を決定することによって決定することができる。
【００１４】
［００１４］本開示によるプロセッサによって読み取り可能な記憶媒体に常駐するコンピュータプログラム製品の例は、モバイルデバイスの位置に関する第１の測位要求を受信するために、及び、第１の測位要求に応答して、第１の信号特性測定値を受信し、第１の信号特性測定値に基づいて第１の演繹的モバイルデバイス位置エリアを推定し、選択されたＡＤモデルを決定し、及び、モバイルデバイスの位置は選択されたＡＤモデルを用いて決定されたモバイルデバイスの位置であると決定するために１つ以上のプロセッサによって実行可能なプロセッサによって読み取り可能な命令を含むことができる。
【００１５】
［００１５］該コンピュータプログラム製品の実装は、次の特徴のうちの１つ以上を含むことができる。そのコンピュータプログラム製品は、モバイルデバイスの位置に基づく第１の位置情報を格納し及びモバイルデバイスの位置に基づく第１の位置情報を送信するために１つ以上のプロセッサによって実行可能なプロセッサによって読み取り可能な命令を含むことができる。選択されたＡＤモデルを決定するために１つ以上のプロセッサによって実行可能なプロセッサによって読み取り可能な命令は、一組のＡＤモデルのうちの各ＡＤモデルに関する信号特性を計算し、各ＡＤモデルに関する第１の偏差を決定するために計算された信号特性を第１の信号特性測定値と比較し、第１の偏差に基づいて各ＡＤモデルに関する第１の信頼度スコアを決定し、第１の資格を有する一組のＡＤモデルを決定するために各ＡＤモデルの第１の信頼度スコアを信頼度スコアスレショルドと比較し、第１の資格を有する一組のＡＤモデル及び第１の信号特性測定値に基づいて第１のコスト関数を決定し、及び、第１のコスト関数を最小化し及び第１の資格を有する一組のＡＤモデルのうちの１つのモデルである選択されたＡＤモデルを決定するための命令を含むことができる。信頼度スコアスレショルドは、ヒューリスティックに決定すること及び調整することができる。コンピュータプログラム製品は、各ＡＤモデルに関する第１の偏差を決定するために第１の信号特性測定値及び格納された信号特性測定値に基づいて計算された信号特性を統計パラメータと比較するために１つ以上のプロセッサによって実行可能なプロセッサによって読み取り可能な命令を含むことができる。統計パラメータは、平均又は加重平均を含むことができる。ネットワークサービスエリアは、複数のセクタに分割することができ、複数のセクタのうちの各セクタは、ネットワークサービスエリアの１つのセクションである。選択されたＡＤモデルを決定するために１つ以上のプロセッサによって実行可能なプロセッサによって読み取り可能な命令は、一組のＡＤモデルのうちの各ＡＤモデルに関する各セクタに関する信号特性を計算し、各セクタに関する各ＡＤモデルに関する第１の偏差を決定するために第１の信号特性測定値を計算された信号特性と比較し、各セクタに関する各ＡＤモデルに関する第１の偏差に基づいて各セクタに関する各ＡＤモデルに関する第１の信頼度スコアを決定し、各セクタに関する第１の資格を有する一組のＡＤモデルを決定するために各セクタに関する各ＡＤモデルの第１の信頼度スコアを信頼度スコアスレショルドと比較し、各セクタに関する第１の資格を有する一組のＡＤモデル及び第１の信号特性測定値に基づいて第１のコスト関数を決定し、及び、各セクタにおいて評価された第１のコスト関数を最小化し及び第１の資格を有する一組のＡＤモデルのうちの１つのＡＤモデルである各セクタに関する選択されたＡＤモデルを決定するための命令を含むことができる。各ＡＤモデルに関する決定された信頼度スコアに基づいてセクタ数を動的に調整することができる。ネットワークサービスエリアは、複数のセクタに分割することができ、複数のセクタのうちの各セクタは、ネットワークサービスエリアの１つのセクションである。選択されたＡＤモデルを決定するために１つ以上のプロセッサによって実行可能なプロセッサによって読み取り可能な命令は、一組のＡＤモデルのうちの各ＡＤモデルに関する推定された第１の演繹的モバイルデバイス位置エリア内の各セクタに関する信号特性を計算し、推定された第１の演繹的モバイルデバイス位置エリア内の各セクタに関する各ＡＤモデルに関する第１の偏差を決定するために第１の信号特性測定値を推定された第１の演繹的モバイルデバイス位置エリア内の各セクタに関する計算された信号特性と比較し、推定された第１の演繹的モバイルデバイス位置エリア内の各セクタに関する各ＡＤモデルに関する第１の偏差に基づいて推定された第１の演繹的モバイル位置エリア内の各セクタに関する各ＡＤモデルに関する第１の信頼度スコアを決定し、推定された第１の演繹的モバイルデバイス位置エリア内の各セクタに関する第１の資格を有する一組のＡＤモデルを決定するために推定された第１の演繹的モバイルデバイス位置エリア内の各セクタに関する各ＡＤモデルの第１の信頼度スコアを信頼度スコアスレショルドと比較し、推定された第１の演繹的モバイルデバイス位置エリア内の各セクタに関する第１の資格を有する一組のＡＤモデル及び第１の信号特性測定値に基づいて第１のコスト関数を決定し、及び、推定された第１の演繹的モバイルデバイス位置エリア内の各セクタにおいて評価された第１のコスト関数を最小化し及び資格を有する一組のＡＤモデルのうちの１つのＡＤモデルである推定された第１の演繹的モバイルデバイス位置エリア内の各セクタに関する選択されたＡＤモデルを決定するための命令を含むことができる。コンピュータプログラム製品は、第２の測位要求を受信するために、及び、第２の測位要求を受信したことに応答して、第２の信号特性測定値を受信し、第２の信号特性測定値に基づいて第２の演繹的モバイルデバイス位置エリアを推定し、第２の信号特性測定値に基づいて選択されたＡＤモデル信頼度スコアを決定し、及び、選択されたＡＤモデル信頼度スコアが受け入れ可能な信頼度スコアである又は受け入れ不能な信頼度スコアであると決定するために１つ以上のプロセッサによって実行可能なプロセッサによって読み取り可能な命令を含むことができる。コンピュータプログラム製品は、選択されたＡＤモデル信頼度スコアが受け入れ可能な信頼度スコアであることに応答して、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定するために１つ以上のプロセッサによって実行可能なプロセッサによって実行可能な命令を含むことができる。コンピュータプログラム製品は、選択されたＡＤモデル信頼度スコアが受け入れ不能な信頼度スコアであることに応答して、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組のＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び資格を有する一組のＡＤモデルのうちの１つのＡＤモデルである更新された選択されたＡＤモデルを決定し、及び、更新された選択されたＡＤモデルを用いてモバイルデバイスの位置を決定するために１つ以上のプロセッサによって実行可能なプロセッサによって読み取り可能な命令を含むことができる。
【００１６】
［００１６］本開示によるプロセッサによって読み取り可能な非一時的な記憶媒体に常駐するコンピュータプログラム製品の一例は、第１の測位要求を送信するために、及び第１の測位要求に応答して、第１の信号特性測定値を受信し、第１の信号特性測定値に基づいて第１の演繹的モバイルデバイス位置エリアを推定し、選択されたＡＤモデルを決定し、及び、選択されたＡＤモデルを用いてモバイルデバイスの位置を決定することによって決定されたモバイルデバイスの位置に基づく第１の位置情報を受信するために１つ以上のプロセッサによって実行可能なプロセッサによって読み取り可能な命令を含むことができる。
【００１７】
［００１７］該コンピュータプログラム製品の実装は、次の特徴のうちの１つ以上を含むことができる。選択されたＡＤモデルを決定することは、一組のＡＤモデルのうちの各ＡＤモデルに関する信号特性を計算することと、各ＡＤモデルに関する第１の偏差を決定するために計算された信号特性を第１の信号特性測定値と比較することと、第１の偏差に基づいて各ＡＤモデルに関する第１の信頼度スコアを決定することと、第１の資格を有する一組のＡＤモデルを決定するために各ＡＤモデルの第１の信頼度スコアを信頼度スコアスレショルドと比較することと、第１の資格を有する一組のＡＤモデル及び第１の信号特性測定値に基づいて第１のコスト関数を決定することと、第１のコスト関数を最小化し及び第１の資格を有する一組のＡＤモデルのうちの１つのＡＤモデルである選択されたＡＤモデルを決定することと、を含むことができる。ネットワークサービスエリアは、複数のセクタに分割することができ、複数のセクタのうちの各セクタは、ネットワークサービスエリアの１つのセクションである。選択されたＡＤモデルを決定することは、一組のＡＤモデルのうちの各ＡＤモデルに関する各セクタに関する信号特性を計算することと、各セクタに関する各ＡＤモデルに関する第１の偏差を決定するために第１の信号特性測定値を各セクタに関する計算された信号特性と比較することと、各セクタに関する各ＡＤモデルに関する第１の偏差に基づいて各セクタに関する各ＡＤモデルに関する第１の信頼度スコアを決定することと、各セクタに関する第１の資格を有する一組のＡＤモデルを決定するために各セクタに関する各ＡＤモデルの第１の信頼度スコアを信頼度スコアスレショルドと比較することと、各セクタに関する第１の資格を有する一組のＡＤモデル及び第１の信号特性測定値に基づいて第１のコスト関数を決定することと、各セクタにおいて評価された第１のコスト関数を最小化し及び第１の資格を有する一組のＡＤモデルのうちの１つのＡＤモデルである各セクタに関する選択されたＡＤモデルを決定することと、を含むことができる。コンピュータプログラム製品は、第２の測位要求を送信するために、及び、第２の測位要求に応答して、第２の信号特性測定値を受信し、第２の信号特性測定値に基づいて選択されたＡＤモデル信頼度スコアを決定し、及び、選択されたＡＤモデル信頼度スコアが受け入れ可能な信頼度スコアである又は受け入れ不能な信頼度スコアであると決定することによって決定されたモバイルデバイスの位置に基づく第２の位置情報を受信するために１つ以上のプロセッサによって実行可能なプロセッサによって読み取り可能な命令を含むことができる。選択されたＡＤモデル信頼度スコアが受け入れ可能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、及び、選択されたＡＤモデルを用いてモバイルデバイスの位置を決定することによって決定することができる。選択されたＡＤモデルの信頼度スコアが受け入れ不能な信頼度スコアであることに応答して、モバイルデバイスの位置は、一組のＡＤモデルのうちの各ＡＤモデルに関する信号特性を計算し、各ＡＤモデルに関する第２の偏差を決定するために第２の信号特性測定値を計算された信号特性と比較し、第２の偏差に基づいて各ＡＤモデルに関する第２の信頼度スコアを決定し、第２の資格を有する一組ＡＤモデルを決定するために各ＡＤモデルの第２の信頼度スコアを信頼度スコアスレショルドと比較し、第２の資格を有する一組のＡＤモデル及び第２の信号特性測定値に基づいて第２のコスト関数を決定し、第２のコスト関数を最小化し及び一組のＡＤモデルのうちの１つのＡＤモデルである更新された選択されたＡＤモデルを決定し、及び、更新された選択されたＡＤモデルを用いてモバイルデバイスの位置を決定することによって決定することができる。
【００１８】
［００１８］本発明の実装により、次の能力のうちの１つ以上を提供することができる。測位要求を受信することに応答して、信号特性測定値を受信することができる。信号特性測定値に基づいて演繹的モバイルデバイス位置エリアを推定することができる。信号特性は、一組のＡＤモデルに関して計算することができる。計算された信号特性と信号特性測定値との間の決定された偏差に基づいて各ＡＤモデルに関する信頼度スコアを決定することができる。信頼度スコアは、コスト関数に関する資格を有する一組のＡＤモデルを決定するためにスレショルドと比較することができる。コスト関数は、資格を有する一組のＡＤモデル及び信号特性測定値に基づいて決定することができる。コスト関数を最小化する選択されたＡＤモデルを決定することができる。モバイルデバイスの位置は、選択されたＡＤモデルを用いて決定することができる。選択されたＡＤモデルは、後続する信号特性測定値に基づいて決定された選択されたＡＤモデル信頼度スコアに基づいて後続する測位要求に関して更新することができる。その他の能力を提供することができ、さらに、本開示によるすべての実装が論じられるいずれかの能力を提供しなければならないわけではなく、すべての能力を提供しなければならないわけではないことは言うまでもない。さらに、上記される効果は、注記される以外の手段によって達成させることが可能であり、及び、注記される項目／技法は、注記される効果を必ずしも生み出すわけではない。
【図面の簡単な説明】
【００１９】
［００１９］添付される図において、類似するコンポーネント及び／又は特徴は、同じ参照ラベルを有することができる。さらに、同じタイプの様々なコンポーネントは、ダッシュ線を有する後続する参照ラベル及び類似するコンポーネントを区別する第２のラベルによって区別することができる。明細書において第１の参照ラベルのみが使用される場合は、説明は、第２の参照ラベルにかかわらず同じ第１の参照ラベルを有する類似するコンポーネントのうちのいずか１つに適用することができる。
【図１】［００２０］補助データの学習によるネットワークに基づくモバイルデバイス測位システムに関するシステムコンポーネントの図である。
【図１Ａ】［００２１］モバイルデバイスシステムコンポーネントの概略図である。
【図１Ｂ】［００２２］測位要求及び位置情報交換のシステムの概略図である。
【図１Ｃ】［００２３］信号送信、信号特性測定値要求、及び信号特性測定値送信のシステムの概略図である。
【図２】［００２４］補助データの学習によるネットワークに基づくモバイルデバイス測位の方法に関するプロセス図である。
【図３】［００２５］補助データの学習に関するプロセス図である。
【図４】［００２６］スコアリングテーブルの例である。
【図５】［００２７］演繹的モバイルデバイス位置に基づくセクタ選択の概略図である。
【図６】［００２８］複数のセクタによる補助データの学習に関するプロセス図である。
【発明を実施するための形態】
【００２０】
［００２９］モバイルデバイス測位のために使用されるＡＤモデルを繰り返し評価して向上させるソフトウェア及び／又はハードウェアによって実装されるアルゴリズムを用いたモバイルデバイスの測位のための技法が提供される。以下において論じされる技法は、例として挙げたものであるにすぎず、本開示によるその他の実装が可能であるため限定するものではない。説明される技法は、方法、装置、又はシステムとして実装することができ、コンピュータによって読み取り可能な媒体において具現化することができる。
【００２１】
［００３０］特定のモバイルデバイスに関する測位要求が受信される。測位要求に応答して、信号特性の測定値がネットワークサービスエリア内のＡＰに要求される。受信された信号特性測定値及び以前に格納された一組のＡＤモデルから演繹的デバイス位置エリアが推定される。ネットワークサービスエリアは、複数のセクタに分割される。推定された演繹的モバイルデバイス位置エリア内の各セクタに関して、ＡＤモデルを用いた計算された信号特性と測定された信号特性との間の偏差が決定される。各セクタ内の各モデルに関する信頼度スコアが偏差に基づいて計算され、スコアリングテーブルに格納される。信頼度スコアスレショルド以上の信頼度スコアを有する資格を有する一組のＡＤモデルを決定するために信頼度スコアが信頼度スコアスレショルドと比較される。信号特性測定値及び資格を有する一組のＡＤモデルを用いてネットワークエリアに関するコスト関数が決定される。モバイルデバイス位置は、各セクタにおいて評価されるコスト関数を数学的に最小化する各セクタに関する選択されたＡＤモデルを用いて決定される。前の測位要求と同じモバイルデバイスに関して又は前の測位要求と異なるモバイルデバイスに関して後続する測位要求が受信される。後続する測位要求を用いて、各セクタに関する選択されたＡＤモデルの信頼度スコアが、後続する測位要求とともに受信されて受け入れ不能又は受け入れ可能であることが決定された測定された信号特性に基づいて決定される。各セクタに関する選択されたＡＤモデルの信頼度スコアが受け入れ不能であると決定された場合は、各セクタに関する選択されたＡＤモデルは、偏差を決定するステップ、信頼度スコアを決定するステップ、資格を有する一組のＡＤモデルを決定するステップ、コスト関数を決定するステップ、及びコスト関数を最小化するステップを繰り返すことによって更新される。モバイルデバイス位置は、各セクタに関する更新された選択されたＡＤモデルを用いて決定される。各セクタに関する選択されたＡＤモデルの信頼度スコアが受け入れ可能であると決定された場合は、ＡＤモデルの信頼度スコアが更新されてスコアリングテーブルに格納され、モバイルデバイス位置は、前の測位決定から選択されたＡＤモデルを用いて決定される。各測位要求を有する選択されたＡＤモデルの信頼度スコアを評価し、信頼度スコアが受け入れ不能である場合は選択されたＡＤモデルを更新することによって、モバイルデバイス位置を決定するために使用されるＡＤモデルが動的に更新及び向上される。
【００２２】
［００３１］図１を参照し、補助データの学習によってモバイルデバイスの位置を決定するためにシステム１００が示される。システム１００は、例であるにすぎず、限定するものではなく、例えば、コンポーネントを追加する、取り除く、再配置する、又は組み合わせることによって変更することができる。一実施形態においては、システム１００は、１つ以上のモバイルデバイス１１０−ａ、１１０−ｂ、及び１１０−ｃ（総じてモバイルデバイス１１０と時々呼ばれる）と、１つ以上のＡＰ１２０−ａ、１２０−ｂ、及び１２０−ｃ（総じてＡＰ１２０と時々呼ばれる）と、ネットワーク１３０と、１つ以上の無線ローカルエリアネットワーク（ＷＬＡＮ）コントローラ１４０と、１つ以上の測位サーバ１５０と、１つ以上のネットワークサーバ１６０と、を含むことができる。
【００２３】
［００３２］モバイルデバイス１１０、ＡＰ１２０、ネットワークコントローラ１４０、ネットワークサーバ１６０、測位サーバ１５０は、例えば、無線及び／又は有線の通信リンクを介して様々な通信ネットワーク１３０とともに使用するために（例えば、１つ以上のネットワークインタフェースを介して）イネーブルにすることができる。該通信ネットワーク１３０の例は、無線ワイドエリアネットワーク（ＷＷＡＮ）、無線ローカルエリアネットワーク（ＷＬＡＮ）、無線パーソナルエリアネットワーク（ＷＰＡＮ）、等を含み、ただしそれらに限定されない。用語“ネットワーク”及び“システム”は、ここにおいては互換可能な形で使用することができる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波周波数分割多元接続（ＳＣ−ＦＤＭＡ）ネットワーク、等であることができる。ＣＤＭＡネットワークは、１つ以上の無線アクセス技法（ＲＡＴ）、例えば、幾つかの無線技術を挙げると、ｃｄｍａ２０００、ワイドバンド−ＣＤＭＡ（Ｗ−ＣＤＭＡ）、時分割同期符号分割多元接続（ＴＤ−ＳＣＤＭＡ）、を実装することができる。ここで、ｃｄｍａ２０００は、ＩＳ−９５規格、ＩＳ−２０００規格、及びＩＳ−８５６規格に準拠して実装される技術を含むことができる。ＴＤＭＡネットワークは、グローバル移動体通信システム（ＧＳＭ（登録商標））、デジタルアドバンスト携帯電話システム（Ｄ−ＡＭＰＳ）、又はその他のＲＡＴを実装することができる。ＧＳＭ及びＷ−ＣＤＭＡは、“第三世代パートナーシッププロジェクト”（３ＧＰＰ）という名称のコンソーシアムからの文書において記述される。ｃｄｍａ２０００は、第三世代パートナーシッププロジェクト２”（３ＧＰＰ２）という名称のコンソーシアムからの文書において記述される。３ＧＰＰ及び３ＧＰＰ２の文書は、公に入手可能である。ＷＬＡＮは、ＩＥＥＥ８０２．１１ｘネットワークを含むことができ、ＷＰＡＮは、Ｂｌｕｅｔｏｏｔｈ（登録商標）ネットワーク、ＩＥＥＥ８０２．１５ｘ、等を含むことができる。無線通信ネットワークは、いわゆる次世代技術（例えば、“４Ｇ”）、例えば、ロングタームエボリューション（Ｌｏｎｇ  Ｔｅｒｍ  Ｅｖｏｌｕｔｉｏｎ）（ＬＴＥ）、アドバンストＬＴＥ、ＷｉＭＡＸ、ウルトラモバイルブロードバンド（ＵＭＢ）、等を含むことができる。
【００２４】
［００３３］ネットワーク１３０は、ネットワークサービスエリアと関連させることができる。ネットワークサービスエリアは、屋内構造物のうちの全体又は一部を成すことができる。屋内構造物の例は、本発明を限定することなしに、学校、オフィスビル、店舗、スタジアム、アリーナ、コンベンションセンター、モール、トンネル、橋、歩道、等によって接続された建物の集合体、空港、遊園地、庭園、中庭、駐車場、学校又は企業のキャンパス、及びそれらの小区分のあらゆる組み合わせを含む。例えば、本発明を限定することなしに、ネットワークサービスエリアは、１つ以上の屋内構造物全体、又は、屋内構造物内の特定の床、部屋、エリア、床の集まり、又は部屋の集まり、であることができる。
【００２５】
［００３４］ネットワークコントローラ１４０は、１つ以上のＡＰ１２０と測位及びネットワークサーバ１５０及び１６０との間のネットワーク通信を管理及び制御することができる。ネットワークコントローラ１４０は、これらの通信を管理及び制御するためのハードウェア及びソフトウェアを含む。
【００２６】
［００３５］１つ以上のＡＰ１２０は、ネットワークコントローラ１４０と及び１つ以上のモバイルデバイス１１０と通信することができる。１つ以上のＡＰ１２０は、無線ＡＰ（ＷＡＰ）であることができ、１つ以上のモバイルデバイス１１０及びネットワーク１３０とともに使用されるあらゆるタイプの地上無線送信機であることができ、例えば、ＷｉＦｉ／ＷＬＡＮ  ＡＰ、フェムトセルノード又はトランシーバ、ピコセルノード又はトランシーバ、ＷｉＭＡＸノードデバイス、ビーコン、ＷｉＦｉ基地局、ノードＢ、エボルブドノードＢ（ＥｎＢ）、Ｂｌｕｅｔｏｏｔｈトランシーバ、等を含む。各ＡＰ１２０−ａ、ｂ、及びｃは、移動可能なノードであることができ、又は、再配置することができる。図１には３つのＡＰ１２０が示されているが、この数は一例であり、限定するものでない。すなわち、あらゆる数のＡＰ１２０をネットワーク１３０と関連させること及び／又はネットワーク１３０に含めることができる。ＡＰの数はＫであることができ、ここで、Ｋは、１以上の整数である。
【００２７】
［００３６］一実施形態においては、各ＡＰ１２０−ａ、ｂ、及びｃは、一意のＡＰ識別子、例えば、ＭＡＣアドレス、に関連し、例えば、限定することなしに、ＲＴＴ、ＲＳＳＩ、及びＣＦＲを含む様々なタイプの信号特性測定値を収集するように構成される。ＡＰ識別子は、識別されたＡＰを含むことが知られているネットワークサービスエリアを識別するために位置決定モジュール１７０によって使用することができる。
【００２８】
［００３７］モバイルデバイス１１０は、ユーザによって妥当な範囲で動き回らせることができるあらゆる電子デバイスを代表することが意図される。モバイルデバイス１１０の例は、ワイヤレスチップと、移動局と、携帯電話と、スマートフォンと、ユーザ装置と、ネットブックと、ラップトップコンピュータと、タブレット又はスレートコンピュータと、娯楽機器と、ナビゲーションデバイスと、それらのあらゆる組み合わせと、を含み、ただし、それらに限定されない。請求される主題は、モバイルデバイスのいずれの特定のタイプ、カテゴリ、サイズ、能力、等にも限定されない。モバイルデバイスは、１つ以上のセルラーネットワーク、等と動作可能な形で関連させることができる。
【００２９】
［００３８］図１には３つのモバイルデバイス１１０が示されているが、この数は一例であり、限定するものでない。すなわち、あらゆる数のモバイルデバイス１１０をネットワーク１３０と関連させること及び／又はネットワーク１３０に含めることができる。
【００３０】
［００３９］図１に関する図１Ａを参照し、モバイルデバイス１１０の例に含まれているコンポーネントが例示される。１つ以上のモバイルデバイス１１０は、無線ネットワーク１３０を通じて無線アンテナ１５を介して無線信号１９を送信及び受信する無線トランシーバ４５を含む。図１では、明確化を目的として、各無線デバイス１１０−ａ、ｂ、及びｃとＡＰ１２０−ａとの間での無線信号１９が示されているが、本発明を限定せず、無線信号１９は、あらゆるモバイルデバイス１１０からあらゆるＡＰ１２０に及びあらゆるＡＰ１２０から送信される。トランシーバ４５は、モバイルデバイスプロセッサ２５及びモバイルデバイスメモリ３５に通信可能な形で結合される。しかしながら、モバイルデバイス１１０は、代替として、複数の通信規格、例えば、Ｗｉ−Ｆｉ、符号分割多元接続（ＣＤＭＡ）、ワイドバンド−ＣＤＭＡ（ＷＣＤＭＡ（登録商標））、ロングタームエボリューション（ＬＴＥ）、Ｂｌｕｅｔｏｏｔｈ、等、をサポートするために複数の無線トランシーバ４５及び無線アンテナ１５を有することができる。
【００３１】
［００４０］図１Ａには１つのプロセッサ及び１つのメモリのみが示されているが、これらのコンポーネントのうちの２つ以上が１つ以上のモバイルデバイス１１０の一部であることができる。ここにおいて使用される場合、プロセッサ２５は、１つ以上のマイクロプロセッサ、埋込型プロセッサ、コントローラ、特定用途向け集積回路（ＡＳＩＣ）、デジタル信号プロセッサ（ＤＳＰ）、等を含むことができるが、必ずしも必要ではないことが理解されるであろう。用語プロセッサは、特定のハードウェアではなくシステムによって実装される機能について説明することが意図される。無線信号１９からの情報の格納は、メモリ３５を用いて行われる。メモリ３５は、１つ以上の命令又はコードとして機能を格納する非一時的なコンピュータによって読み取り可能な記憶媒体（又は複数の媒体）を含む。用語メモリは、ここにおいて使用される場合、概してあらゆるタイプのコンピュータ記憶媒体を意味し、ＲＡＭ、ＲＯＭ、ＦＬＡＳＨ、ディスクドライブ、等を含み、ただしそれらに限定されない。メモリ３５は、１つ以上のモバイルデバイス１１０に関連する長期の、短期の、又はその他のメモリであることができ、特定のタイプのメモリ又は特定の数のメモリ、又はメモリが格納される特定のタイプの媒体に限定されない。
【００３２】
［００４１］メモリ３５によって格納される機能は、プロセッサ２５によって実行することができる。従って、メモリ３５は、説明される機能を実行することをプロセッサ２５に行わせるように構成されたソフトウェアコード（プログラミングコード、命令、等）を格納するプロセッサによって読み取り可能なメモリ及び／又はコンピュータによって読み取り可能なメモリである。代替として、１つ以上のモバイルデバイス１１０の１つ以上の機能を、ハードウェアにおいて全体又は一部分を実行することができる。
【００３３】
［００４２］図１を再度参照し、ネットワークコントローラ１４０は、測位サーバ１５０及びネットワークサーバ１６０に通信可能な形で結合される。測位サーバ１５０及びネットワークサーバ１６０は、ネットワークコントローラ１４０を用いて１つ以上のＡＰ１２０と通信することができる。測位サーバ１５０及びネットワークサーバ１６０は、明確化を目的として図１では別々に示されている。しかしながら、測位サーバ１５０は、ネットワークサーバ１６０内に実装することができ又はネットワークサーバ１６０と同じであることができる。測位サーバ１５０及び／又はネットワークサーバ１６０は、ネットワークサービスエリア内に又はネットワークサービスエリアの近くに物理的に配置することができ、又は、遠隔に配置することができ、両方のサーバが１つ以上のネットワークサービスエリアにサービスを提供することができる。
【００３４】
［００４３］一実施形態においては、測位サーバ１５０は、位置決定モジュール１７０と、モデル評価モジュール１８０と、を含むことができる。位置決定モジュール１７０は、メモリ１７２と、プロセッサ１７４と、を含むことができる。同様に、モード評価モジュール１８０は、メモリ１８２と、プロセッサ１８４と、を含むことができる。プロセッサ１７４及び１８４は、１つ以上のマイクロプロセッサ、埋込型プロセッサ、コントローラ、特定用途向け集積回路（ＡＳＩＣ）、デジタル信号プロセッサ（ＤＳＰ）、等であることができる。用語プロセッサは、特定のハードウェアではなくシステムによって実装される機能について説明することが意図される。メモリ１７２及び１８２は、１つ以上の命令又はコードとして機能を格納する非一時的なコンピュータによって読み取り可能な記憶媒体（又は複数の媒体）であることができ、ＲＡＭ、ＲＯＭ、ＦＬＡＳＨ、ディスクドライブ、等を含み、ただしそれらに限定されず、長期又は短期であることができ、及び、特定のタイプのメモリ又は特定の数のメモリ、又はメモリが格納される特定のタイプの媒体に限定されない。
【００３５】
［００４４］一実施形態においては、位置決定モジュール１７０及びモデル評価モジュール１８０は、測位サーバ１５０及び／又はネットワークサーバ１６０内に常駐することができる。位置決定モジュール１７０及び／又はモデル評価モジュール１８０とともに使用される又は位置決定モジュール１７０及び／又はモデル評価モジュール１８０に関連するプロセッサ１７４及び１８４及び／又はメモリ１７２及び１８２は、測位サーバ１５０及び／又はネットワークサーバ１６０のその他の機能とともに使用すること又は測位サーバ１５０及び／又はネットワークサーバ１６０のその他の機能に関連させることができ、及び、位置決定モジュール及びモデル評価モジュールによる使用のために特に又は一意で割り当てられたハードウェアであることができない。
【００３６】
［００４５］メモリ１７２及び１８２によって格納された機能は、プロセッサ１７４及び１８４によって実行することができる。従って、メモリ１７２及び１８２は、各々、説明される機能を実行することをプロセッサ１７４及び／又は１８４に行わせるように構成されたソフトウェアコード（プログラミングコード、命令、等）を格納するプロセッサによって読み取り可能なメモリ及び／又はコンピュータによって読み取り可能なメモリである。
【００３７】
［００４６］図１では１つのプロセッサ、１つのメモリ、及び各モジュールタイプのうちの１つのみが示されているが、この数は、一例であり、本発明を限定するものではない。位置決定モジュール１７０及びモデル評価モジュール１８０は、明確化を目的として別々に例示されているが、共有されるメモリに格納されたソフトウェア内の命令に基づいて実装される共有されるプロセッサ機能を有する単一のモジュールの一部であることができる。
【００３８】
［００４７］図１に関する図１Ｂを参照し、測位要求及び位置情報の交換のためのシステム１０１が示される。測位サーバ１５０の位置決定モジュールプロセッサ１７４は、所在位置が突き止められるべき特定のモバイルデバイス１１０−ａ、ｂ、又はｃの所在位置又は位置を決定するための測位要求３９及び／又は測位要求４９を受信することができる。ここにおいて使用される場合、用語所在位置及び位置は、同義語であり、互換可能である。一実施形態においては、測位要求３９は、特定のモバイルデバイス１１０−ａ、ｂ、又はｃのプロセッサ２５によって開始し、トランシーバ４５及びアンテナ１５からＡＰ１２０−ａ、ｂ、又はｃへの送信信号１９を介して及びネットワークコントローラ１４０への送信信号２９を介して測位サーバ１５０の位置決定モジュールプロセッサ１７４に送信することができる。モバイルデバイス１１０−ａは、図１Ｂでは例のみとして示されており、本発明を限定するものではなく、１つ以上のモバイルデバイス１１０うちのいずれも、図１Ｂにおいては同様に代表することができる。同様に、Ａ０１２０−ａは、図１Ｂでは例のみとして示されており、本発明を限定するものではなく、１つ以上のＡＰ１２０うちのいずれも、図１Ｂにおいては同様に代表することができる。一実施形態においては、測位要求４９は、ネットワークサーバ１６０によって開始して測位サーバ１５０に送信することができる。
【００３９】
［００４８］図１及び図１Ｂに関する図１Ｃを参照し、信号送信、信号特性測定値要求、及び信号特性測定値送信のシステム１０２が示される。測位サーバ１５０の位置決定モジュールプロセッサ１７４は、ネットワークコントローラ１４０とＡＰ１２０−ａ、ｂ、又はｃとの間の送信信号２９を介して信号特性測定値８９に関する要求９９をＡＰ１２０−ａ、ｂ、又はｃに送信することができる。ＡＰ１２０−ａは、図１Ｃでは例のみとして示されており、本発明を限定するものではなく、１つ以上のＡＰ１２０うちのいずれも、図１Ｂにおいては同様に代表することができる。ＡＰ１２０−ａ、ｂ、又はｃは、１つ以上のモバイルデバイス１１０−ａ、ｂ、及びｃによって送信されてＡＰ１２０−ａ、ｂ、又はｃによって受信される１つ以上の信号６９−ａ、ｂ、及びｃに関する、例えば、ＲＳＳＩ、ＲＴＴ、及びＣＦＲを含む信号特性を測定及び収集することができる。ＡＰ１２０−ａ、ｂ、又はｃは、ネットワークコントローラ１４０を用いて送信信号２９を介して測位サーバ１５０の位置決定モジュールプロセッサ１７４に信号特性測定値８９を送信することができる。信号特性測定値８９は、ネットワークサービスエリア内の１つ以上のモバイルデバイス１１０を対象にすることができ、測位要求３９を開始した又は測位要求４９に対応する特定のモバイルデバイスに限定することはできない。
【００４０】
［００４９］図１を再度参照し、測位サーバ１５０の位置決定モジュールプロセッサ１７４は、ＡＰ１２０によって収集された信号特性測定値を受信することができ、及び、収集された信号特性測定値をメモリ１７２に格納することができる。
【００４１】
［００５０］図１に関する図５を参照し、位置決定モジュールプロセッサ１７４は、所在位置を突き止め中であるモバイルデバイス（すなわち、モバイルデバイス１１０−ａ、ｂ、又はｃ）に関して、例えば、曲線５２０によって囲われた演繹的モバイルデバイス位置エリアを推定することができる。位置決定モジュールプロセッサ１７４は、モデル評価モジュールメモリ１８２に以前に格納されたＡＤモデルのデータベースを用いて位置決定モジュールメモリ１７２に格納されている信号特性測定値を解析することによって演繹的モバイルデバイス位置エリアを推定することができる。１つ以上のＡＰ１２０のうちのいずれかから測位サーバ１５０の位置決定モジュール１７４によって受信された信号特性測定値８９が与えられた場合、該測定値を生成することが可能な一組のモバイルデバイス位置を計算するためにＡＤモデルのデータベースを位置決定モジュールプロセッサ１７４によって使用することができる。計算された一組のモバイルデバイス位置によって定義されるエリアは、所在位置を突き止め中の特定のモバイルデバイスに関する演繹的モバイルデバイス位置を決定する。
【００４２】
［００５１］一実装においては、演繹的モバイルデバイス位置は、特定のモバイルデバイスに関する以前の測位要求からの、メモリ１７２に格納された、演繹的モバイルデバイス位置を用いて位置推定モジュールプロセッサ１７４によって推定することができる。該実装においては、演繹的モバイルデバイス位置は、測位要求間の経過時間及び特定のモバイルデバイスに関連する既知の又は仮定される速度及び動きの方向を用いて決定することができる。
【００４３】
［００５２］モデル評価モジュール１８０は、プロセッサ１８４を用いて以前に格納されたＡＤモデルのデータベースにアクセスすることができる。ＡＤモデルのデータベースは、メモリ１８２に常駐することができる。一実施形態においては、ＡＤモデルのデータベースは、ネットワークサーバ１６０に常駐することができる。ＡＤモデルのデータベースは、受信されたＡＰ識別子を用いて位置決定モジュール１７０によって識別されたネットワークサービスエリアと関連させることができる。ＡＤモデルデータベースは、各ＡＰに関して、一組のＮ個のモデル｛ＡＤ１、ＡＤ２、．．．、ＡＤＮ｝を含むことができ、ここで、Ｎは、１以上の整数である。ＫのＡＰ１２０を含むネットワークサービスエリアに関しては、メモリ１８２のネットワークサービスエリアデータベース内に格納された合計｛Ｎ×Ｋ｝のＡＤモデルが存在することができる。一実装においては、ＡＤモデルのデータベースは、特定のネットワークサービスエリアに関してオフラインで予め格納する（すなわち、モバイルデバイス試験手順の前に格納する）ことができる。格納されたＡＤモデルは、モバイルデバイス測位中にモデル評価モジュール１８０によって利用可能である。ＡＤモデルは、ネットワークサービスエリア内に所在するいずれかのモバイルデバイスから送信された信号に関して特定のＡＰにおいて測定される信号特性を数学的に予測することができる。
【００４４】
［００５３］各ＡＰに関するモデルの数Ｎは、特定の屋内のネットワークサービスエリアの環境上の特徴に依存することができる。例えば、数多くの散在する建築材料（例えば、木材、ガラス、レンガ、コンクレート、プラスチック）を含む構造上複雑な屋内環境は、より少ない数のタイプの建築材料を有するより単純な屋内環境よりも多くのＡＤモデルを要求することがある。さらに、変動する可能性がある環境上の特徴は、それらの環境上の特徴の可能性のある変動が信号伝播に及ぼす影響を表すために多数のモデルが必要になることがある。例えば、屋内空間における占有者の数、配置、及び動きは、変動する可能性がある（例えば、日勤及び夜勤における労働者数）。他の例として、ドア及び／又は窓の位置は、開閉の間で変動する可能性がある。
【００４５】
［００５４］一実施形態においては、モデル評価モジュールプロセッサ１８４は、ネットワークサービスエリアをＭのセクタ｛Ｓ１、Ｓ２、．．．、ＳＭ｝に分割する、又は並べて表示することができる。一実施形態においては、モデル評価モジュールプロセッサ１８４は、特定のネットワークサービスエリアに関してオフラインで（すなわち、モバイルデバイス測位手順の前に又はモバイルデバイス測位手順と別々に）セクタを決定することができる。決定されたセクタは、モデル評価モジュールメモリ１８２に格納することができる。
【００４６】
［００５５］一実装においては、セクタ数Ｍは、環境上の特徴に関するサービスエリア内における多様性によって決定することができる。各セクタは、環境上の特徴に起因する信号減衰を、セクタ内のすべての場所において同じモデル化パラメータを用いてＡＤ信号伝播モデルによって数学的にモデル化することができるネットワークサービスエリアの１つのセクションであることができる。例えば、各セクタは、単一の特定のタイプの壁材料を有するネットワークサービスエリアの１つのセクション（すなわち、コンクリート壁のセクション）又は壁、窓、及びドアに関する特定のオフィス構成に対応することができる。概して、ＡＤモデルは、より小さいセクタに関連する環境上の特徴の数、多様性、及び変動の低減に起因するより小さいセクタの信号減衰をより正確に予測することができる。より小さいセクタは、セクタ数Ｍを増加させることができる。一実装においては、ネットワークサービスエリア全体が単一のセクタであることができる。一実装においては、各セクタは、定義される内部の建築単位、例えば、廊下又は部屋、に対応することができる。セクタ数Ｍは、定義される内部の建築単位のタイプの数に依存することができる。
【００４７】
［００５６］一実施形態においては、セクタ数Ｍは、例えば、モデル評価モジュール１８０において格納されたネットワークサービスエリアの格子、マップ、又はその他の地理上の表現に基づいて決定することができる。一実施形態においては、セクタ数Ｍは、マップの図形座標に基づいてネットワークサービスエリアを固定されたサイズのセクタ（例えば、面積又は体積）に分割することによって決定することができる。一例においては、各セクタの面積は、固定された寸法（例えば、５×５メートル又は１０×１０メートル）であることができる。
【００４８】
［００５７］一実装においては、セクタ数Ｍは、環境上の特徴の多様性、定義された内部の建築単位のタイプの数、及び、ネットワークサービスエリアの格子、マップ、又は地理上の表現を含む要因の組み合わせに依存することができ、ただしそれらの要因に限定されない。
【００４９】
［００５８］図１を再度参照し、位置決定モジュールプロセッサ１７４は、例えば、三辺測量アルゴリズムを用いて信号特性測定値から信号を送信する１つ以上のモバイルデバイス１１０の位置を推定することができる。それらの位置は、ネットワークサービスエリアの格子、マップ、又はその他の地理上の表現におけるｘ、ｙ座標の形態であることができる。一実施形態においては、各セクタＳＭを一組の測定値に関連させることができるようにするために、プロセッサ１７４は、信号特性測定値を位置別にソートし、信号特性測定値をメモリ１７２に格納することができる。一実施形態においては、プロセッサ１７４は、各セクタＳＭに関する格納された測定値に関する統計パラメータ、例えば、平均、加重平均、又は標準偏差、を計算してメモリ１７２に格納することができる。
【００５０】
［００５９］モデル評価モジュールプロセッサ１８４は、図３及び図６に関して以下において詳細に説明されるようにＡＤ学習のためのモデル評価プロセスを実装することができる。モデル評価プロセスは、モバイルデバイスの位置決定のために使用され、ここにおいてはＡＤｍｉｎと呼ばれる選択されたＡＤモデルを決定及び更新するためにメモリ１８２に格納してプロセッサ１８４によって実装することができる。一実施形態においては、ネットワークサービスエリアは、１つのセクタに対応することができ、モデル評価プロセスは、１つのＡＤｍｉｎを決定することができる。一実施形態においては、ネットワークサービスエリアは、上述されるように複数のセクタに分割することができ、モデル評価プロセスは、各セクタに関するＡＤｍｉｎを決定することができる。
【００５１】
［００６０］ＡＤｍｉｎは、所在位置を突き止め中である特定のモバイルデバイス（例えば、１１０−ａ、ｂ、又はｃ）の所在位置を決定するためにプロセッサ１７４によって使用するためにメモリ１８２及び／又はメモリ１７２に格納することができる。プロセッサ１７４は、メモリ１７２内に決定されたモバイルデバイス位置に基づく位置情報を格納することができる。
【００５２】
［００６１］図１に関する図１Ｂを参照し、測位サーバ１５０の位置決定モジュールプロセッサ１７４は、決定されたモバイルデバイス位置に基づく位置情報を送信することができる。測位サーバ１５０の位置決定モジュールプロセッサ１７４は、ネットワークコントローラ１４０とＡＰ１２０−ａ、ｂ、又はｃとの間の送信信号２９及びＡＰ１２０−ａ、ｂ、又はｃとモバイルデバイス１１０−ａ、ｂ、又はｃとの間の送信信号１９を介してモバイルデバイスに位置情報を送信する５９ことができる。所在位置を突き止め中である特定のモバイルデバイス（例えば、１１０−ａ、ｂ、又はｃ）及び／又は他のモバイルデバイス（例えば、１１０−ａ、ｂ、又はｃ）のアンテナ１５及び無線トランシーバ４５は、測位サーバ１５０の位置決定モジュールプロセッサ１７４によって送信された５９位置情報を受信することができる。位置情報は、プロセッサ２５による使用のためにメモリ３５に格納することができる。一例においては、測位サーバ１５０の位置決定モジュールプロセッサ１７４は、ネットワークサーバ１６０に位置情報６９を送信することができる。ネットワークサーバ１６０は、測位サーバ１５０の位置決定モジュールプロセッサ１７４によって送信された６９位置情報を格納することができる。ネットワークサーバ１６０は、ネットワークサービスエリア内のモバイルデバイス資産（ａｓｓｅｔ）の所在位置を突き止めて追跡するために１つ以上のモバイルデバイス１１０に関する位置情報を格納するように構成することができる。
【００５３】
［００６２］動作上は、図２を参照し、図１及び３をさらに参照し、補助データ学習によるネットワークに基づくモバイルデバイス測位の方法２００は、示されている段階を含む。しかしながら、方法２００は、例のみとして示されており、限定するものではない。方法２００は、例えば、段階を追加する、取り除く、再手配する、組み合わせる、及び／又は同時並行して実行することによって変更することができる。
【００５４】
［００６３］本発明を限定しない方法２００に関する概要は次の通りであることができる。段階２０５、２１０、２１５、２２０、及び２２１は、モバイルデバイス測位における使用のために第１の選択されたＡＤモデルを決定すること及び第１のモバイルデバイス測位要求に関して選択されたＡＤモデルを用いてモバイルデバイスの所在位置（すなわち、第１のモバイルデバイス位置）を決定することができる。段階２２５における第２の測位要求は、少なくとも２つの可能な方法ループに関する最初のステップであることができる。第１のループは、段階２２５、２３０、２４０、２４５、２５０、２６０、及び２９５を含み、第１の選択されたＡＤモデルを用いて第２のモバイルデバイス位置を決定することができる。第２のループは、段階２２５、２３０、２４０、２６５、２８０、２８５、及び２９０を含み、更新された選択されたＡＤモデルを用いて第２のモバイルデバイス位置を決定することができる。概して、第１のループは、第２のループよりも高速であり及び計算集約性が低いことができる。従って、第１の選択されたＡＤモデルは、第１の選択されたＡＤモデルの信頼度スコアが受け入れ可能であると決定することができる限りにおいて複数の測位要求に関して繰り返し使用することができる。逆に、第２のループは、第１のループよりも低速であり及び計算集約性が高いことができる。従って、例えば、第１の選択されたＡＤモデルの決定後のネットワークサービスエリアの環境上の特徴の変化に起因して第１の選択されたＡＤモデルの精度が低下していることを第１の選択されたＡＤモデルの信頼度スコアが示すときのみに第２のループを利用するのが望ましいであろう。第２のループの各繰り返しは、ネットワークサービスエリアの環境上の特徴の変化を考慮するために及びこれらの変化にかかわらずモバイルデバイス測位精度を維持するために選択されたＡＤモデルを更新することができる。更新された選択されたＡＤモデルは、第１の選択されたＡＤモデルと比較して向上された測位精度を提供することができる。向上された測位精度は、計算された信号特性と測定された信号特性との間の偏差が低減した結果として得ることができる。概して、ＡＤモデルに関する低減された偏差は、ＡＤモデルが測定された信号特性をより正確に予測することを示すことができる。更新は、進行中の測位要求に関係して生じることができるため、測位要求からの選択されたＡＤモデルは、後続する測位要求に関係させて動的に更新することができる。
【００５５】
［００６４］段階２０５において、位置決定モジュール１７０は、ネットワーク１３０のネットワークサービスエリア内の特定のモバイルデバイス１１０−ａ、ｂ、又はｃの位置を決定するためにモバイルデバイス測位要求を受信することができる。測位要求は、第１の測位要求であることができる。一例においては、モバイルデバイス１１０は、ネットワーク１３０を介して測位要求を開始する。一実装においては、ネットワークサーバ１６０は、測位要求を開始することができる。
【００５６】
［００６５］段階２１０において、測位要求に応答して、位置決定モジュール１７０は、測位要求の対象である特定のモバイルデバイス１１０から信号特性測定値を収集するようにＡＰ１２０に命令することができる。一実施形態においては、位置決定モジュール１７０は、１つ以上のモバイルデバイス１１０から信号特性測定値を収集するようにＡＰ１２０に命令することができる。信号特性測定値は、第１の信号特性測定値であることができる。位置決定モジュールプロセッサ１７４は、収集された信号特性測定値を受信することができる。信号特性測定値は、例えば、ＲＳＳＩと、ＲＴＴと、ＣＦＲと、を含むことができる。
【００５７】
［００６６］さらに、段階２１０において、位置決定モジュールプロセッサ１７４は、収集された測定値及び格納されたＡＤモデルを用いて特定のモバイルデバイスに関する演繹的位置を推定することができる。演繹的モバイルデバイス位置は、モバイルデバイスの所在位置を突き止めることが可能なエリアを決定することができる。図５を参照し、該エリアは、例えば、曲線５２０によって囲まれる。
【００５８】
［００６７］段階２１５において、モデル評価モジュールプロセッサ１８４は、図３及び図６に関して以下においてそれぞれ説明されるように、補助データ学習方法３００又は複数セクタ補助データ学習方法６００を用いてＡＤモデルの信頼度スコアを決定すること及び選択されたＡＤモデル（ＡＤｍｉｎ）を決定することができる。モデル評価モジュール１８２メモリ及び／又は位置決定モジュールメモリ１７２は、それらの信頼度スコア及び選択されたＡＤｍｉｎを格納することができる。
【００５９】
［００６８］図４を参照し、信頼度スコアは、メモリ１８２内に格納されたデータ構造、例えば、スコアリングテーブル４００、において格納することができる。スコアリングテーブル４００は、ＡＤモデル列４０２と、セクタ行４０４と、信頼度スコア記入フィールド４０６と、を含む。各モデル列４０２は、Ｎ個のモデル｛ＡＤ１、ＡＤ２、．．．、ＡＤＮ｝のうちの１つに対応する。各セクタ行４０４は、セクタＳＭのうちの１つに対応する。各々の特定の信頼度スコア記入フィールド４０６には、特定の信頼度スコア記入フィールド４０６と交差する特定の列４０２のＡＤモデル及び特定の行４０４のセクタに関する信頼度スコアが入っている。一実施形態においては、ネットワークサービスエリアは、１つのセクタに対応することができる。この場合は、Ｍは１に等しいことができ、スコアリングテーブル４００は、１つの行を有することができる。一実施形態においては、ネットワークサービスエリアは、複数のセクタに分割することができる。この場合は、Ｍは１よりも大きいことができ、スコアリングテーブル４００は、複数の行を有することができ、合計行数はＭに等しい。
【００６０】
［００６９］ＡＤモデルに関して決定された信頼度スコアは、ＡＤモデルに関して以前に決定された信頼度スコアに取って代わることができる。このようにして、モデル評価モジュールプロセッサ１８４は、ＡＤモデルの信頼度スコアを調整することができる。一実装においては、ネットワークサービスに関する測位要求の前に、例えば、図２の段階２０５の前に、プロセッサ１８４は、スコアリングテーブル４００内のすべての最初の信頼度スコアをゼロに設定することができる。スコアリングテーブル４００は、ネットワーク１３０のネットワークサービスエリアに関するＡＰに一意で対応することができる。
【００６１】
［００７０］段階２２０において、位置決定モジュールプロセッサ１７４は、補助データ学習プロセス３３０からの選択及び格納されたＡＤｍｉｎモデルを用いて所在位置を突き止め中である特定のモバイルデバイス（例えば、１１０−ａ、ｂ、又はｃ）に関する位置を決定することができる。位置決定モジュールプロセッサ１７０は、所在位置を突き止め中である特定のモバイルデバイス（例えば、１１０−ａ、ｂ、又はｃ）に及び／又はネットワークサーバ１６０に決定された位置を通信することができる。
【００６２】
［００７１］プロセッサ１８４は、計算されたモバイルデバイス位置座標を含む、セクタＳＭ内のＡＤｍｉｎに関する、メモリ１８２に格納されたスコアリングテーブル４００内の信頼度スコアを調整することができる。ＡＤｍｉｎに関する調整された信頼度スコアは、ＡＤｍｉｎからの計算された結果が、その他のモデルと比較して、測定された信号特性から最小の偏差を有することになる高い尤度を反映させることができる。
【００６３】
［００７２］段階２２１において、図１Ｂを参照し、測位サーバ１５０の位置決定モジュールプロセッサ１７４は、決定されたモバイルデバイス位置に基づく位置情報を任意選択で送信することができる。一実施形態においては、段階２２１において、測位サーバ１５０の位置決定モジュールプロセッサ１７４は、ネットワークコントローラ１４０とＡＰ１２０−ａ、ｂ、又はｃとの間の送信信号２９及びＡＰ１２０−ａ、ｂ、又はｃとモバイルデバイス１１０−ａ、ｂ、又はｃとの間の送信信号１９を介してモバイルデバイス（例えば、１１０−ａ、ｂ、又はｃ）に位置情報を送信する５９ことができる。所在位置を突き止め中である特定のモバイルデバイス（例えば、１１０−ａ、ｂ、又はｃ）及び／又は他のモバイルデバイス（例えば、１１０−ａ、ｂ、又はｃ）は、測位サーバ１５０によって送信された５９位置情報を受信することができる。代替の又は追加の実施形態では、段階２２１において、測位サーバ１５０の位置決定モジュールプロセッサ１７４は、ネットワークサーバ１６０に位置情報を送信する６９ことができる。ネットワークサーバは、測位サーバ１５０によって送信された６９位置情報を格納することができる。
【００６４】
［００７３］段階２２５において、位置決定モジュール１７０は、後続するモバイルデバイス測位要求を受信することができる。後続するモバイルデバイス測位要求は、第２のモバイルデバイス測位要求であることができる。ここにおいて使用される場合の用語第２は、第１に後続することを意味し、総数又は特定の序数の順位を意味するわけではない。一実施形態においては、モバイルデバイス１１０−ａ、ｂ、又はｃは、後続する測位要求を開始することができる。一実施形態においては、ネットワークサーバ１６０は、後続する測位要求を開始することができる。後続する測位要求は、前の測位要求と同じ特定のモバイルデバイスに関するものであること又は前の測位要求と異なる特定のモバイルデバイスに関するものであることができる。
【００６５】
［００７４］段階２３０において、図１Ｃを参照し、後続する測位要求に応答して、位置決定モジュール１７０は、後続する測位要求の対象である特定のモバイルデバイス１１０からの信号に関して信号特性測定値をＡＰ１２０−ａ、ｂ、又はｃに要求する９９ことができる。一実施形態においては、位置決定モジュール１７０は、１つ以上のモバイルデバイス１１０からの信号に関して信号特性測定値をＡＰ１２０−ａ、ｂ、又はｃに要求する９９ことができる。位置決定モジュールプロセッサ１７４は、ＡＰ１２０−ａ、ｂ、又はｃによって収集された信号特性測定値を受信し８９、これらの測定値をメモリ１７２に格納することができる。受信された信号特性測定値は、第１の信号特性測定値と別個の第２の信号特性測定値であることができる。
【００６６】
［００７５］さらに、段階２３０において、位置決定モジュールプロセッサ１７４は、メモリ１８２に格納された収集された測定値及びＡＤモデルを用いて特定のモバイルデバイスに関する演繹的位置を推定することができる。
【００６７】
［００７６］段階２４０において、プロセッサ１８４は、選択されたＡＤｍｉｎを用いた計算された信号特性と収集された信号特性との間の偏差に基づいて選択されたＡＤｍｉｎモデルに関する信頼度スコアを決定することができる。段階２２５におけるすべての後続する受信された測位要求に応答して、位置決定モジュールプロセッサ１７４は、収集された信号特性測定値を要求及び受信することができる。プロセッサ１７４は、受信された測定値を以前の測位要求からの格納された信号特性測定値と結合することができる。受信された信号特性測定値及び関連する統計パラメータ（例えば、平均、加重平均、標準偏差）の統計上の信頼性は、測位要求数が増加するのに応じて上昇することができる。その結果、ＡＤｍｉｎに関して段階２４０において決定された偏差及び信頼度スコアは、測位要求数が増加するのに応じてより正確になることができる。
【００６８】
［００７７］ＡＤｍｉｎ、又はいずれかのその他のＡＤモデルの信頼度スコアは、期間ΔＴにわたって変化することができる。期間ΔＴは、いずれかの継続期間、例えば、秒、分、時間、日、週、月、又は年、であることができる。選択されたＡＤｍｉｎ信頼度スコアの検出された変化は、選択されたＡＤｍｉｎが、もはや、モバイルデバイス測位のために使用する上でその他のＡＤモデル｛ＡＤ１、ＡＤ２、．．．、ＡＤＮ｝よりも正確でないことを示すことができる。モデル評価プロセッサ１８４は、前の測位要求時に受信された測定された信号特性と比較して測定された信号特性の非過渡的な変化又は測定された信号特性の過渡的な変化に応答して変化が生じているかどうかを決定するために選択されたＡＤｍｉｎ信頼度スコアを評価することができる。
【００６９】
［００７８］測定された信号特性の非過渡的な変化は、ネットワーク１３０のネットワークサービスエリアのモデル化された環境上の特徴の有意な変化に起因することができる。例えば、改築は、建築材料のタイプ、廊下の配置、及び／又は内部建築のその他の側面を変化させる可能性がある。生じることができる有意な変化の、本発明を限定しないその他の例は、家具の再配置、例えば、夜勤交替と日勤交替との間における占有者の人数と位置の違い、部屋の仕切りの配列の変更、を含むことができる。位置決定モジュールプロセッサ１７４は、期間ΔＴの間における要求されたモバイルデバイス位置を決定するために時間Ｔ１においてネットワークサービスエリアに関して決定された特定の選択されたＡＤｍｉｎを利用することができる。時間Ｔ２＝Ｔ１＋ΔＴによって、有意な環境上の特徴の変化が生じる又は生じていることができる。その結果、Ｔ１において決定された特定の選択されたモデルＡＤｍｉｎは、Ｔ２における受け入れ不能な偏差及び信頼度スコアと関連させることができる。測定された信号特性の非過渡的な変化に応答して測位要求中にＡＤｍｉｎを更新することによってＡＤｍｉｎを動的に更新することは、モバイルデバイス測位のために使用されるＡＤモデルの精度を好適に向上させることができる。
【００７０】
［００７９］代替として、測定された信号特性の過渡的な変化は、例えば、モデル化されたパラメータに含めることができない信号伝播パラメータを含むことができる。過渡的変化の源の例は、本発明を限定することなしに、モバイルデバイスがユーザによって保持される形の変化（例えば、ユーザの手、ポケット、ブリーフケース、又はハンドバッグ内の様々なモバイルデバイスの形状）と、モバイルデバイスのバッテリ、トランシーバ、又はその他の構成部品の電子的な変動と、を含むことができる。これらの過渡的な変化に応じて選択されたＡＤｍｉｎを更新することは、モバイルデバイス測位精度の関連する向上なしにモデル評価モジュール１８０をちらつかせる又はモデル間でバウンス（ｂｏｕｎｃｅ）させることがある。該モデルの更新は、コンピューティングリソースの不必要な利用である可能性がある。一実施形態においては、モデル評価モジュールプロセッサ１８４は、検出された信頼度スコアの変化又はシフトの規模（すなわち、信頼度スコアスレショルドと比較したシフトのサイズ）及び頻度（単位時間当たりの変化数）を統計的に評価することができる、メモリ１８２に格納されたルーチンを実装することができる。一実装においては、プロセッサ１８４は、モデル評価モジュール１８０のオペレータによって識別された環境上の特徴の変化を評価することができる。統計的ルーチンは、信頼度スコアスレショルドをヒューリスティックに決定及び調整するためにモデル評価モジュールプロセッサ１８４によって使用することができる。
【００７１】
［００８０］信頼度スコアスレショルドは、測定された信号特性の非過渡的な変化の結果として段階２６５において受け入れ不能な信頼度スコア評価及び更新された選択されたＡＤｍｉｎを得ることができるような形で設定することができる。概して、特定の選択されたＡＤｍｉｎに関して生じる可能性があるモバイルデバイス測位の数は、ネットワーク１３０に関するネットワークサービスエリアにおいて生じることができるモデル化された環境上の特徴の変化のタイプ、規模、及び頻度に依存する。
【００７２】
［００８１］段階２４５において、モデル評価モジュールプロセッサ１８４は、信頼度スコアスレショルドに基づいてＡＤｍｉｎに関する信頼度スコアが受け入れ可能であると決定することができる。一実装においては、信頼度スコアスレショルドは、測定された信号特性の過渡的な変化の結果として受け入れ可能な信頼度スコアを得ることができるような形で設定することができる。ＡＤｍｉｎに関する信頼度スコアが信頼度スコアスレショルド以上である及び／又はスコアリングテーブル内のその他のＡＤモデルの信頼度スコア以上である場合は、ＡＤｍｉｎの信頼度スコアは、受け入れ可能であると決定することができる。その結果、位置決定モジュールプロセッサ１７４は、１つ以上の後続するモバイルデバイス測位要求に関して受け入れ可能な信頼度スコアを持ってＡＤｍｉｎを使用し続けることができる。
【００７３】
［００８２］代替として、段階２６５において、モデル評価モジュールプロセッサ１８４は、信頼度スコアが受け入れ不能であると決定することができる。例えば、ＡＤｍｉｎに関する信頼度スコアが信頼度スコアスレショルド未満である及び／又はスコアリングテーブル内のその他のＡＤモデルの信頼度スコア未満である場合は、ＡＤｍｉｎの信頼度スコアは受け入れ不能であると決定することができる。その結果、プロセッサ１８４は、更新されたＡＤｍｉｎを決定すること、更新されたＡＤｍｉｎをメモリ１８２及び／又は１７２に格納することに進むことができ、位置決定モジュール１７０は、格納された、更新されたＡＤｍｉｎを１つ以上のモバイルデバイス測位要求のために使用することができる。
【００７４】
［００８３］一実施形態においては、プロセッサ１８４は、特定のネットワークサービスエリアからの測位要求の長時間の途切れに起因して段階２６５においてＡＤｍｉｎに関する信頼度スコアが受け入れ不能であると決定することができるように信頼度スコアスレショルドを調整することができる。特定のＡＤｍｉｎから決定された位置が測定値からの高い偏差（すなわち、低い信頼度スコア）を有する尤度は、測位要求間の長時間の途切れ中に特定のネットワークサービスエリア内での変化が生じている機会の増大に起因して測位要求間の期間が長くなるのに応じて増大することができる。一実施形態においては、長時間の途切れであるとみなされる時間的途切れは、測位要求の頻度（すなわち、単位時間当たりの測位要求数）の有意な変化に基づいて決定することができる。モデル評価モジュール１８０のユーザ又はオペレータは、例えば、測位要求頻度又は環境上の特徴の変化に関するユーザの知識に基づいて時間的途切れが長時間の途切れであると決定することができる。測位要求の長時間の途切れに引き続いてモデル評価プロセスを実装するために受け入れ不能な信頼度スコア、例えば、ゼロ、を特定のモデルＡＤｍｉｎに割り当てることができる。
【００７５】
［００８４］図２を再度参照し、段階２４５における受け入れ可能な信頼度スコアの決定に引き続く段階２５０において、モデル評価モジュール１８０は、図３及び図６に関して以下においてそれぞれ説明されるように、補助データ学習方法３００の段階３１０、３１５、及び３２０又は複数セクタ補助データ学習の段階６１０、６１５、及び６２０を用いてＡＤモデルの組｛ＡＤ１、ＡＤ２、．．．、ＡＤＮ｝の更新された信頼度スコアを決定することができる。ＡＤｍｉｎは、コスト関数を数学的に最小にするＡＤモデルの組からの特定のＡＤモデルに対応することができるため、決定及び調整されたＡＤモデル信頼度スコアは、ＡＤｍｉｎの信頼度スコアを含むことができる。
【００７６】
［００８５］段階２６０において、位置決定モジュールプロセッサ１７４は、前の測位要求に関係して決定された選択されたＡＤｍｉｎモデルを用いて所在位置を突き止め中である特定のモバイルデバイスに関する位置を決定することができる。一実施形態においては、位置決定モジュールメモリ１７２は、決定されたモバイルデバイス位置に基づく位置情報を格納することができる。一実施形態においては、モデル評価プロセッサ１８２は、より高い信頼度スコアを示すために決定されたモバイルデバイス位置に対応するセクタに関する選択されたＡＤモデルに関する信頼度スコアを更新することができる。
【００７７】
［００８６］段階２９５において、図１Ｂを参照し、測位サーバ１５０の位置決定モジュールプロセッサ１７４は、決定されたモバイルデバイス位置に基づく位置情報を任意選択で送信することができる。一実施形態においては、段階２９５において、測位サーバ１５０の位置決定モジュールプロセッサ１７４は、ネットワークコントローラ１４０とＡＰ１２０−ａ、ｂ、又はｃとの間の送信信号２９及びＡＰ１２０−ａ、ｂ、又はｃとモバイルデバイス１１０−ａ、ｂ、又はｃとの間の送信信号１９を介してモバイルデバイス（１１０−ａ、ｂ、又はｃ）に位置情報を送信することができる。所在位置を突き止め中である特定のモバイルデバイス（例えば、１１０−ａ、ｂ、又はｃ）及び／又は他のモバイルデバイス（例えば、１１０−ａ、ｂ、又はｃ）は、測位サーバ１５０によって送信された５９位置情報を受信することができる。代替の又は追加の実施形態においては、段階２９５において、測位サーバ１５０の位置決定モジュールプロセッサ１７４は、ネットワークサーバ１６０に位置情報を送信する６９ことができる。ネットワークサーバ１６０は、測位サーバ１５０の位置決定モジュールプロセッサ１７４によって送信された６９位置情報を格納することができる。
【００７８】
［００８７］段階２６０又は任意選択の段階２９５に引き続き、プロセス２００は、後続するモバイルデバイス測位要求に応答して２２５に戻ることができる。
【００７９】
［００８８］段階２６５における受け入れ不能な信頼度スコアの決定に引き続く段階２８０において、モデル評価モジュールプロセッサ１８４は、図３及び図６に関して以下においてそれぞれ説明されるように、補助データ学習方法３００又は複数セクタ補助データ学習方法６００を用いてＡＤモデルの信頼度スコアを決定すること及び更新された選択されたＡＤｍｉｎを決定することができる。モデル評価モジュール１８２メモリ及び／又は位置決定モジュールメモリ１７２は、更新された選択されたＡＤｍｉｎを格納することができる。
【００８０】
［００８９］更新された選択されたＡＤｍｉｎは、最初の測位要求によって決定された選択されたＡＤｍｉｎに取って代わることができる。後続して、位置決定モジュールプロセッサ１７４は、更新された選択されたＡＤｍｉｎの信頼度スコアが段階２４５において受け入れ可能であると決定される限りにおいて測位要求に応答してモバイルデバイス位置を決定するために更新された選択されたＡＤｍｉｎを使用し続けることができる。更新された選択されたＡＤｍｉｎを決定するために段階２８０が実装されるすべての後続する測位要求に関して、更新された選択されたＡＤｍｉｎは、前の測位要求からの選択されたＡＤｍｉｎ又は更新された選択されたＡＤｍｉｎに取って代わることができる。
【００８１】
［００９０］段階２８５において、位置決定モジュールプロセッサ１７４は、段階２８０において決定された更新された選択されたＡＤｍｉｎモデルを用いて所在位置を突きとめ中である特定のモバイルデバイスに関する位置を決定することができる。更新された選択されたＡＤｍｉｎは、前の繰り返しにおいて決定された前の選択されたＡＤｍｉｎに対する向上であることができる。この向上は、ＡＤｍｉｎを用いて計算された信号特性と測定された信号特性との間の低減された偏差を意味することができる。低減された偏差を有するＡＤｍｉｎは、モバイルデバイス位置精度を向上させることができる。モデル評価プロセッサ１８２は、より高い信頼度スコアを示すために決定されたモバイルデバイス位置に対応するセクタに関する選択されたＡＤモデルに関する信頼度スコアを更新するように構成することができる。
【００８２】
［００９１］段階２９０において、図１Ｂを参照し、測位サーバ１５０の位置決定モジュールプロセッサ１７４は、決定されたモバイルデバイス位置に基づく位置情報を任意選択で送信することができる。段階２９０において、測位サーバ１５０の位置決定モジュールプロセッサ１７４は、ネットワークコントローラ１４０とＡＰ１２０−ａ、ｂ、又はｃとの間の送信信号２９及びＡＰ１２０−ａ、ｂ、又はｃとモバイルデバイス１１０−ａ、ｂ、又はｃとの間の送信信号１９を介してモバイルデバイス（例えば、１１０−ａ、ｂ、又はｃ）に位置情報を送信する５９ことができる。所在位置を突き止め中である特定のモバイルデバイス（例えば、１１０−ａ、ｂ、又はｃ）及び／又は他のモバイルデバイス（例えば、１１０−ａ、ｂ、又はｃ）は、測位サーバ１５０によって送信された５９位置情報を受信することができる。代替の又は追加実施形態においては、段階２９０において、測位サーバ１５０の位置決定モジュールプロセッサ１７４は、ネットワークサーバ１６０に位置情報を送信する６９ことができる。ネットワークサーバ１６０は、測位サーバ１５０の位置決定モジュールプロセッサ１７４によって送信された６９位置情報を格納することができる。
【００８３】
［００９２］段階２８５又は任意選択の段階２９０に引き続き、プロセス２００は、後続するモバイルデバイス測位要求によって２２５に戻ることができる。
【００８４】
［００９３］図１及び図２に関する図３を参照し、システム１００を用いる補助データ学習方法３００は、図３において示される段階を含む。方法３００は、例のみとして示されており、限定するものではない。方法３００は、例えば、段階を追加する、取り除く、再手配する、組み合わせる、及び／又は同時並行して実行することによって変更することができる。方法３００は、方法２００の段階２１５、２５０、及び２８０において実装することができる。段階２１５において、方法３００は、選択されたＡＤモデルを決定するために実装することができる。この場合は、方法３００は、段階３２３において方法２００に戻ることはできず、段階３２５、３３０、及び３３５を進めることができ、及び、段階３５０において、（例えば、段階２２０において）方法２００を再開することができる。段階２５０において、方法３００は、ＡＤモデルの更新された信頼度スコアを決定するために実装することができる。この場合は、方法３００は、段階３２３において方法２００に戻ることができ、及び、段階３４０において、（例えば、段階２６０において）方法２００を再開することができる。段階２８０において、方法３００は、更新された選択されたＡＤモデルを決定するために実装することができる。この場合は、方法３００は、段階３２３において方法２００に戻ることはできず、段階３２５、３３０、及び３３５を進めることができ、及び、段階３５０において、（例えば、段階２８５において）方法２００を再開することができる。
【００８５】
［００９４］段階３１０において、ＡＰ１２０の各々に関してＡＤモデルの組｛ＡＤ１、ＡＤ２、．．．、ＡＤＮ｝を用いて、プロセッサ１８４は、１つ以上のモバイルデバイス１１０からＡＰ１２０に送信された信号に関する測定された信号特性を予測する信号特性を計算するように構成することができる。
【００８６】
［００９５］段階３１５において、ＡＰ１２０の各々に関して、プロセッサ１８４は、各ＡＤモデルに関する偏差を決定するために位置決定モジュールメモリ１７２に格納されている測定された信号特性をＮ個のモデルの組｛ＡＤ１、ＡＤ２、．．．、ＡＤＮ｝からの計算された信号特性と比較するように構成することができる。偏差は、Ｎ個のモデルの組内の各ＡＤモデルに関する測定された信号特性測定値と計算された信号特性との間の差に対応する。一実施形態においては、プロセッサ１８４は、測位要求前に格納される信号特性と結合された現在の測位要求に関してＮ個のモデル｛ＡＤ１、ＡＤ２、．．．、ＡＤＮ｝のうちの各々からの計算された信号特性を測定された信号特性に関連する統計パラメータ（例えば、平均又は加重平均）と比較するように構成することができる。
【００８７】
［００９６］段階３２０において、モデル評価モジュールプロセッサ１８４は、偏差に基づいてモデル｛ＡＤ１、ＡＤ２、．．．、ＡＤＮ｝のうちの各々に関する信頼度スコアを決定する。信頼度スコアは、Ｎ個のモデルの組内の各モデルが、その他のモデルと比較して、ある所定のセクタに関して計算された信号特性と測定された信号特性との間の最小の偏差を提供する尤度を表すことができる。一実装においては、偏差は、計算された信号特性と、１つ以上のモバイルデバイス１１０からＡＰ１２０−ａ、ｂ、又はｃに送信された複数の信号からの１つ以上の測位要求に応答して測定された信号特性の平均又は加重平均との間の偏差であることができる。例えば、ある特定のモデルに関するゼロの信頼度スコアは、その特定のモデルが最小の偏差を提供する確率が低いことを示すことができる。一実装においては、モデル評価プロセッサ１８４は、データ構造、例えば、図４のスコアリングテーブル、に信頼度スコアを格納するように構成することができる。
【００８８】
［００９７］段階３２３において、上述されるように、方法３００は、方法２００に戻り、段階３４０において方法２００を再開することができ又は段階３２５に進むことができる。
【００８９】
［００９８］段階３２５において、モデル評価プロセッサ１８４は、コスト関数における使用のための資格をＡＤモデルに付与するために信頼度スコアをヒューリスティックに決定された信頼度スコアスレショルドと比較することができる。信頼度スコアスレショルドは、コスト関数に含めるための資格をＡＤモデルに付与するための信頼度スコア要求事項に対応することができる。様々な実装において、信頼度スコアスレショルドは、固定された数字であることができ、又は、信頼度スコアに適用される資格付与関数（ｑｕａｌｉｆｉｃａｔｉｏｎ  ｆｕｎｃｔｉｏｎ）又はその他のアルゴリズムの計算された値であることができる。
【００９０】
［００９９］一実装においては、すべてのＡＤモデルがゼロの信頼度スコア又は信頼度スコアスレショルドを下回る信頼度スコアを有する（すなわち、いずれのＡＤモデルも信頼度スコアスレショルド判定基準を満たしていない）場合に、すべてのＡＤモデルは、コスト関数に含めるための資格を有することができ、プロセッサ１８４は、すべてのＡＤモデルをコスト関数に含めることができる。
【００９１】
［００１００］段階３３０において、モデル評価モジュールプロセッサ１８４は、信号特性測定値及びコスト関数に含めるための資格が付与されたＡＤモデルを含むネットワーク１３０のネットワークサービスエリアに関するコスト関数を決定することができる。含められたＡＤモデルからの計算された信号特性は、予測ベクトルを成すことができる。格納された測定値は、測定ベクトルを成すことができる。コスト関数は、例えば、予測ベクトルと測定ベクトルとの間のユークリッド距離又は加重ユークリッド距離であることができる。
【００９２】
［００１０１］一実施形態においては、コスト関数は、特定のＡＰ１２０−ａ、ｂ、又はｃに対応することができる。追加の及び／又は代替の実施形態においては、コスト関数は、すべてのＡＰ１２０に関する測定値及びＡＤモデルを結合することができる。
【００９３】
［００１０２］段階３３５において、モジュール評価モジュールプロセッサ１８４は、ネットワークサービスエリアに関するコスト関数を数学的に最小化するモデルの組｛ＡＤ１、ＡＤ２、．．．、ＡＤＮ｝から、ここにおいてはＡＤｍｉｎと呼ばれる選択されたモデルを決定することができる。用語最小化するは、数学的な演算を意味し、ここにおいては、ＡＤｍｉｎが利用可能なＡＤモデルの組｛ＡＤ１、ＡＤ２、．．．、ＡＤＮ｝内の残りのモデルと比較してコスト関数を数学的に最小にすることを意味するために使用される。様々な実装においては、ＡＤｍｉｎは、コスト関数の極小値又は絶対極小値に対応することができる。一実装においては、ＡＤｍｉｎは、モデルからの計算された信号特性と位置決定モジュールプロセッサ１７４によって受信された測定された信号特性との間の最小偏差に関連するＡＤモデルであることができる。メモリ１８２及び／又はメモリ１７２は、位置決定モジュール１７０による使用のためにＡＤｍｉｎを格納することができる。
【００９４】
［００１０３］一実施形態においては、コスト関数がある特定のＡＰ１２０−ａ、ｂ、又はｃに対応する場合は、決定されたモデルＡＤｍｉｎは、その同じ特定のＡＰに対応することができる。ＡＰ１２０−ａ、ｂ、又はｃのうちの１つに関して決定されたＡＤｍｉｎは、ＡＰ１２０−ａ、ｂ、又はｃのうちの異なる１つに関して決定されたＡＤｍｉｎと同じＡＤｍｉｎであってもなくてもよい。追加の及び／又は代替の実施形態において、コスト関数がすべてのＡＰ１２０に関する結合された測定値及びＡＤモデルに対応する場合は、モデルＡＤｍｉｎは、すべてのＡＰ１２０に対応することができる。
【００９５】
［００１０４］段階３５０において、方法３００は、方法２００の段階２２０又は段階２８５に戻ることができる。段階３３５において決定されたＡＤｍｉｎは、モバイルデバイス位置を決定するために方法２００の段階２２０又は段階２８５において使用することができる。
【００９６】
［００１０５］一実施形態においては、モデル評価モジュールプロセッサ１８４は、ネットワークサービスエリアを複数のセクタ｛Ｓ１、Ｓ２、．．．、ＳＭ｝に分割する、又は並べて表示することができる。補助データ学習プロセスは、各セクタに関する信頼度スコアを決定し、ＡＤモデルを選択することができる。該実施形態においては、図１、図２、及び図３に関する図６を参照して、複数セクタ補助データ学習方法６００を実装することができる。システム１００を用いた方法６００は、図６において示される段階を含む。方法６００は、例のみとして示されており、限定するものではない。方法６００は、例えば、段階を追加する、取り除く、再手配する、組み合わせる、及び／又は同時並行して実行することによって変更することができる。
【００９７】
［００１０６］方法６００は、方法２００の段階２１５、２５０、及び２８０において実装することができる。段階２１５において、方法６００は、複数のセクタのうちの各セクタに関する選択されたＡＤモデルを決定するために実装することができる。この場合は、方法６００は、段階６２３において方法２００に戻ることができず、段階６２５、６３０、及び６３５を進めることができ、及び、段階６５０において（例えば、段階２００において）方法２００を再開することができる。段階２５０において、方法６００は、各セクタに関する各ＡＤモデルに関する更新された信頼度スコアを決定するために実装することができる。この場合は、方法６００は、段階６２３において方法２００に戻ることができ、段階６４０において、（例えば、段階２６０において）方法２００を再開することができる。段階２８０において、方法６００を介して各セクタに関する更新された選択されたＡＤモデルを決定することができる。この場合は、方法６００は、段階６２３において方法２００に戻ることができず、段階６２５、６３０、及び６３５を進めることができ、及び、段階６５０において、（例えば、段階２８５において）方法２００を再開することができる。
【００９８】
［００１０７］段階６１０において、ＡＰ１２０の各々に関してＡＤモデルの組｛ＡＤ１、ＡＤ２、．．．、ＡＤＮ｝を用いて、プロセッサ１８４は、１つ以上のモバイルデバイス１１０からＡＰ１２０に送信された信号に関する複数のセクタの各セクタに関する測定された信号特性を予測する信号特性を計算することができる。
【００９９】
［００１０８］段階６１５において、ＡＰ１２０の各々に関して、プロセッサ１８４は、各セクタに関する各ＡＤモデルに関する偏差を決定するために位置決定モジュールメモリ１７２に格納されている測定された信号特性を各セクタに関するＮ個のモデルの組｛ＡＤ１、ＡＤ２、．．．、ＡＤＮ｝に関する計算された信号特性と比較することができる。一実施形態においては、プロセス１８４は、各セクタに関連する測定された信号特性及び各セクタに関連する格納された測定された信号特性と結合された現在の測位要求に基づいて各セクタに関する計算された信号特性と各セクタに関する統計パラメータ（例えば、平均又は加重平均）と比較することができる。
【０１００】
［００１０９］段階６２０において、モデル評価モジュールプロセッサ１８４は、各セクタに関する偏差に基づいて各セクタに関するモデル｛ＡＤ１、ＡＤ２、．．．、ＡＤＮ｝のうちの各々に関する信頼度スコアを決定することができる。一実装においては、信頼度スコアは、データ構造、例えば、図４のスコアリングテーブル、に格納することができる。
【０１０１】
［００１１０］一実施形態においては、モデル評価モジュールプロセッサ１８４は、決定された信頼度スコアに応じてセクタ数を動的に調整するように構成することができる。例えば、ＡＤモデルの信頼度スコアが低すぎると決定された場合はセクタ数を増加させるために大きなセクタをより小さいセクタに分割することができる。それらのより小さいセクタは、より大きいセクタよりも小さい環境上の特徴に関する多様性を表すことができる。この調整は、ＡＤモデル位置決定精度を向上させることができる。他の例においては、小さいセクタが環境上の特徴及び／又は環境上の特徴の多様性に関して互いに十分に類似している場合は、セクタ数を減らすために小さいセクタを結合してより大きいセクタにすることができる。この調整は、ＡＤモデルからの測定された信号特性と計算された信号特性との間の偏差を増大させずに（すなわち、信頼度スコアを低下させずに）コンピューティング時間を短縮することができる。
【０１０２】
［００１１１］段階６２３において、上述されるように、方法６００は、方法２００に戻ることができ、段階６４０において方法２００を再開すること又は段階６２５に進むことができる。
【０１０３】
［００１１２］段階６２５において、モデル評価プロセッサ１８４は、コスト関数での使用のために各セクタに関してＡＤモデルに資格を付与するために各セクタに関する各ＡＤモデルに関する信頼度スコアをヒューリスティックに決定された信頼度スコアスレショルドと比較することができる。より高い信頼度スコアは、モデル化された信号特性と測定された信号特性との間の偏差がより小さいことを示し、セクタに関するＡＤモデルのより高い予測精度を示すことができる。
【０１０４】
［００１１３］資格を有する一組のＡＤモデルとは、信頼度スコアが信頼度スコアスレショルド以上である各セクタに関するＡＤモデルであることができる。一実装においては、ある特定のセクタに関するすべてのＡＤモデルがゼロの信頼度スコア又は信頼度スコアスレショルドよりも低い信頼度スコアを有する（すなわち、いずれのＡＤモデルも信頼度スコアスレショルド判定基準を満たしていない）場合は、その特定のセクタに関するすべてのＡＤモデルは、コスト関数に含めるための資格を得ることができる。この場合は、プロセッサ１８４は、特定のセクタに関するすべてのＡＤモデルをコスト関数に含めることができる。
【０１０５】
［００１１４］一実装においては、より大きい数Ｍのより小さいセクタは、コスト関数に含めるためのＡＤモデルの資格付与のレゾリューション（ｒｅｓｏｌｕｔｉｏｎ）を増大させることができる。概して、ＡＤモデルは、より小さいセクタに関連する環境上の特徴の数の減少、多様性、及び変動に起因するより小さいセクタの信号減衰をより正確に予測することができる。より小さいセクタは、ある所定のセクタに関して１つ以上のＡＤモデルの信頼度スコアが残りのＡＤモデルの信頼度スコアよりも有意なだけ高い尤度を増大させることによってレゾリューションを増大させることができる。
【０１０６】
［００１１５］図５を参照し、一実施形態においては、プロセッサ１８４は、（例えば、図２の段階２１０及び／又は２３０において決定された）推定された演繹的モバイルデバイス位置に関連するセクタの部分組に関するＡＤモデルに関する信頼度スコアと信頼度スコアスレショルドを比較することができる。推定された演繹的モバイルデバイス位置エリアは、モバイルデバイスが所在する可能性があるエリアを決定することができる。一例として、該エリアは、曲線５２０によって囲むことができる。推定された演繹的モバイルデバイス位置エリアは、白いセクタ５３０の部分組を含むことができ、及び、網目のセクタ５１０を除外することができる。一実施形態においては、プロセッサ１８４は、白いセクタ５３０の部分組に関する各ＡＤモデルに関する信頼度スコアを信頼度スコアスレショルドと比較することができる。
【０１０７】
［００１１６］段階６３０において、モデル評価モジュールプロセッサ１８４は、信号特性測定値とコスト関数に含めるための資格を有する各セクタに関するＡＤモデルとを含むネットワーク１３０のネットワークサービスエリアに関する単一のコスト関数を決定することができる。各セクタに関する含められたＡＤモデルからの計算された信号特性は、予測ベクトルを成すことができる。格納された測定値は、測定ベクトルを成すことができる。コスト関数は、例えば、予測ベクトルと測定ベクトルとの間のユークリッド距離又は加重ユークリッド距離であることができる。
【０１０８】
［００１１７］段階６３５において、モジュール評価モジュールププロセッサ１８４は、各セクタにおいて評価されたコスト関数を数学的に最小化する各セクタに関する選択されたＡＤモデル、ＡＤｍｉｎ、を決定することができる。メモリ１８２及び／又はメモリ１７２は、位置決定モジュール１７０による使用のために各セクタに関するＡＤｍｉｎを格納することができる。
【０１０９】
［００１１８］段階６３５に引き続き、方法６００は、方法２００の段階２２０又は段階２８５に戻ることができる。段階６３５において決定された各セクタに関するＡＤｍｉｎは、モバイルデバイス位置を決定するために方法２００の段階２２０又は段階２８５において使用することができる。
【０１１０】
［００１１９］その他の実施形態は、本発明の範囲及び精神内にある。例えば、ソフトウェアの性質に起因して、上述される機能は、ソフトウェア、ハードウェア、ファームウェア、手書き、又はそれらのいずれかの組み合わせを用いて実装することができる。機能を実装するフィーチャー（ｆｅａｔｕｒｅ）は、様々な位置に物理的に配置することもでき、機能の一部分が異なる物理的位置において実装されるように分散することができる。
【０１１１】
［００１２０］ここにおいて開示される情報及び信号は、様々な異なる技術及び技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１１２】
［００１２１］ここにおける開示と関係させて説明される様々な例示的な論理ブロック、モジュール、回路、及びアルゴリズムのステップは、電子ハードウェア、コンピュータソフトウェア、又は両方の組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１１３】
［００１２２］ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１１４】
［００１２３］ここにおける開示と関係させて説明される方法又はアルゴリズムのステップは、直接ハードウェア内において、プロセッサによって実行されるソフトウェアモジュール内において、又はそれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。記憶媒体は、例えば、プロセッサが記憶媒体から情報を読み出すこと及び記憶媒体に情報を書き込むことができるような形でプロセッサに結合することができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【０１１５】
［００１２４］１つ以上の設計例において、説明される機能は、ハードウェア、ソフトウェア、ファームウェア、ミドルウェア、マイクロコード、ハードウェア記述言語、又はそれらのあらゆる組み合わせにおいて実装することができる。ソフトウェア、ファームウェア、ミドルウェア、又はマイクロコードにおいて実装されるときには、これらの機能は、非一時的なコンピュータによって読み取り可能な媒体、例えば、コンピュータ記憶媒体、において１つ以上の命令又はコードとして格納すること又は送信することができる。プロセッサは、説明されるタスクを実行することができる。
【０１１６】
［００１２５］コンピュータによって読み取り可能な媒体は、コンピュータ記憶媒体と、１つの場所から他へのコンピュータプログラムの転送を容易にするあらゆる媒体を含む通信媒体と、の両方を含む。コンピュータ記憶媒体は、１つの場所から他へのコンピュータプログラムの転送を容易にするあらゆる媒体を含む。コンピュータ記憶媒体は、汎用又は専用のコンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコード手段を命令又はデータ構造の形態で搬送又は格納するために用いることができ及び汎用又は専用のコンピュータ又は汎用又は専用のプロセッサによってアクセス可能なその他の媒体、を備えることができる。さらに、いずれの接続も、送信された信号の非一時的な格納を含む範囲でコンピュータによって読み取り可能な媒体であると適切に呼ばれる。例えば、ソフトウェアが、同軸ケーブル、光ファイバケーブル、より対線、デジタル加入者ライン（ＤＳＬ）、又はモバイル技術、例えば、赤外線、無線、及びマイクロ波、を用いてウェブサイト、サーバ、又はその他の遠隔ソースから送信される場合は、その同軸ケーブル、光ファイバケーブル、より対線、ＤＳＬ、又はモバイル技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められるべきである。
【０１１７】
［００１２６］上述される方法、システム、及びデバイスは、例である。様々な代替の構成は、様々な手順又はコンポーネントを適宜省略、交換、又は追加することができる。構成は、流れ図又はブロック図として描かれるプロセスとして説明することができる。各々は、動作を順次のプロセスとして説明しているが、それらの動作の多くは、平行して又は同時並行して実行することができる。さらに、動作の順序は、入れ替えることができる。プロセスは、図に含まれていない追加のステップを有することができる。幾つかの構成例について説明しているが、本開示の精神から逸脱することなしに様々な変更、代替構成、及び同等物を使用することができる。例えば、上記の要素は、より大きいシステムの構成要素であることができ、ここにおいて、その他の規則が本発明の適用に優先すること又は本発明の適用を変更することができる。さらに、上記の要素が考慮される前に、考慮中に、又は考慮後に幾つかのステップを講じることができる。従って、上記の説明は、請求項の範囲を限定するものではない。さらに、技術は進歩しており、従って、それらの要素の多くは例であり、本開示又は請求項の範囲を限定するものではない。
【０１１８】
［００１２７］構成例（実装を含む）についての徹底的な理解を提供するために説明においては具体的な詳細が与えられている。しかしながら、構成は、これらの具体的な詳細なしに実践することができる。例えば、よく知られている回路、プロセス、アルゴリズム、構造、及び技法は、それらの構成を曖昧にするのを避けるために不必要な詳細なしで示されている。この説明は、構成例のみを提供するものであり、請求項の範囲、適用性、及び構成を限定するものではない。むしろ、構成に関する前の説明は、説明される技法を実装することを可能にするための説明を当業者に提供する。本開示の精神又は適用範囲を逸脱することなしに要素の機能及び配置の様々な変更を行うことができる。
【０１１９】
［００１２８］本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
【０１２０】
［００１２９］請求項を含むここにおいて使用される場合、“〜のうちの少なくとも１つの”によって始まる項目のリストにおいて使用される“又は”は、離接的リストを示し、従って、例えば、“Ａ、Ｂ、又はＣのうちの少なくとも１つの”のリストは、Ａ又はＢ又はＣ又はＡＢ又はＡＣ又はＢＣ又はＡＢＣ（すなわち、Ａ及びＢ及びＣ）、又は、２つ以上の特徴との組み合わせ（例えば、ＡＡ、ＡＡＢ、ＡＢＢＣ、等）を意味する。
【０１２１】
［００１３１］ここにおいて使用される場合の“第１の”は、方法２００及び／又は方法３００に関連した第１の発生を意味する。別の記載がない限り、“第１の”は、絶対的に最初であることは要求せずかつ意味しない。例えば、“第１の”は、第１の測位要求が１つ以上のモバイルデバイス１１０−ａ及び／又は１１０−ｂ及び／又はｃに関して受信された第１の測位要求であることは要求せず、及び、“第１の”は、第１の測位要求がネットワーク１３０のネットワークサービスエリアに関連して受信された第１の測位要求であることも要求しない。
【０１２２】
［００１３２］さらに、上記の説明は本発明に言及する一方で、その説明は、２つ以上の発明を含むことができる。
【図１】
2016526161.tif 000003
【図１Ａ】
2016526161.tif 000004
【図１Ｂ】
2016526161.tif 000005
【図１Ｃ】
2016526161.tif 000006
【図２】
2016526161.tif 000007
【図３】
2016526161.tif 000008
【図４】
2016526161.tif 000009
【図５】
2016526161.tif 000010
【図６】
2016526161.tif 000011
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
ネットワークサービスエリアにおけるモバイルデバイスの位置を決定する方法であって、
前記モバイルデバイスの第１の位置に関する第１の測位要求を受信することと、
前記第１の測位要求を受信したことに応答して、
ネットワークアクセスポイントで受信された信号に関する信号特性の第１の測定値を受信することと、
前記信号特性の前記第１の測定値に基づいて、一組の補助データ（ＡＤ）モデルのうちの選択されたＡＤモデルを決定することであって、前記一組のＡＤモデルの各ＡＤモデルは、前記ネットワークアクセスポイントで受信された信号に関する予測された信号特性を備え、さらに、前記一組のＡＤモデルは、複数のＡＤモデルを備えることと、
前記選択されたＡＤモデルを用いて前記モバイルデバイスの前記第１の位置を決定することと、を備える、方法。
【請求項２】
前記モバイルデバイスの前記第１の位置に基づく位置情報を格納することを備える請求項１に記載の方法。
【請求項３】
前記モバイルデバイスの前記第１の位置に基づく位置情報を送信することを備える請求項１に記載の方法。
【請求項４】
前記選択されたＡＤモデルを決定することは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較することと、
前記一組のＡＤモデルの各ＡＤモデルに関して、信頼度スコアを決定することであって、前記信頼度スコアは、前記予測された信号特性と前記信号特性の前記第１の測定値との間の前記偏差に基づくことと、
前記一組のＡＤモデルの各ＡＤモデルに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、前記資格を有する一組のＡＤモデル及び前記信号特性の前記第１の測定値に基づくことと、
前記選択されたＡＤモデルを決定することであって、前記選択されたＡＤモデルは、前記コスト関数を最小化し及び前記資格を有する一組のＡＤモデルのうちの１つのＡＤモデルであることと、を備える請求項１に記載の方法。
【請求項５】
前記信頼度スコアスレショルドは、ヒューリスティックに決定され及び調整可能である請求項４に記載の方法。
【請求項６】
前記一組のＡＤモデルの各ＡＤモデルに関する前記予測された信号特性と前記信号特性の前記第１の測定値との間の前記偏差を決定するために前記信号特性の前記第１の測定値及び前記信号特性の格納された測定値に基づいて前記予測された信号特性を統計パラメータと比較することであって、前記統計パラメータは、平均又は加重平均を備えること、を備える請求項４に記載の方法。
【請求項７】
前記ネットワークサービスエリアは、複数のセクタに分割され、前記複数のセクタのうちの各セクタは、前記ネットワークサービスエリアの１つのセクションであり、前記選択されたＡＤモデルを決定することは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、各セクタに関する前記資格を有する一組のＡＤモデル及び前記信号特性の前記第１の測定値に基づくことと、
各セクタに関する前記選択されたＡＤモデルを決定することであって、各セクタに関する前記選択されたＡＤモデルは、各セクタにおいて評価された前記コスト関数を最小化し及び前記資格を有する一組のＡＤモデルのうちの１つのＡＤモデルであることと、備える請求項１に記載の方法。
【請求項８】
前記一組のＡＤモデルの各ＡＤモデルに関する前記決定された信頼度スコアに基づいてセクタ数が動的に調整される請求項７に記載の方法。
【請求項９】
前記ネットワークサービスエリアは、複数のセクタに分割され、前記複数のセクタの各セクタは、前記ネットワークサービスエリアの１つのセクションであり、前記選択されたＡＤモデルを決定することは、
前記信号特性の前記第１の測定値及び前記一組のＡＤモデルに基づいて、前記ネットワークサービスエリア内の演繹的モバイルデバイス位置エリアを推定することと、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記推定された演繹的モバイルデバイス位置エリア内の前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、前記推定された演繹的モバイルデバイス位置エリア内の各セクタに関する前記資格を有する一組のＡＤモデル及び前記信号特性の前記第１の測定値に基づくことと、
前記推定された演繹的モバイルデバイス位置エリア内の各セクタに関する前記選択されたＡＤモデルを決定することであって、前記選択されたＡＤモデルは、前記推定された演繹的モバイルデバイス位置エリア内の各セクタにおいて評価された前記コスト関数を最小化し及び前記資格を有する一組のＡＤモデルのうちの１つのＡＤモデルであることと、を備える請求項１に記載の方法。
【請求項１０】
前記モバイルデバイスの第２の位置に関する第２の測位要求を受信することと、
前記第２の測位要求を受信したことに応答して、
前記信号特性の第２の測定値を受信することと、
前記信号特性の前記第２の測定値に基づいて選択されたＡＤモデル信頼度スコアを決定することと、
前記選択されたＡＤモデル信頼度スコアが受け入れ可能な信頼度スコアである又は受け入れ不能な信頼度スコアであると決定することと、
前記選択されたＡＤモデル信頼度スコアが前記受け入れ可能な信頼度スコアであることに応答して、前記選択されたＡＤモデルを用いて前記モバイルデバイスの前記第２の位置を決定することと、
前記選択されたＡＤモデル信頼度スコアが前記受け入れ不能な信頼度スコアであることに応答して、更新された選択されたＡＤモデルを決定し、前記更新された選択されたＡＤモデルを用いて前記モバイルデバイスの前記第２の位置を決定することと、を備える請求項１に記載の方法。
【請求項１１】
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較することと、
前記一組のＡＤモデルの各ＡＤモデルに関する信頼度スコアを決定することであって、前記信頼度スコアは、前記予測された信号特性と前記信号特性の前記第２の測定値との間の前記偏差に基づくことと、をさらに備え、
前記更新された選択されたＡＤモデルを決定することは、
資格を有する一組のＡＤモデルを決定するために前記一組のＡＤモデルの各ＡＤモデルの前記信頼度スコアを信頼度スコアスレショルドと比較することと、
前記ネットワークサービスエリアに関するコスト関数を決定することであって、前記コスト関数は、前記資格を有する一組のＡＤモデル及び前記信号特性の前記第２の測定値に基づくことと、
前記更新された選択されたＡＤモデルを決定することであって、前記更新された選択されたＡＤモデルは、前記コスト関数を最小化し及び前記資格を有する一組のＡＤモデルのうちの１つのＡＤモデルであることと、
を備える請求項１０に記載の方法。
【請求項１２】
ネットワークサービスエリアにおけるモバイルデバイスの位置を決定する方法であって、
前記モバイルデバイスの第１の位置に関する第１の測位要求を送信することと、
前記第１の測位要求に応答して、前記モバイルデバイスの前記第１の位置に基づいて、第１の位置情報を受信することと、を備え、前記第１の位置は、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び
前記選択されたＡＤモデルを用いて前記モバイルデバイスの前記第１の位置を決定することと、によって決定される、方法。
【請求項１３】
前記選択されたＡＤモデルを決定することは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較することと、
前記一組のＡＤモデルの各ＡＤモデルに関して、信頼度スコアを決定することであって、前記信頼度スコアは、前記予測された信号特性と前記信号特性の前記第１の測定値との間の前記偏差に基づくことと、
前記一組のＡＤモデルの各ＡＤモデルに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、前記資格を有する一組のＡＤモデル及び前記信号特性の前記第１の測定値に基づくことと、
前記選択されたＡＤモデルを決定することであって、前記選択されたＡＤモデルは、前記コスト関数を最小化し及び前記資格を有する一組のＡＤモデルのうちの１つのＡＤモデルであることと、を備える請求項１２に記載の方法。
【請求項１４】
前記ネットワークサービスエリアは、複数のセクタに分割され、前記複数のセクタのうちの各セクタは、前記ネットワークサービスエリアの１つのセクションであり、前記選択されたＡＤモデルを決定することは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、各セクタに関する前記資格を有する一組のＡＤモデル及び前記信号特性の前記第１の測定値に基づくことと、
各セクタに関する前記選択されたＡＤモデルを決定することであって、各セクタに関する前記選択されたＡＤモデルは、各セクタにおいて評価された前記コスト関数を最小化し及び前記資格を有する一組のＡＤモデルのうちの１つのＡＤモデルであることと、を備える請求項１２に記載の方法。
【請求項１５】
前記モバイルデバイスの第２の位置に関する第２の測位要求を送信することと、
前記第２の測位要求に応答して、前記モバイルデバイスの前記第２の位置に基づいて、第２の位置情報を受信することと、を備え、前記第２の位置は、
前記信号特性の第２の測定値を受信し、
前記信号特性の前記第２の測定値に基づいて選択されたＡＤモデル信頼度スコアを決定し、
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定し、ここにおいて、前記信頼度スコアは、前記予測された信号特性と前記信号特性の前記第２の測定値との間の前記偏差に基づき、
前記選択されたＡＤモデルを用いて前記モバイルデバイスの前記第２の位置を決定し、及び
前記選択されたＡＤモデルの前記信頼度スコアが前記受け入れ不能な信頼度スコアであることに応答して、
前記一組のＡＤモデルの各ＡＤモデルに関する前記予測された信号特性と前記信号特性の前記第１の測定値との間の前記偏差を決定するために前記信号特性の前記第２の測定値を前記予測された信号特性と比較し、
前記一組のＡＤモデルの各ＡＤモデルに関する前記信頼度スコアを決定し、ここにおいて、前記信頼度スコアは、前記予測された信号特性と前記信号特性の前記第２の測定値との間の前記偏差に基づき、
資格を有する一組のＡＤモデルを決定するために前記一組のＡＤモデルの各ＡＤモデルの前記信頼度スコアを信頼度スコアスレショルドと比較し、
ネットワークサービスエリアに関するコスト関数を決定し、ここにおいて、前記コスト関数は、前記資格を有する一組のＡＤモデル及び前記信号特性の前記第２の測定値に基づき、
更新された選択されたＡＤモデルを決定し、ここにおいて、前記更新された選択されたＡＤモデルは、前記コスト関数を最小化し及び前記一組のＡＤモデルのうちの１つのＡＤモデルであり、及び
前記更新された選択されたＡＤモデルを用いて前記モバイルデバイスの前記第２の位置を決定することによって決定される、請求項１２に記載の方法。
【請求項１６】
ネットワークサービスエリアにおけるモバイルデバイスの位置を決定するための装置であって、
前記モバイルデバイスの第１の位置に関する第１の測位要求を受信し、
前記第１の測位要求を受信したことに応答して、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び
前記選択されたＡＤモデルを用いて前記モバイルデバイスの前記第１の位置を決定するように構成された１つ以上のプロセッサを備える、装置。
【請求項１７】
前記１つ以上のプロセッサは、前記モバイルデバイスの前記第１の位置に基づく位置情報をメモリに格納するように構成される請求項１６記載の装置。
【請求項１８】
前記１つ以上のプロセッサは、前記モバイルデバイスの前記第１の位置に基づく位置情報を送信するように構成される請求項１６に記載の装置。
【請求項１９】
前記選択されたＡＤモデルを決定するように構成された前記１つ以上のプロセッサは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較し、
前記一組のＡＤモデルの各ＡＤモデルに関して、信頼度スコアを決定し、ここにおいて、前記信頼度スコアは、前記予測された信号特性と前記信号特性の前記第１の測定値との間の前記偏差に基づき、
前記一組のＡＤモデルの各ＡＤモデルに関して、資格を有する一組のＡＤモデルを決定するために前記信頼度スコアを信頼度スコアスレショルドと比較し、
前記ネットワークサービスエリアに関するコスト関数を決定し、ここにおいて、前記コスト関数は、前記資格を有する一組のＡＤモデル及び前記信号特性の前記第１の測定値に基づき、及び
前記選択されたＡＤモデルを決定する、ここにおいて、前記選択されたＡＤモデルは、前記コスト関数を最小化し及び前記資格を有する一組のＡＤモデルのうちの１つのＡＤモデルである、ようにさらに構成される請求項１６に記載の装置。
【請求項２０】
前記信頼度スコアスレショルドは、ヒューリスティックに決定され及び調整可能である請求項１９に記載の装置。
【請求項２１】
前記１つ以上のプロセッサは、前記一組のＡＤモデルの各ＡＤモデルに関する前記予測された信号特性と前記信号特性の前記第１の測定値との間の前記偏差を決定するために前記信号特性の前記第１の測定値及び前記信号特性の格納された測定値に基づいて前記予測された信号特性を統計パラメータと比較するように構成され、前記統計パラメータは、平均又は加重平均を備える請求項１９記載の装置。
【請求項２２】
前記ネットワークサービスエリアは、複数のセクタに分割され、前記複数のセクタのうちの各セクタは、前記ネットワークサービスエリアの１つのセクションであり、前記選択されたＡＤモデルを決定するように構成された前記１つ以上のプロセッサは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較し、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定し、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較し、
前記ネットワークサービスエリアに関するコスト関数を決定し、ここにおいて、前記コスト関数は、各セクタに関する前記資格を有する一組のＡＤモデル及び前記信号特性の前記第１の測定値に基づき、
各セクタに関する前記選択されたＡＤモデルを決定する、ここにおいて、各セクタに関する前記選択されたＡＤモデルは、各セクタにおいて評価された前記コスト関数を最小化し及び前記資格を有する一組のＡＤモデルのうちの１つのＡＤモデルである、ようにさらに構成される請求項１６に記載の装置。
【請求項２３】
前記一組のＡＤモデルの各ＡＤモデルに関する前記決定された信頼度スコアに基づいてセクタ数が動的に調整される請求項２２に記載の装置。
【請求項２４】
前記ネットワークサービスエリアは、複数のセクタに分割され、前記複数のセクタのうちの各セクタは、前記ネットワークサービスエリアの１つのセクションであり、前記選択されたＡＤモデルを決定するように構成された前記１つ以上のプロセッサは、
前記信号特性の前記第１の測定値及び前記一組のＡＤモデルに基づいて、前記ネットワークサービスエリア内の演繹的モバイルデバイス位置エリアを推定し、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の偏差を決定するために前記信号特性の前記第１の測定値を前記予測された信号特性と比較し、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の前記偏差に基づいて信頼度スコアを決定し、
前記一組のＡＤモデルの各ＡＤモデルに関して、及び前記推定された演繹的モバイルデバイス位置エリア内の前記複数のセクタの各セクタに関して、資格を有する一組のＡＤモデルを決定するために前記信頼度スコアを信頼度スコアスレショルドと比較し、
前記ネットワークサービスエリアに関するコスト関数を決定し、ここにおいて、前記コスト関数は、前記推定された演繹的モバイルデバイス位置エリア内の各セクタに関する前記資格を有する一組のＡＤモデル及び前記信号特性の前記第１の測定値に基づき、
前記推定された演繹的モバイルデバイス位置エリア内の各セクタに関する前記選択されたＡＤモデルを決定する、前記選択されたＡＤモデルは、前記推定された演繹的モバイルデバイス位置エリア内の各セクタにおいて評価された前記コスト関数を最小化し及び前記資格を有する一組のＡＤモデルのうちの１つのＡＤモデルである、ようにさらに構成される請求項１６に記載の装置。
【請求項２５】
前記１つ以上のプロセッサは、
前記モバイルデバイスの第２の位置に関する第２の測位要求を受信するように構成され、及び
前記第２の測位要求を受信したことに応答して、
前記信号特性の第２の測定値を受信し、
前記信号特性の第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、
前記選択されたＡＤモデル信頼度スコアが前記受け入れ可能な信頼度スコアであることに応答して、前記選択されたＡＤモデルを用いて前記モバイルデバイスの前記第２の位置を決定し、
前記選択されたＡＤモデル信頼度スコアが前記受け入れ不能な信頼度スコアであることに応答して、更新された選択されたＡＤモデルを決定し、前記更新された選択されたＡＤモデルを用いて前記モバイルデバイスの前記第２の位置を決定する、ように構成される請求項１６に記載の装置。
【請求項２６】
前記１つ以上のプロセッサは、
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定する、ここにおいて、前記信頼度スコアは、前記予測された信号特性と前記信号特性の前記第２の測定値との間の前記偏差に基づく、ようにさらに構成され、
前記更新された選択されたＡＤモデルを決定するように構成された前記１つ以上のプロセッサは、
資格を有する一組のＡＤモデルを決定するために前記一組のＡＤモデルの各ＡＤモデルの前記信頼度スコアを信頼度スコアスレショルドと比較し、
前記ネットワークサービスエリアに関するコスト関数を決定し、ここにおいて、前記コスト関数は、前記資格を有する一組のＡＤモデル及び前記信号特性の前記第２の測定値に基づき、
前記更新された選択されたＡＤモデルを決定する、ここにおいて、前記更新された選択されたＡＤモデルは、前記コスト関数を最小化し及び前記資格を有する一組のＡＤモデルのうちの１つのＡＤモデルである、ようにさらに構成される、請求項２５に記載の装置。
【請求項２７】
ネットワークサービスエリアにおけるモバイルデバイスの位置を決定するための装置であって、
前記モバイルデバイスの第１の位置に関する第１の測位要求を送信し、及び
前記第１の測位要求を送ることに応答して、前記モバイルデバイスの前記第１の位置に基づいて、第１の位置情報を受信する、ように構成されたトランシーバを備え、前記第１の位置は、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び
前記選択されたＡＤモデルを用いて前記モバイルデバイスの前記第１の位置を決定することによって決定される、装置。
【請求項２８】
前記選択されたＡＤモデルを決定することは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較することと、
前記一組のＡＤモデルの各ＡＤモデルに関して、信頼度スコアを決定することであって、前記信頼度スコアは、前記予測された信号特性と前記信号特性の前記第１の測定値との間の前記偏差に基づくことと、
前記一組のＡＤモデルの各ＡＤモデルに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、前記資格を有する一組のＡＤモデル及び前記信号特性の前記第１の測定値に基づくことと、
前記選択されたＡＤモデルを決定することであって、前記選択されたＡＤモデルは、前記コスト関数を最小化し及び前記資格を有する一組のＡＤモデルのうちの１つのＡＤモデルであることと、を備える請求項２７に記載の装置。
【請求項２９】
前記ネットワークサービスエリアは、複数のセクタに分割され、前記複数のセクタのうちの各セクタは、前記ネットワークサービスエリアの１つのセクションであり、前記選択されたＡＤモデルを決定することは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、各セクタに関する前記資格を有する一組のＡＤモデル及び前記信号特性の前記第１の測定値に基づくことと、
各セクタに関する前記選択されたＡＤモデルを決定することであって、各セクタに関する前記選択されたＡＤモデルは、各セクタにおいて評価された前記コスト関数を最小化し及び前記資格を有する一組のＡＤモデルのうちの１つのＡＤモデルであることと、備える請求項２７に記載の装置。
【請求項３０】
前記トランシーバは、
前記モバイルデバイスの第２の位置に関する第２の測位要求を送信し、及び
前記第２の測位要求に応答して、前記モバイルデバイスの前記第２の位置に基づいて、第２の位置情報を受信する、ように構成され、前記第２の位置は、
前記信号特性の第２の測定値を受信し、
前記信号特性の前記第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定し、ここにおいて、前記信頼度スコアは前記予測された信号特性と前記信号特性の前記第２の測定値との間の前記偏差に基づき、及び
前記選択されたＡＤモデルを用いて前記モバイルデバイスの前記第２の位置を決定し、及び
前記選択されたＡＤモデルの前記信頼度スコアが前記受け入れ不能な信頼度スコアであることに応答して、
前記一組のＡＤモデルの各ＡＤモデルに関する前記予測された信号特性と前記信号特性の前記第１の測定値との間の前記偏差を決定するために前記信号特性の前記第２の測定値を前記予測された信号特性と比較し、
前記一組のＡＤモデルの各ＡＤモデルに関する前記信頼度スコアを決定し、ここにおいて、前記信頼度スコアは、前記予測された信号特性と前記信号特性の前記第２の測定値との間の前記偏差に基づき、
資格を有する一組のＡＤモデルを決定するために前記一組のＡＤモデルの各ＡＤモデルの前記信頼度スコアを信頼度スコアスレショルドと比較し、
前記ネットワークサービスエリアに関するコスト関数を決定し、ここにおいて、前記コスト関数は、前記資格を有する一組のＡＤモデル及び前記信号特性の第２の測定値に基づき、
更新された選択されたＡＤモデルを決定し、ここにおいて、前記更新された選択されたＡＤモデルは、前記コスト関数を最小化し及び前記一組のＡＤモデルのうちの１つであり、及び
前記更新された選択されたＡＤモデルを用いて前記モバイルデバイスの前記第２の位置を決定することによって決定される請求項２７に記載の装置。
【請求項３１】
ネットワークサービスエリアにおけるモバイルデバイスの位置を決定するための装置であって、
前記モバイルデバイスの第１の位置に関する第１の測位要求を受信するための手段と、
前記第１の測位要求を受信したことに応答して、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び
前記選択されたＡＤモデルを用いて前記モバイルデバイスの前記第１の位置を決定するための手段と、を備える、装置。
【請求項３２】
前記モバイルデバイスの前記第１の位置に基づく位置情報を格納するための手段を備える請求項３１に記載の装置。
【請求項３３】
前記モバイルデバイスの前記第１の位置に基づく位置情報を送信するための手段を備える請求項３１に記載の装置。
【請求項３４】
前記選択されたＡＤモデルを決定するための前記手段は、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較するための手段と、
前記一組のＡＤモデルの各ＡＤモデルに関して、信頼度スコアを決定するための手段であって、前記信頼度スコアは、前記予測された信号特性と前記信号特性の前記第１の測定値との間の前記偏差に基づく手段と、
前記一組のＡＤモデルの各ＡＤモデルに関して、資格を有する一組のＡＤモデルを決定するために前記信頼度スコアを信頼度スコアスレショルドと比較するための手段と、
前記ネットワークサービスエリアに関するコスト関数を決定するための手段であって、前記コスト関数は、前記資格を有する一組のＡＤモデル及び前記信号特性の前記第１の測定値に基づく手段と、
前記選択されたＡＤモデルを決定するための手段であって、前記選択されたＡＤモデルは、前記コスト関数を最小化し及び前記資格を有する一組のＡＤモデルのうちの１つのＡＤモデルである手段と、備える請求項３１に記載の装置。
【請求項３５】
前記信頼度スコアスレショルドは、ヒューリスティックに決定され及び調整可能である請求項３４に記載の装置。
【請求項３６】
前記一組のＡＤモデルの各ＡＤモデルに関する前記予測された信号特性と前記信号特性の前記第１の測定値との間の前記偏差を決定するために前記信号特性の前記第１の測定値及び前記信号特性の格納された測定値に基づいて前記予測された信号特性を統計パラメータと比較するための手段であって、前記統計パラメータは、平均又は加重平均を備える手段、を備える請求項３４に記載の装置。
【請求項３７】
前記ネットワークサービスエリアは、複数のセクタに分割され、前記複数のセクタのうちの各セクタは、前記ネットワークサービスエリアの１つのセクションであり、前記選択されたＡＤモデルを決定するための前記手段は、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較するための手段と、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定するための手段と、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較するための手段と、
前記ネットワークサービスエリアに関するコスト関数を決定するための手段であって、前記コスト関数は、各セクタに関する前記資格を有する一組のＡＤモデル及び前記信号特性の前記第１の測定値に基づく手段と、
各セクタに関する前記選択されたＡＤモデルを決定するための手段であって、各セクタに関する前記選択されたＡＤモデルは、各セクタにおいて評価された前記コスト関数を最小化し及び前記資格を有する一組のＡＤモデルのうちの１つのＡＤモデルである手段と、備える請求項３１に記載の装置。
【請求項３８】
前記一組のＡＤモデルの各ＡＤモデルに関する前記決定された信頼度スコアに基づいてセクタ数が動的に調整される請求項３７に記載の装置。
【請求項３９】
前記ネットワークサービスエリアは、複数のセクタに分割され、前記複数のセクタのうちの各セクタは、前記ネットワークサービスエリアの１つのセクションであり、前記選択されたＡＤモデルを決定するための前記手段は、
前記信号特性の前記第１の測定値及び前記一組のＡＤモデルに基づいて、前記ネットワークサービスエリア内の演繹的モバイルデバイス位置エリアを推定するための手段と、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の偏差を決定するために前記信号特性の前記第１の測定値を前記予測された信号特性と比較するための手段と、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の前記偏差に基づいて信頼度スコアを決定するための手段と、
前記一組のＡＤモデルの各ＡＤモデルに関して、及び前記推定された演繹的モバイルデバイス位置エリア内の前記複数のセクタの各セクタに関して、資格を有する一組のＡＤモデルを決定するために前記信頼度スコアを信頼度スコアスレショルドと比較するための手段と、
前記ネットワークサービスエリアに関するコスト関数を決定するための手段であって、前記コスト関数は、前記推定された演繹的モバイルデバイス位置エリア内の各セクタに関する前記資格を有する一組のＡＤモデル及び前記信号特性の前記第１の測定値に基づく手段と、
前記推定された演繹的モバイルデバイス位置エリア内の各セクタに関する前記選択ＡＤモデルを決定するための手段であって、前記選択されたＡＤモデルは、前記推定された演繹的モバイルデバイス位置エリア内の各セクタにおいて評価された前記コスト関数を最小化し及び前記資格を有する一組のＡＤモデルのうちの１つのＡＤモデルである手段と、を備える請求項３１に記載の装置。
【請求項４０】
前記モバイルデバイスの第２の位置に関する第２の測位要求を受信するための手段と、
前記第２の測位要求を受信したことに応答して、
前記信号特性の第２の測定値を受信し、
前記信号特性の前記第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するための手段と、
前記選択されたＡＤモデル信頼度スコアが前記受け入れ可能な信頼度スコアであることに応答して、前記選択されたＡＤモデルを用いて前記モバイルデバイスの前記第２の位置を決定するための手段と、
前記選択されたＡＤモデル信頼度スコアが前記受け入れ不能な信頼度スコアであることに応答して、更新された選択されたＡＤモデルを決定し、前記更新された選択されたＡＤモデルを用いて前記モバイルデバイスの前記第２の位置を決定するための手段と、を備える請求項３１に記載の装置。
【請求項４１】
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較するための手段と、
前記一組のＡＤモデルの各ＡＤモデルに関する信頼度スコアを決定するための手段であって、前記信頼度スコアは、前記予測された信号特性と前記信号特性の前記第２の測定値との間の前記偏差に基づく手段と、をさらに備え、
前記更新された選択されたＡＤモデルを決定するための前記手段は、
資格を有する一組のＡＤモデルを決定するために前記一組のＡＤモデルの各ＡＤモデルの前記信頼度スコアを信頼度スコアスレショルドと比較するための手段と、
前記ネットワークサービスエリアに関するコスト関数を決定するための手段であって、前記コスト関数は、前記資格を有する一組のＡＤモデル及び前記信号特性の前記第２の測定値に基づく手段と、
前記更新された選択されたＡＤモデルを決定するための手段であって、前記更新された選択されたＡＤモデルは、前記コスト関数を最小化し及び前記資格を有する一組のＡＤモデルのうちの１つのＡＤモデルである手段と、
備える請求項４０に記載の装置。
【請求項４２】
ネットワークサービスエリアにおけるモバイルデバイスの位置を決定するための装置であって、
前記モバイルデバイスの第１の位置に関する第１の測位要求を送信するための手段と、
前記モバイルデバイスの前記第１の位置に基づいて、第１の位置情報を受信するための手段と、を備え、前記第１の位置は、前記第１の測位要求に応答して、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び
前記選択されたＡＤモデルを用いて前記モバイルデバイスの前記第１の位置を決定することによって決定される、装置。
【請求項４３】
前記選択されたＡＤモデルを決定することは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較することと、
前記一組のＡＤモデルの各ＡＤモデルに関して、信頼度スコアを決定することであって、前記信頼度スコアは、前記予測された信号特性と前記信号特性の前記第１の測定値との間の前記偏差に基づくことと、
前記一組のＡＤモデルの各ＡＤモデルに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、前記資格を有する一組のＡＤモデル及び前記信号特性の前記第１の測定値に基づくことと、
前記選択されたＡＤモデルを決定することであって、前記選択されたＡＤモデルは、前記コスト関数を最小化し及び前記資格を有する一組のＡＤモデルのうちの１つのＡＤモデルであることと、を備える請求項４２に記載の装置。
【請求項４４】
前記ネットワークサービスエリアは、複数のセクタに分割され、前記複数のセクタのうちの各セクタは、前記ネットワークサービスエリアの１つのセクションであり、前記選択されたＡＤモデルを決定することは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、各セクタに関する前記資格を有する一組のＡＤモデル及び前記信号特性の前記第１の測定値に基づくことと、
各セクタに関する前記選択されたＡＤモデルを決定することであって、各セクタに関する前記選択されたＡＤモデルは、各セクタにおいて評価された前記コスト関数を最小化し及び前記資格を有する一組のＡＤモデルのうちの１つのＡＤモデルであることと、を備える請求項４２に記載の装置。
【請求項４５】
前記モバイルデバイスの第２の位置に関する第２の測位要求を送信するための手段と、
前記モバイルデバイスの前記第２の位置に基づいて、第２の位置情報を受信するための手段と、を備え、前記第２の位置は、前記第２の測位要求に応答して、
前記信号特性の第２の測定値を受信し、
前記信号特性の前記第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定し、ここにおいて、前記信頼度スコアは、前記予測された信号特性と前記信号特性の前記第２の測定値との間の前記偏差に基づき、及び
前記選択されたＡＤモデルを用いて前記モバイルデバイスの前記第２の位置を決定し、及び
前記選択されたＡＤモデルの前記信頼度スコアが前記受け入れ不能な信頼度スコアであることに応答して、
前記一組のＡＤモデルの各ＡＤモデルに関する前記予測された信号特性と前記信号特性の前記第１の測定値との間の前記偏差を決定するために前記信号特性の前記第２の測定値を前記予測された信号特性と比較し、
前記一組のＡＤモデルの各ＡＤモデルに関する前記信頼度スコアを決定し、ここにおいて、前記信頼度スコアは、前記予測された信号特性と前記信号特性の前記第２の測定値との間の前記偏差に基づき、
資格を有する一組のＡＤモデルを決定するために前記一組のＡＤモデルの各ＡＤモデルの前記信頼度スコアを信頼度スコアスレショルドと比較し、
前記ネットワークサービスエリアに関するコスト関数を決定し、ここにおいて、前記コスト関数は、前記資格を有する一組のＡＤモデル及び前記信号特性の前記第２の測定値に基づき、
更新された選択されたＡＤモデルを決定し、ここにおいて、前記更新された選択されたモードは、前記コスト関数を最小化し及び前記一組のＡＤモデルのうちの１つのＡＤモデルであり、及び
前記更新された選択されたＡＤモデルを用いて前記モバイルデバイスの前記第２の位置を決定することによって決定される請求項４２に記載の装置。
【請求項４６】
プロセッサによって読み取り可能な非一時的な記憶媒体に常駐するコンピュータプログラム製品であって、
ネットワークサービスエリアにおけるモバイルデバイスの第１の位置に関する第１の測位要求を受信するために、及び
前記第１の測位要求を受信したことに応答して、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備える、及び
前記選択されたＡＤモデルを用いて前記モバイルデバイスの前記第１の位置を決定するために１つ以上のプロセッサによって実行可能なプロセッサによって読み取り可能な命令を備える、コンピュータプログラム製品。
【請求項４７】
前記モバイルデバイスの前記第１の位置に基づく位置情報を格納するために１つ以上のプロセッサによって実行可能なプロセッサによって読み取り可能な命令を備える請求項４６に記載のコンピュータプログラム製品。
【請求項４８】
前記モバイルデバイスの前記第１の位置に基づく位置情報を送信するために１つ以上のプロセッサによって実行可能なプロセッサによって読み取り可能な命令を備える請求項４６に記載のコンピュータプログラム製品。
【請求項４９】
前記選択されたＡＤモデルを決定するために１つ以上のプロセッサによって実行可能なプロセッサによって読み取り可能な命令は、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較するための命令と、
前記一組のＡＤモデルの各ＡＤモデルに関して、信頼度スコアを決定するための命令であって、前記信頼度スコアは、前記予測された信号特性と前記信号特性の前記第１の測定値との間の前記偏差に基づく命令と、
前記一組のＡＤモデルの各ＡＤモデルに関して、資格を有する一組のＡＤモデルを決定するために前記信頼度スコアを信頼度スコアスレショルドと比較するための命令と、
前記ネットワークサービスエリアに関するコスト関数を決定するための命令であって、前記コスト関数は、前記資格を有する一組のＡＤモデル及び前記信号特性の前記第１の測定値に基づく命令と、
前記選択されたＡＤモデルを決定するための命令であって、前記選択されたＡＤモデルは、前記コスト関数を最小化し及び前記資格を有する一組のＡＤモデルのうちの１つのＡＤモデルである命令と、を備える請求項４６に記載のコンピュータプログラム製品。
【請求項５０】
前記信頼度スコアスレショルドは、ヒューリスティックに決定され及び調整可能である請求項４９に記載のコンピュータプログラム製品。
【請求項５１】
前記一組のＡＤモデルの各ＡＤモデルに関する前記予測された信号特性と前記信号特性の前記第１の測定値との間の前記偏差を決定するために前記信号特性の前記第１の測定値及び前記信号特性の格納された測定値に基づいて前記予測された信号特性を統計パラメータと比較するために１つ以上のプロセッサによって実行可能なプロセッサによって読み取り可能な命令であって、前記統計パラメータは、平均又は加重平均を備える命令、を備える請求項４９に記載のコンピュータプログラム製品。
【請求項５２】
前記ネットワークサービスエリアは、複数のセクタに分割され、前記複数のセクタのうちの各セクタは、前記ネットワークサービスエリアの１つのセクションであり、前記選択されたＡＤモデルを決定するために１つ以上のプロセッサによって実行可能なプロセッサによって読み取り可能な命令は、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較するための命令と、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定するための命令と、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較するための命令と、
前記ネットワークサービスエリアに関するコスト関数を決定するための命令であって、前記コスト関数は、各セクタに関する前記資格を有する一組のＡＤモデル及び前記信号特性の前記第１の測定値に基づく命令と、
各セクタに関する前記選択されたＡＤモデルを決定するための命令であって、各セクタに関する前記選択されたＡＤモデルは、各セクタにおいて評価された前記コスト関数を最小化し及び前記資格を有する一組のＡＤモデルのうちの１つのＡＤモデルである命令と、を備える請求項４６に記載のコンピュータプログラム製品。
【請求項５３】
前記一組のＡＤモデルの各ＡＤモデルに関する前記決定された信頼度スコアに基づいてセクタ数が動的に調整される請求項５２に記載のコンピュータプログラム製品。
【請求項５４】
前記ネットワークサービスエリアは、複数のセクタに分割され、前記複数のセクタの各セクタは、前記ネットワークサービスエリアの１つのセクションであり、前記選択されたＡＤモデルを決定するために１つ以上のプロセッサによって実行可能なプロセッサによって読み取り可能な命令は、
前記信号特性の前記第１の測定値及び前記一組のＡＤモデルに基づいて、前記ネットワークサービスエリア内の演繹的モバイルデバイス位置エリアを推定するための命令と、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の偏差を決定するために前記信号特性の前記第１の測定値を前記予測された信号特性と比較するための命令と、
前記一組のＡＤモデルの各ＡＤモデルに関して、及び前記推定された演繹的モバイルデバイス位置エリア内の前記複数のセクタの各セクタに関して、前記予測された信号特性と前記信号特性の前記第１の測定値との間の前記偏差に基づいて信頼度スコアを決定するための命令と、
前記一組のＡＤモデルの各ＡＤモデルに関して、及び前記推定された演繹的モバイルデバイス位置エリア内の前記複数のセクタの各セクタに関して、資格を有する一組のＡＤモデルを決定するために前記信頼度スコアを信頼度スコアスレショルドと比較するための命令と、
前記ネットワークサービスエリアに関するコスト関数を決定するための命令であって、前記コスト関数は、前記推定された演繹的モバイルデバイス位置エリア内の各セクタに関する前記資格を有する一組のＡＤモデル及び前記信号特性の前記第１の測定値に基づく命令と、
前記推定された演繹的モバイルデバイス位置エリア内の各セクタに関する前記選択されたＡＤモデルを決定するための命令であって、前記選択されたＡＤモデルは、前記推定された演繹的モバイルデバイス位置エリア内の各セクタにおいて評価された前記コスト関数を最小化し及び前記資格を有する一組のＡＤモデルのうちの１つのＡＤモデルである命令と、を備える請求項４６に記載のコンピュータプログラム製品。
【請求項５５】
前記モバイルデバイスの第２の位置に関する第２の測位要求を受信するために、及び
前記第２の測位要求を受信したことに応答して、
前記信号特性の第２の測定値を受信し、
前記信号特性の前記第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、
前記選択されたＡＤモデル信頼度スコアが前記受け入れ可能な信頼度スコアであることに応答して、前記選択されたＡＤモデルを用いて前記モバイルデバイスの前記第２の位置を決定し、
前記選択されたＡＤモデル信頼度スコアが前記受け入れ不能な信頼度スコアであることに応答して、更新された選択されたＡＤモデルを決定し、前記更新された選択されたＡＤモデルを用いて前記モバイルデバイスの前記第２の位置を決定するために１つ以上のプロセッサによって実行可能なプロセッサによって読み取り可能な命令を備える請求項４６に記載のコンピュータプログラム製品。
【請求項５６】
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定する、ここにおいて、前記信頼度スコアは、前記予測された信号特性と前記信号特性の前記第２の測定値との間の前記偏差に基づく、ために１つ以上のプロセッサによって実行可能なプロセッサによって読み取り可能な命令をさらに備え、
前記更新された選択されたＡＤモデルを決定するための前記命令は、
資格を有する一組のＡＤモデルを決定するために前記一組のＡＤモデルの各ＡＤモデルの前記信頼度スコアを信頼度スコアスレショルドと比較するための命令と、
前記ネットワークサービスエリアに関するコスト関数を決定するための命令であって、前記コスト関数は、前記資格を有する一組のＡＤモデル及び前記信号特性の前記第２の測定値に基づく命令と、
前記更新された選択されたＡＤモデルを決定するための命令であって、前記更新された選択されたＡＤモデルは、前記コスト関数を最小化し及び前記資格を有する一組のＡＤモデルのうちの１つのＡＤモデルである命令と、を備える請求項５５に記載のコンピュータプログラム製品。
【請求項５７】
プロセッサによって読み取り可能な非一時的な記憶媒体に常駐するコンピュータプログラム製品であって、
モバイルデバイスの第１の位置に関する第１の測位要求を送信するために、及び
前記モバイルデバイスの前記第１の位置に基づいて、第１の位置情報を受信するために、１つ以上のプロセッサによって実行可能なプロセッサによって読み取り可能な命令を備え、前記第１の位置は、前記第１の測位要求に応答して、
ネットワークアクセスポイントで受信された信号に関する信号特性の第１の測定値を受信し、
前記信号特性の前記第１の測定値に基づいて、一組の補助データ（ＡＤ）モデルの選択されたＡＤモデルを決定し、ここにおいて、前記一組のＡＤモデルの各ＡＤモデルは、前記ネットワークアクセスポイントで受信された信号に関する予測された信号特性を備え、さらに、前記一組のＡＤモデルは、複数のＡＤモデルを備え、及び、
前記選択されたＡＤモデルを用いて前記モバイルデバイスの前記第１の位置を決定することによって決定される、コンピュータプログラム製品。
【請求項５８】
前記選択されたＡＤモデルを決定することは、
前記一組のＡＤモデルの各ＡＤモデルに関して、前記予測された信号特性と前記信号特性の前記第１の測定値との間の偏差を決定するために前記予測された信号特性を前記信号特性の前記第１の測定値と比較することと、
前記一組のＡＤモデルの各ＡＤモデルに関して、信頼度スコアを決定することであって、前記信頼度スコアは、前記予測された信号特性と前記信号特性の前記第１の測定値との間の前記偏差に基づくことと、
前記一組のＡＤモデルの各ＡＤモデルに関して、資格を有する一組のＡＤモデルを決定するために前記信頼度スコアを信頼度スコアスレショルドと比較することと、
ネットワークサービスエリアに関するコスト関数を決定することであって、前記コスト関数は、前記資格を有する一組のＡＤモデル及び前記信号特性の前記第１の測定値に基づくことと、
前記選択されたＡＤモデルを決定することであって、前記選択されたＡＤモデルは、前記コスト関数を最小化し及び前記資格を有する一組のＡＤモデルのうちの１つのＡＤモデルであることと、を備える請求項５７に記載のコンピュータプログラム製品。
【請求項５９】
ネットワークサービスエリアは、複数のセクタに分割され、前記複数のセクタのうちの各セクタは、前記ネットワークサービスエリアの１つのセクションであり、前記選択されたＡＤモデルを決定することは、
前記一組のＡＤモデルの各ＡＤモデルに関して、及び前記複数のセクタの各セクタに関して、前記予測された信号特性と前記信号特性の前記第１の測定値との間の偏差を決定するために前記信号特性の前記第１の測定値を前記予測された信号特性と比較することと、
前記一組のＡＤモデルの各ＡＤモデルに関して、及び前記複数のセクタの各セクタに関して、前記予測された信号特性と前記信号特性の前記第１の測定値との間の前記偏差に基づいて信頼度スコアを決定することと、
前記一組のＡＤモデルの各ＡＤモデルに関して、及び前記複数のセクタの各セクタに関して、資格を有する一組のＡＤモデルを決定するために前記信頼度スコアを信頼度スコアスレショルドと比較することと、
前記ネットワークサービスエリアに関するコスト関数を決定することであって、前記コスト関数は、各セクタに関する前記資格を有する一組のＡＤモデル及び前記信号特性の前記第１の測定値に基づくことと、
各セクタに関する前記選択されたＡＤモデルを決定することであって、各セクタに関する前記選択されたＡＤモデルは、各セクタにおいて評価された前記コスト関数を最小化し及び前記資格を有する一組のＡＤモデルのうちの１つのＡＤモデルであることと、を備える請求項５７に記載のコンピュータプログラム製品。
【請求項６０】
前記モバイルデバイスの第２の位置に関する第２の測位要求を送信するために、及び
前記第２の測位要求に応答して、前記モバイルデバイスの前記第２の位置に基づいて、第２の位置情報を受信するために１つ以上のプロセッサによって実行可能なプロセッサによって読み取り可能な命令を備え、前記第２の位置は、
前記信号特性の第２の測定値を受信し、
前記信号特性の前記第２の測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
前記一組のＡＤモデルの各ＡＤモデルに関する前記予測された信号特性と前記信号特性の前記第２の測定値との間の偏差を決定するために前記信号特性の前記第２の測定値を前記予測された信号特性と比較し、
前記一組のＡＤモデルの各ＡＤモデルに関する信頼度スコアを決定し、ここにおいて、前記信頼度スコアは、前記予測された信号特性と前記信号特性の前記第２の測定値との間の前記偏差に基づき、及び
前記選択されたＡＤモデルを用いて前記モバイルデバイスの前記第２の位置を決定し、及び
前記選択されたＡＤモデルの前記信頼度スコアが前記受け入れ不能な信頼度スコアであることに応答して、
前記一組のＡＤモデルの各ＡＤモデルに関する前記予測された信号特性と前記信号特性の前記第１の測定値との間の前記偏差を決定するために前記信号特性の前記第２の測定値を前記予測された信号特性と比較し、
前記一組のＡＤモデルの各ＡＤモデルに関する前記信頼度スコアを決定し、ここにおいて、前記信頼度スコアは、前記予測された信号特性と前記信号特性の前記第２の測定値との間の前記偏差に基づき、
資格を有する一組のＡＤモデルを決定するために前記一組のＡＤモデルの各ＡＤモデルの前記信頼度スコアを信頼度スコアスレショルドと比較し、
ネットワークサービスエリアに関するコスト関数を決定し、ここにおいて、前記コスト関数は、前記資格を有する一組のＡＤモデル及び前記信号特性の前記第２の測定値に基づき、
更新された選択されたＡＤモデルを決定し、ここにおいて、前記更新された選択されたＡＤモデルは、前記コスト関数を最小化し及び前記一組のＡＤモデルのうちの１つのＡＤモデルであり、及び
前記更新された選択されたＡＤモデルを用いて前記モバイルデバイスの前記第２の位置を決定することによって決定される請求項５７に記載のコンピュータプログラム製品。
【手続補正２】
【補正対象書類名】明細書
【補正対象項目名】０１０６
【補正方法】変更
【補正の内容】
【０１０６】
［００１１５］一実施形態においては、プロセッサ１８４は、（例えば、図２の段階２１０及び／又は２３０において決定された）推定された演繹的モバイルデバイス位置に関連するセクタの部分組に関するＡＤモデルに関する信頼度スコアと信頼度スコアスレショルドを比較することができる。推定された演繹的モバイルデバイス位置エリアは、モバイルデバイスが所在する可能性があるエリアを決定することができる。一例として、該エリアは、曲線５２０によって囲むことができる。推定された演繹的モバイルデバイス位置エリアは、白いセクタ５３０の部分組を含むことができ、及び、網目のセクタ５１０を除外することができる。一実施形態においては、プロセッサ１８４は、白いセクタ５３０の部分組に関する各ＡＤモデルに関する信頼度スコアを信頼度スコアスレショルドと比較することができる。
【手続補正３】
【補正対象書類名】明細書
【補正対象項目名】０１１０
【補正方法】変更
【補正の内容】
【０１１０】
［００１１９］その他の実施形態は、本発明の範囲内にある。例えば、ソフトウェアの性質に起因して、上述される機能は、ソフトウェア、ハードウェア、ファームウェア、手書き、又はそれらのいずれかの組み合わせを用いて実装することができる。機能を実装するフィーチャー（ｆｅａｔｕｒｅ）は、様々な位置に物理的に配置することもでき、機能の一部分が異なる物理的位置において実装されるように分散することができる。
【手続補正４】
【補正対象書類名】明細書
【補正対象項目名】０１１７
【補正方法】変更
【補正の内容】
【０１１７】
［００１２６］上述される方法、システム、及びデバイスは、例である。様々な代替の構成は、様々な手順又はコンポーネントを適宜省略、交換、又は追加することができる。構成は、流れ図又はブロック図として描かれるプロセスとして説明することができる。各々は、動作を順次のプロセスとして説明しているが、それらの動作の多くは、平行して又は同時並行して実行することができる。さらに、動作の順序は、入れ替えることができる。プロセスは、図に含まれていない追加のステップを有することができる。幾つかの構成例について説明しているが、本開示の範囲から逸脱することなしに様々な変更、代替構成、及び同等物を使用することができる。例えば、上記の要素は、より大きいシステムの構成要素であることができ、ここにおいて、その他の規則が本発明の適用に優先すること又は本発明の適用を変更することができる。さらに、上記の要素が考慮される前に、考慮中に、又は考慮後に幾つかのステップを講じることができる。従って、上記の説明は、請求項の範囲を限定するものではない。さらに、技術は進歩しており、従って、それらの要素の多くは例であり、本開示又は請求項の範囲を限定するものではない。
【手続補正５】
【補正対象書類名】明細書
【補正対象項目名】０１１８
【補正方法】変更
【補正の内容】
【０１１８】
［００１２７］構成例（実装を含む）についての徹底的な理解を提供するために説明においては具体的な詳細が与えられている。しかしながら、構成は、これらの具体的な詳細なしに実践することができる。例えば、よく知られている回路、プロセス、アルゴリズム、構造、及び技法は、それらの構成を曖昧にするのを避けるために不必要な詳細なしで示されている。この説明は、構成例のみを提供するものであり、請求項の範囲、適用性、及び構成を限定するものではない。むしろ、構成に関する前の説明は、説明される技法を実装することを可能にするための説明を当業者に提供する。本開示の適用範囲を逸脱することなしに要素の機能及び配置の様々な変更を行うことができる。
【手続補正６】
【補正対象書類名】明細書
【補正対象項目名】０１２２
【補正方法】変更
【補正の内容】
【０１２２】
［００１３２］さらに、上記の説明は本発明に言及する一方で、その説明は、２つ以上の発明を含むことができる。
以下に、本願出願の当初の特許請求の範囲に記載された発明を付記する。
［Ｃ１］
ネットワークサービスエリアにおけるモバイルデバイスの位置を決定する方法であって、
前記モバイルデバイスの前記位置に関する第１の測位要求を受信することと、
前記第１の測位要求を受信することに応答して、
第１の信号特性測定値を受信することと、
前記第１の信号特性測定値に基づいて第１の演繹的モバイルデバイス位置エリアを推定することと、
選択された補助データ（ＡＤ）モデルを決定することと、
前記選択されたＡＤモデルを用いて前記モバイルデバイスの前記位置を決定することと、を備える、方法。
［Ｃ２］
前記モバイルデバイスの前記位置に基づく第１の位置情報を格納することを備えるＣ１に記載の方法。
［Ｃ３］
前記モバイルデバイスの前記位置に基づく第１の位置情報を送信することを備えるＣ１に記載の方法。
［Ｃ４］
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備えるＣ１に記載の方法。
［Ｃ５］
前記信頼度スコアスレショルドは、ヒューリスティックに決定され及び調整可能であるＣ４に記載の方法。
［Ｃ６］
各ＡＤモデルに関する前記第１の偏差を決定するために前記第１の信号特性測定値及び格納された信号特性測定値に基づいて前記計算された信号特性を統計パラメータと比較することであって、前記統計パラメータは、平均又は加重平均を備えること、を備えるＣ４に記載の方法。
［Ｃ７］
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、備えるＣ１に記載の方法。
［Ｃ８］
各ＡＤモデルに関する前記決定された信頼度スコアに基づいてセクタ数が動的に調整されるＣ７に記載の方法。
［Ｃ９］
前記ネットワークサービスエリアは、複数のセクタに分割され、前記複数のセクタの各セクタは、前記ネットワークサービスエリアの１つのセクションであり、前記選択されたＡＤモデルを決定することは、
一組のＡＤモデルのうちの各ＡＤモデルに関する前記推定された第１の演繹的モバイルデバイス位置エリア内の各セクタに関する信号特性を計算することと、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較することと、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定することと、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較することと、
第１のコスト関数を決定することであって、前記第１のコスト関数は、前記推定された第１の演繹的モバイルデバイス位置エリア内の各セクタに関する前記第１の資格を有する一組のＡＤモデル及び前記第１の信号特性測定値に基づくことと、
前記推定された第１の演繹的モバイルデバイス位置エリア内の各セクタに関する前記選択されたＡＤモデルを決定することであって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルであることと、を備えるＣ１に記載の方法。
［Ｃ１０］
第２の測位要求を受信することと、
前記第２の測位要求を受信したことに応答して、
第２の信号特性測定値を受信することと、
前記第２の信号特性測定値に基づいて第２の演繹的モバイルデバイス位置エリアを推定することと、
前記第２の信号特性測定値に基づいて選択されたＡＤモデル信頼度スコアを決定することと、
前記選択されたＡＤモデル信頼度スコアが受け入れ可能な信頼度スコアである又は受け入れ不能な信頼度スコアであると決定することと、を備えるＣ１に記載の方法。
［Ｃ１１］
前記選択されたＡＤモデル信頼度スコアが受け入れ可能な信頼度スコアであることに応答して、
一組のＡＤモデルのうちの各ＡＤモデルに関する信号特性を計算することと、
各ＡＤモデルに関する第２の偏差を決定するために前記第２の信号特性測定値を前記計算された信号特性と比較することと、
各ＡＤモデルに関する第２の信頼度スコアを決定することであって、前記第２の信頼度スコアは、前記第２の偏差に基づくことと、
前記選択されたＡＤモデルを用いて前記モバイルデバイスの前記位置を決定することと、を備えるＣ１０に記載の方法。
［Ｃ１２］
前記選択されたＡＤモデル信頼度スコアが受け入れ不能な信頼度スコアであることに応答して、
一組のＡＤモデルのうちの各ＡＤモデルに関する信号特性を計算することと、
各ＡＤモデルに関する第２の偏差を決定するために前記第２の信号特性測定値を前記計算された信号特性と比較することと、
各ＡＤモデルに関する第２の信頼度スコアを決定することであって、前記第２の信頼度スコアは、前記第２の偏差に基づくことと、
第２の資格を有する一組のＡＤモデルを決定するために各ＡＤモデルの前記第２の信頼度スコアを信頼度スコアスレショルドと比較することと、
第２のコスト関数を決定することであって、前記第２のコスト関数は、前記第２の資格を有する一組のＡＤモデル及び前記第２の信号特性測定値に基づくことと、
更新された選択されたＡＤモデルを決定することであって、前記更新された選択されたＡＤモデルは、前記第２のコスト関数を最小化し及び前記資格を有する一組のＡＤモデルのうちの１つのＡＤモデルであることと、
前記更新された選択されたＡＤモデルを用いて前記モバイルデバイスの前記位置を決定することと、を備えるＣ１０に記載の方法。
［Ｃ１３］
ネットワークサービスエリアにおけるモバイルデバイスの位置を決定する方法であって、
第１の測位要求を送信することと、
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定することによって決定された前記モバイルデバイスの前記位置に基づく第１の位置情報を受信することと、を備える、方法。
［Ｃ１４］
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備えるＣ１３に記載の方法。
［Ｃ１５］
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備えるＣ１３に記載の方法。
［Ｃ１６］
第２の測位要求を送信することと、
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
前記選択されたＡＤモデルを用いて前記モバイルデバイスの前記位置を決定し、及び
前記選択されたＡＤモデルの前記信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信することと、を備えるＣ１３に記載の方法。
［Ｃ１７］
ネットワークサービスエリアにおけるモバイルデバイスの位置を決定するための装置であって、
前記モバイルデバイスの前記位置に関する第１の測位要求を受信するように構成された１つ以上のプロセッサを備え、前記１つ以上のプロセッサは、
前記第１の測位要求を受信したことに応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定するように構成される、装置。
［Ｃ１８］
前記モバイルデバイスの前記位置に基づく第１の位置情報を格納するように構成されたメモリを備えるＣ１７記載の装置。
［Ｃ１９］
前記１つ以上のプロセッサは、前記モバイルデバイスの前記位置に基づく第１の位置情報を送信するように構成されるＣ１７に記載の装置。
［Ｃ２０］
前記１つ以上のプロセッサは、
一組のＡＤモデルのうちの各ＡＤモデルに関する信号特性を計算し、
各ＡＤモデルに関する第１の偏差を決定するために前記計算された信号特性を前記第１の信号特性測定値と比較し、
各ＡＤモデルに関する第１の信頼度スコアを決定し、ここにおいて、前記第１の信頼度スコアは、前記第１の偏差に基づき、
第１の資格を有する一組のＡＤモデルを決定するために各ＡＤモデルの前記第１の信頼度スコアを信頼度スコアスレショルドと比較し、
第１のコスト関数を決定し、ここにおいて、前記第１のコスト関数は、前記第１の資格を有する一組のＡＤモデル及び前記第１の信号特性測定値に基づき、及び
前記選択されたＡＤモデルを決定することによってここにおいて、前記選択されたＡＤモデルは、前記第１のコスト関数を最小化し及び前記第１の資格を有する一組のＡＤモデルのうちの１つのモデルである、ことによって前記選択されたＡＤモデルを決定するように構成されるＣ１７に記載の装置。
［Ｃ２１］
前記信頼度スコアスレショルドは、ヒューリスティックに決定され及び調整可能であるＣ２０に記載の装置。
［Ｃ２２］
前記１つ以上のプロセッサは、各ＡＤモデルに関する前記第１の偏差を決定するために前記第１の信号特性測定値及び格納された信号特性測定値に基づいて前記計算された信号特性を統計パラメータと比較するように構成され、前記統計パラメータは、平均又は加重平均を備えるＣ２０記載の装置。
［Ｃ２３］
前記ネットワークサービスエリアは、複数のセクタに分割され、前記複数のセクタのうちの各セクタは、前記ネットワークサービスエリアの１つのセクションであり、前記１つ以上のプロセッサは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備えるステップによって前記選択されたＡＤモデルを決定するように構成されるＣ１７に記載の装置。
［Ｃ２４］
各ＡＤモデルに関する前記決定された信頼度スコアに基づいてセクタ数が動的に調整されるＣ２３に記載の装置。
［Ｃ２５］
前記ネットワークサービスエリアは、複数のセクタに分割され、前記複数のセクタのうちの各セクタは、前記ネットワークサービスエリアの１つのセクションであり、前記１つ以上のプロセッサは、
一組のＡＤモデルのうちの各ＡＤモデルに関する前記推定された第１の演繹的モバイルデバイス位置エリア内の各セクタに関する信号特性を計算することと、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較することと、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定することと、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較することと、
第１のコスト関数を決定することであって、前記第１のコスト関数は、前記推定された第１の演繹的モバイルデバイス位置エリア内の各セクタに関する第１の資格を有する一組のＡＤモデル及び前記第１の信号特性測定値に基づくことと、
前記推定された第１の演繹的モバイルデバイス位置エリア内の各セクタに関する前記選択されたＡＤモデルを決定することであって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルであることと、を備えるステップによって前記選択されたＡＤモデルを決定するように構成されるＣ１７に記載の装置。
［Ｃ２６］
前記１つ以上のプロセッサは、
第２の測位要求を受信するように構成され、及び
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するように構成されるＣ１７に記載の装置。
［Ｃ２７］
前記１つ以上のプロセッサは、
前記選択されたＡＤモデル信頼度スコアが受け入れ可能な信頼度スコアであることに応答して、
前記一組のＡＤモデルのうちの各ＡＤモデルに関する信号特性を計算するように構成され、
各ＡＤモデルに関する第２の偏差を決定するために前記第２の信号特性測定値を前記計算された信号特性と比較するように構成され、
各ＡＤモデルに関する第２の信頼度スコアを決定するように構成され、ここにおいて、前記第２の信頼度スコアは、前記第２の偏差に基づき、
前記選択されたＡＤモデルを用いて前記第２のモバイルデバイスの前記位置を決定するように構成されるＣ２６に記載の装置。
［Ｃ２８］
前記１つ以上のプロセッサは、前記選択されたＡＤモデル信頼度スコアが受け入れ不能な信頼度スコアであることに応答して、
一組のＡＤモデルのうちの各ＡＤモデルに関する信号特性を計算するように構成され、
各ＡＤモデルに関する前記第２の偏差を決定するために前記第２の信号特性測定値を前記計算された信号特性と比較するように構成され、
各ＡＤモデルに関する第２の信頼度スコアを決定するように構成され、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較するように構成され、
第２のコスト関数を決定するように構成され、ここにおいて、前記第２のコスト関数は、前記第２の資格を有する一組のＡＤモデル及び前記第２の信号特性測定値に基づき、
更新された選択されたＡＤモデルを決定するように構成され、ここにおいて、前記更新された選択されたＡＤモデルは、前記第２のコスト関数を最小化し及び前記資格を有する一組のＡＤモデルのうちの１つのＡＤモデルであり、
前記更新された選択されたＡＤモデルを用いて前記第２のモバイルデバイスの前記位置を決定するように構成されるＣ２６に記載の装置。
［Ｃ２９］
ネットワークサービスエリアにおけるモバイルデバイスの位置を決定するための装置であって、
第１の測位要求を送信するように構成され、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記第１の位置を決定することによって決定された前記モバイルデバイスの前記第１の位置に基づく第１の位置情報を受信するように構成されたトランシーバを備える、装置。
［Ｃ３０］
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備えるＣ２９に記載の装置。
［Ｃ３１］
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、備えるＣ２９に記載の装置。
［Ｃ３２］
前記トランシーバは、
第２の測位要求を送信するように構成され、及び
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは前記第２の偏差に基づき、及び
前記選択されたＡＤモデルを用いて前記モバイルデバイスの前記位置を決定し、及び
前記選択されたＡＤモデル信頼度スコアが受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つであり、及び
前記更新された選択されたＡＤモデルを用いて前記モバイルデバイスの前記位置を決定することによって決定された前記モバイルデバイスの前記位置に基づく第２の位置情報を受信するように構成されるＣ２９に記載の装置。
［Ｃ３３］
ネットワークサービスエリアにおけるモバイルデバイスの位置を決定するための装置であって、
前記モバイルデバイスの前記位置に関する第１の測位要求を受信するための手段と、
前記第１の測位要求を受信したことに応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定するための手段と、を備える、装置。
［Ｃ３４］
前記モバイルデバイスの前記位置に基づく第１の位置情報を格納するための手段を備えるＣ３３に記載の装置。
［Ｃ３５］
前記モバイルデバイスの前記位置に基づく第１の位置情報を送信するための手段を備えるＣ３３に記載の装置。
［Ｃ３６］
前記選択されたＡＤモデルを決定するための前記手段は、
一組のＡＤモデルのうちの各ＡＤモデルに関する信号特性を計算するための手段と、
各ＡＤモデルに関する第１の偏差を決定するために前記計算された信号特性を前記第１の信号特性測定値と比較するための手段と、
各ＡＤモデルに関する第１の信頼度スコアを決定するための手段であって、前記第１の信頼度スコアは、前記第１の偏差に基づく手段と、
第１の資格を有する一組のＡＤモデルを決定するために各ＡＤモデルの前記第１の信頼度スコアを信頼度スコアスレショルドと比較するための手段と、
第１のコスト関数を決定するための手段であって、前記第１のコスト関数は、前記第１の資格を有する一組のＡＤモデル及び前記第１の信号特性測定値に基づく手段と、
前記選択されたＡＤモデルを決定するための手段であって、前記選択されたＡＤモデルは、前記第１のコスト関数を最小化し及び前記第１の資格を有する一組のＡＤモデルのうちの１つのモデルである手段と、備えるＣ３３に記載の装置。
［Ｃ３７］
前記信頼度スコアスレショルドは、ヒューリスティックに決定され及び調整可能であるＣ３６に記載の装置。
［Ｃ３８］
各ＡＤモデルに関する第１の偏差を決定するために前記第１の信号特性測定値及び格納された信号特性測定値に基づいて前記計算された信号特性を統計パラメータと比較するための手段であって、前記統計パラメータは、平均又は加重平均を備える手段、を備えるＣ３６に記載の装置。
［Ｃ３９］
前記ネットワークサービスエリアは、複数のセクタに分割され、前記複数のセクタのうちの各セクタは、前記ネットワークサービスエリアの１つのセクションであり、前記選択されたＡＤモデルを決定するための前記手段は、
一組のＡＤモデルのうちの各ＡＤモデルに関する各セクタに関する信号特性を計算するための手段と、
各セクタに関する各ＡＤモデルに関する第１の偏差を決定するために前記第１の信号特性測定値を前記計算された信号特性と比較するための手段と、
各セクタに関する各ＡＤモデルに関する前記第１の偏差に基づいて各セクタに関する各ＡＤモデルに関する第１の信頼度スコアを決定するための手段と、
各セクタに関する第１の資格を有する一組のＡＤモデルを決定するために各セクタに関する各ＡＤモデルの前記第１の信頼度スコアを信頼度スコアスレショルドと比較するための手段と、
第１のコスト関数を決定するための手段であって、前記第１のコスト関数は、各セクタに関する前記第１の資格を有する一組のＡＤモデル及び前記第１の信号特性測定値に基づく手段と、
各セクタに関する前記選択されたＡＤモデルを決定するための手段であって、各セクタに関する前記選択されたＡＤモデルは、各セクタにおいて評価された前記第１のコスト関数を最小化し及び前記第１の資格を有する一組のＡＤモデルのうちの１つのＡＤモデルである手段と、備えるＣ３３に記載の装置。
［Ｃ４０］
各ＡＤモデルに関する決定された信頼度スコアに基づいてセクタ数が動的に調整されるＣ３９に記載の装置。
［Ｃ４１］
前記ネットワークサービスエリアは、複数のセクタに分割され、前記複数のセクタのうちの各セクタは、ネットワークサービスエリアの１つのセクションであり、前記選択されたＡＤモデルを決定するための前記手段は、
一組のＡＤモデルのうちの各ＡＤモデルに関する前記推定された第１の演繹的モバイルデバイス位置エリア内の各セクタに関する信号特性を計算するための手段と、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較するための手段と、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定するための手段と、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較するための手段と、
第１のコスト関数を決定するための手段であって、前記第１のコスト関数は、前記推定された第１の演繹的モバイルデバイス位置エリア内の各セクタに関する前記第１の資格を有する一組のＡＤモデル及び前記第１の信号特性測定値に基づく手段と、
前記推定された第１の演繹的モバイルデバイス位置エリア内の各セクタに関する前記選択ＡＤモデルを決定するための手段であって、前記前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルである手段と、を備えるＣ３３に記載の装置。
［Ｃ４２］
第２の測位要求を受信するための手段と、
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するための手段と、を備えるＣ３３に記載の装置。
［Ｃ４３］
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定するための手段を備えるＣ４２に記載の装置。
［Ｃ４４］
前記選択されたＡＤモデルの前記信頼度スコアが前記受け入れ不能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
更新された選択されたＡＤモデルを決定し、ここにおいて、前記更新された選択されたＡＤモデルは、前記第２のコスト関数を最小化し及び前記資格を有する一組のＡＤモデルのうちの１つのＡＤモデルであり、及び、
前記更新された選択されたＡＤモデルを用いて前記モバイルデバイスの前記位置を決定するための手段を備えるＣ４２に記載の装置。
［Ｃ４５］
ネットワークサービスエリアにおけるモバイルデバイスの位置を決定するための装置であって、
第１の測位要求を送信するための手段と、
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記選択されたＡＤモデルを用いて前記モバイルデバイスの前記位置を決定することによって決定された前記モバイルデバイスの前記位置に基づく第１の位置情報を受信するための手段と、備える、装置。
［Ｃ４６］
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのモデルであることと、を備えるＣ４５に記載の装置。
［Ｃ４７］
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備えるＣ４５に記載の装置。
［Ｃ４８］
第２の測位要求を送信するための手段と、
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデルを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定し、及び
前記選択されたＡＤモデルの前記信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組ＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたモードは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信するための手段と、を備えるＣ４５に記載の装置。
［Ｃ４９］
プロセッサによって読み取り可能な非一時的な記憶媒体に常駐するコンピュータプログラム製品であって、
モバイルデバイスの位置に関する第１の測位要求を受信するために、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び
前記モバイルデバイスの前記位置が前記選択されたＡＤモデルを用いて決定された前記モバイルデバイスの前記位置であると決定するために１つ以上のプロセッサによって実行可能なプロセッサによって読み取り可能な命令を備える、コンピュータプログラム製品。
［Ｃ５０］
前記モバイルデバイスの前記位置に基づく第１の位置情報を格納するために１つ以上のプロセッサによって実行可能なコンピュータによって読み取り可能な命令を備えるＣ４９に記載のコンピュータプログラム製品。
［Ｃ５１］
前記モバイルデバイスの前記位置に基づく第１の位置情報を送信するために１つ以上のプロセッサによって実行可能なプロセッサによって読み取り可能な命令を備えるＣ４９に記載のコンピュータプログラム製品。
［Ｃ５２］
前記選択されたＡＤモデルを決定するために１つ以上のプロセッサによって実行可能なプロセッサによって読み取り可能な命令は、
一組のＡＤモデルのうちの各ＡＤモデルに関する信号特性を計算するための命令と、
各ＡＤモデルに関する第１の偏差を決定するために前記計算された信号特性を前記第１の信号特性測定値と比較するための命令と、
各ＡＤモデルに関する第１の信頼度スコアを決定するための命令であって、前記第１の信頼度スコアは、前記第１の偏差に基づく命令と、
第１の資格を有する一組のＡＤモデルを決定するために各ＡＤモデルの前記第１の信頼度スコアを信頼度スコアスレショルドと比較するための命令と、
第１のコスト関数を決定するための命令であって、前記第１のコスト関数は、前記第１の資格を有する一組のＡＤモデル及び前記第１の信号特性測定値に基づく命令と、
前記選択されたＡＤモデルを決定するための命令であって、前記選択されたＡＤモデルは、前記第１のコスト関数を最小化し及び前記第１の資格を有する一組のＡＤモデルのうちの１つのモデルである命令と、を備えるＣ４９に記載のコンピュータプログラム製品。
［Ｃ５３］
前記信頼度スコアスレショルドは、ヒューリスティックに決定され及び調整可能であるＣ５２に記載のコンピュータプログラム製品。
［Ｃ５４］
各ＡＤモデルに関する第１の偏差を決定するために前記第１の信号特性測定値及び格納された信号特性測定値に基づいて前記計算された信号特性を統計パラメータと比較するために１つ以上のプロセッサによって実行可能なプロセッサによって読み取り可能な命令であって、前記統計パラメータは、平均又は加重平均を備える命令、を備えるＣ５２に記載のコンピュータプログラム製品。
［Ｃ５５］
前記ネットワークサービスエリアは、複数のセクタに分割され、前記複数のセクタのうちの各セクタは、前記ネットワークサービスエリアの１つのセクションであり、前記選択されたＡＤモデルを決定するために１つ以上のプロセッサによって実行可能なプロセッサによって読み取り可能な命令は、
一組のＡＤモデルのうちの各ＡＤモデルに関する各セクタに関する信号特性を計算するための命令と、
各セクタに関する各ＡＤモデルに関する第１の偏差を決定するために前記第１の信号特性測定値を前記計算された信号特性と比較するための命令と、
各セクタに関する各ＡＤモデルに関する前記第１の偏差に基づいて各セクタに関する各ＡＤモデルに関する第１の信頼度スコアを決定するための命令と、
各セクタに関する第１の資格を有する一組のＡＤモデルを決定するために各セクタに関する各ＡＤモデルの前記第１の信頼度スコアを信頼度スコアスレショルドと比較するための命令と、
第１のコスト関数を決定するための命令であって、前記第１のコスト関数は、各セクタに関する前記第１の資格を有する一組のＡＤモデル及び前記第１の信号特性測定値に基づく命令と、
各セクタに関する前記選択されたＡＤモデルを決定するための命令であって、各セクタに関する前記選択されたＡＤモデルは、各セクタにおいて評価された前記第１のコスト関数を最小化し及び前記第１の資格を有する一組のＡＤモデルのうちの１つのＡＤモデルである命令と、を備えるＣ４９に記載のコンピュータプログラム製品。
［Ｃ５６］
各ＡＤモデルに関する前記決定された信頼度スコアに基づいてセクタ数が動的に調整されるＣ５５に記載のコンピュータプログラム製品。
［Ｃ５７］
前記ネットワークサービスエリアは、複数のセクタに分割され、前記複数のセクタの各セクタは、前記ネットワークサービスエリアの１つのセクションであり、前記選択されたＡＤモデルを決定するために１つ以上のプロセッサによって実行可能なプロセッサによって読み取り可能な命令は、
一組のＡＤモデルのうちの各ＡＤモデルに関する前記推定された第１の演繹的モバイルデバイス位置エリア内の各セクタに関する信号特性を計算するための命令と、
前記推定された第１の演繹的モバイルデバイス位置エリア内の各セクタに関する各ＡＤモデルに関する第１の偏差を決定するために前記第１の信号特性測定値を前記推定された第１の演繹的モバイルデバイス位置エリア内の各セクタに関する前記計算された信号特性と比較するための命令と、
前記推定された第１の演繹的モバイルデバイス位置エリア内の各セクタに関する各ＡＤモデルに関する前記第１の偏差に基づいて前記推定された第１の演繹的モバイル位置エリア内の各セクタに関する各ＡＤモデルに関する第１の信頼度スコアを決定するための命令と、
前記推定された第１の演繹的モバイルデバイス位置エリア内の各セクタに関する第１の資格を有する一組のＡＤモデルを決定するために前記推定された第１の演繹的モバイルデバイス位置エリア内の各セクタに関する各ＡＤモデルの前記第１の信頼度スコアを信頼度スコアスレショルドと比較するための命令と、
第１のコスト関数を決定するための命令であって、前記第１のコスト関数は、前記推定された第１の演繹的モバイルデバイス位置エリア内の各セクタに関する第１の資格を有する一組のＡＤモデル及び前記第１の信号特性測定値に基づく命令と、
前記推定された第１の演繹的モバイルデバイス位置エリア内の各セクタに関する前記選択されたＡＤモデルを決定するための命令であって、前記推定された第１の演繹的モバイルデバイス位置エリア内の各セクタに関する前記選択されたＡＤモデルは、前記推定された第１の演繹的モバイルデバイス位置エリア内の各セクタにおいて評価された前記第１のコスト関数を最小化し及び前記資格を有する一組のＡＤモデルのうちの１つのＡＤモデルである命令と、を備えるＣ４９に記載のコンピュータプログラム製品。
［Ｃ５８］
第２の測位要求を受信するために、及び
前記第２の測位要求を受信したことに応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定するために１つ以上のプロセッサによって実行可能なプロセッサによって読み取り可能な命令を備えるＣ４９に記載のコンピュータプログラム製品。
［Ｃ５９］
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定するために１つ以上のプロセッサによって実行可能なプロセッサによって読み取り可能な命令を備えるＣ５８に記載のコンピュータプログラム製品。
［Ｃ６０］
前記選択されたＡＤモデルの前記信頼度スコアが前記受け入れ不能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記資格を有する一組のＡＤモデルのうちの１つのＡＤモデルであり、及び
前記更新された選択されたＡＤモデルを用いて前記モバイルデバイスの前記位置を決定するために１つ以上のプロセッサによって実行可能なプロセッサによって読み取り可能な命令を備えるＣ５８に記載のコンピュータプログラム製品。
［Ｃ６１］
プロセッサによって読み取り可能な非一時的な記憶媒体に常駐するコンピュータプログラム製品であって、
第１の測位要求を送信するために、及び
前記第１の測位要求に応答して、
第１の信号特性測定値を受信し、
前記第１の信号特性測定値に基づいて第１の演繹的モバイルデバイス位置エリアを推定し、
選択された補助データ（ＡＤ）モデルを決定し、及び、
前記選択されたＡＤモデルを用いて前記モバイルデバイスの前記位置を決定することによって決定された前記モバイルデバイスの前記位置に基づく第１の位置情報を受信するために１つ以上のプロセッサによって実行可能なプロセッサによって読み取り可能な命令を備える、コンピュータプログラム製品。
［Ｃ６２］
前記選択されたＡＤモデルを決定することは、
一組のＡＤモデルのうちの各ＡＤモデルに関する信号特性を計算することと、
各ＡＤモデルに関する第１の偏差を決定するために前記計算された信号特性を前記第１の信号特性測定値と比較することと、
各ＡＤモデルに関する第１の信頼度スコアを決定することであって、前記第１の信頼度スコアは、前記第１の偏差に基づくことと、
第１の資格を有する一組のＡＤモデルを決定するために各ＡＤモデルの前記第１の信頼度スコアを信頼度スコアスレショルドと比較することと、
第１のコスト関数を決定することであって、前記第１のコスト関数は、前記第１の資格を有する一組のＡＤモデル及び前記第１の信号特性測定値に基づくことと、
前記選択されたＡＤモデルを決定することであって、前記選択されたＡＤモデルは、前記第１のコスト関数を最小化し及び前記第１の資格を有する一組のＡＤモデルのうちの１つのＡＤモデルであることと、を備えるＣ６１に記載のコンピュータプログラム製品。
［Ｃ６３］
前記ネットワークサービスエリアは、複数のセクタに分割され、前記複数のセクタのうちの各セクタは、前記ネットワークサービスエリアの１つのセクションであり、前記選択されたＡＤモデルを決定することは、
一組のＡＤモデルのうちの各ＡＤモデルに関する各セクタに関する信号特性を計算することと、
各セクタに関する各ＡＤモデルに関する第１の偏差を決定するために前記第１の信号特性測定値を各セクタに関する前記計算された信号特性と比較することと、
各セクタに関する各ＡＤモデルに関する前記第１の偏差に基づいて各セクタに関する各ＡＤモデルに関する第１の信頼度スコアを決定することと、
各セクタに関する第１の資格を有する一組のＡＤモデルを決定するために各セクタに関する各ＡＤモデルの前記第１の信頼度スコアを信頼度スコアスレショルドと比較することと、
第１のコスト関数を決定することであって、前記第１のコスト関数は、各セクタに関する前記第１の資格を有する一組のＡＤモデル及び前記第１の信号特性測定値に基づくことと、
各セクタに関する前記選択されたＡＤモデルを決定することであって、各セクタに関する前記選択されたＡＤモデルは、各セクタにおいて評価された前記第１のコスト関数を最小化し及び前記第１の資格を有する一組のＡＤモデルのうちの１つのＡＤモデルであることと、を備えるＣ６１に記載のコンピュータプログラム製品。
［Ｃ６４］
第２の測位要求を送信するために、及び
前記第２の測位要求に応答して、
第２の信号特性測定値を受信し、
前記第２の信号特性測定値に基づいて第２の演繹的モバイルデバイス位置エリアを推定し、
前記第２の信号特性測定値に基づいて選択されたＡＤモデル信頼度スコアを決定し、及び
前記選択されたＡＤモデル信頼度スコアが受け入れ可能な信頼度スコアである又は受け入れ不能な信頼度スコアであると決定し、及び
前記選択されたＡＤモデル信頼度スコアが前記受け入れ可能な信頼度スコアであることに応答して、
一組のＡＤモデルのうちの各ＡＤモデルに関する信号特性を計算し、
各ＡＤモデルに関する第２の偏差を決定するために前記第２の信号特性測定値を前記計算された信号特性と比較し、
各ＡＤモデルに関する第２の信頼度スコアを決定し、ここにおいて、前記第２の信頼度スコアは、前記第２の偏差に基づき、及び
前記選択されたＡＤモデルを用いて前記モバイルデバイスの前記位置を決定し、及び
前記選択されたＡＤモデル信頼度スコアが前記受け入れ不能な信頼度スコアであることに応答して、
前記一組のＡＤモデルのうちの各ＡＤモデルに関する信号特性を計算し、
各ＡＤモデルに関する前記第２の偏差を決定するために前記第２の信号特性測定値を前記計算された信号特性と比較し、
各ＡＤモデルに関する前記第２の信頼度スコアを決定し、ここにおいて、前記第２の信頼度スコアは、前記第２の偏差に基づき、
第２の資格を有する一組のＡＤモデルを決定するために各ＡＤモデルの前記第２の信頼度スコアを信頼度スコアスレショルドと比較し、
第２のコスト関数を決定し、ここにおいて、前記第２のコスト関数は、前記第２の資格を有する一組のＡＤモデル及び前記第２の信号特性測定値に基づき、
更新された選択されたＡＤモデルを決定し、ここにおいて、前記更新された選択されたＡＤモデルは、前記第２のコスト関数を最小化し及び前記一組のＡＤモデルのうちの１つのＡＤモデルであり、及び
前記更新された選択されたＡＤモデルを用いて前記モバイルデバイスの前記位置を決定することによって決定された前記モバイルデバイスの前記位置に基づく第２の位置情報を受信するために１つ以上のプロセッサによって実行可能なコンピュータによって読み取り可能な命令を備えるＣ６１に記載のコンピュータプログラム製品。
【国際調査報告】
2016526161.tif 000012
2016526161.tif 000013